(57)【特許請求の範囲】
【請求項１】
行列状に配置された複数の画素を有する画素配列と、
前記画素配列の各行に配置され、対応する行に配置された複数の画素に走査信号を供給する複数の走査線と、
前記画素配列の各列に配置され、対応する列に配置された複数の画素に、画像信号を供給する複数の信号線と、
前記画素配列に配置され、画像の表示のとき、前記複数の画素に対して駆動信号を供給する複数の駆動電極と、
を備え、
外部近接物体を検出するとき、複数の駆動電極によって、磁界を形成するコイルが形成される、表示装置。
【請求項２】
請求項１に記載の表示装置において、
前記複数の駆動電極のそれぞれは、第１電極と前記第１電極に接続された複数の第２電極とを備える、表示装置。
【請求項３】
請求項２に記載の表示装置において、
前記第１電極は、透明電極であり、前記複数の第２電極のそれぞれは、前記第１電極よりも抵抗値の小さい電極である、表示装置。
【請求項４】
請求項２に記載の表示装置において、
前記表示装置は、前記画素配列の外部に配置され、複数の駆動電極を互いに電気的に接続する調整部を備える、表示装置。
【請求項５】
請求項４に記載の表示装置において、
前記表示装置は、互いに電気的に分離された第１配線層、第２配線層および第３配線層を備え、
前記複数の走査線のそれぞれは、前記第１配線層における配線により形成され、前記複数の信号線のそれぞれは、前記第２配線層における配線により形成され、複数の駆動電極は、前記第３配線層における配線により形成され、
前記調整部において、前記第１配線層または前記第２配線層における配線により、複数の駆動電極を形成する前記第３配線層における複数の配線間が、互いに電気的に接続されている、表示装置。
【請求項６】
請求項５に記載の表示装置において、
前記複数の駆動電極は、前記画素配列の行に配置され、
前記調整部は、前記画素配列の列と平行して配置された前記第２配線層における配線を有し、該配線により、駆動電極を形成する前記第３配線層における複数の配線間が、電気的に接続されている、表示装置。
【請求項７】
請求項６に記載の表示装置において、
前記表示装置は、前記画素配列の外部に設けられた切換回路を備え、
前記切換回路は、画像の表示のとき、前記複数の駆動電極のそれぞれに、第１電圧を有する駆動信号を供給し、外部近接物体を検出するとき、前記コイルを形成する複数の駆動電極に周期的に電圧値が変化する駆動信号を供給する、表示装置。
【請求項８】
請求項５に記載の表示装置において、
前記調整部は、前記画素配列の第１辺に沿って配置された第１調整部と、前記第１辺に対向する前記画素配列の第２辺に沿って配置された第２調整部とを有し、前記第１調整部および前記第２調整部のそれぞれにおいて、前記第１配線層または前記第２配線層における配線により、複数の駆動電極を形成する前記第３配線層における複数の配線間を、互いに電気的に接続させることによって、前記コイルを形成する、表示装置。
【請求項９】
請求項８に記載の表示装置において、
前記表示装置は、前記複数の走査線に走査信号を供給する走査線駆動回路を備え、前記走査線駆動回路は、外部近接物体の検出のとき、前記複数の走査線をフローティング状態にする、表示装置。
【請求項１０】
請求項２に記載の表示装置において、
外部近接物体の検出のとき、前記複数の信号線によって、磁界を形成する前記コイルが形成される、表示装置。
【請求項１１】
請求項１０に記載の表示装置において、
前記表示装置は、前記画素配列の外部に配置され、前記複数の信号線に接続された調整選択部を備え、
前記調整選択部は、外部近接物体の検出のとき、前記コイルを形成する複数の信号線間を電気的に接続する、表示装置。
【請求項１２】
請求項１１に記載の表示装置において、
前記表示装置は、互いに電気的に分離された第１配線層、第２配線層および第３配線層を備え、
前記複数の走査線のそれぞれは、前記第１配線層における配線により形成され、前記複数の信号線のそれぞれは、前記第２配線層における配線により形成され、複数の駆動電極は、前記第３配線層における配線により形成され、
前記調整選択部は、スイッチと、前記第１配線層または前記第３配線層における配線とを備え、前記コイルを形成する前記複数の信号線に対応する前記第２配線層における配線間は、外部近接物体の検出のとき、前記スイッチと、前記第１配線層または前記第３配線層における前記配線とを介して電気的に接続される、表示装置。
【請求項１３】
請求項１２に記載の表示装置において、
前記調整選択部は、前記画素配列の第１辺に沿って配置された第１調整選択部と、前記第１辺に対向する前記画素配列の第２辺に沿って配置された第２調整選択部とを備え、
前記第１調整選択部および前記第２調整選択部のそれぞれにおいて、前記スイッチと、前記第１配線層または前記第３配線層における前記配線とを介して、複数の信号線を形成する前記第２配線層における複数の配線間を、互いに電気的に接続させることによって、複数巻線のコイルを形成し、
１フレームにおいて、外部近接物体の検出の動作と、画像の表示の動作とを交互に実行する、表示装置。
【請求項１４】
請求項２に記載の表示装置において、
前記複数の駆動電極により形成されるコイルは、複数であり、
前記複数のコイルは、第１コイルと第２コイルを含み、
前記第１コイルは、巻線となる第１駆動電極と第２駆動電極とを有し、
前記第２コイルは、巻線となる第３駆動電極と第４駆動電極とを有し、
前記第３駆動電極を、前記第１駆動電極と前記第２駆動電極との間に配置することにより、前記第１コイルと前記第２コイルとが重なっている、表示装置。
【請求項１５】
請求項１０に記載の表示装置において、
前記複数の信号線により形成されるコイルは、複数であり、
前記複数のコイルは、第１コイルと第２コイルを含み、
前記第１コイルは、巻線となる第１信号線と第２信号線とを有し、
前記第２コイルは、巻線となる第３信号線と第４信号線とを有し、
前記第３信号線を、前記第１信号線と前記第２信号線との間に配置することにより、前記第１コイルと前記第２コイルとが重なっている、表示装置。
【請求項１６】
行列状に配置された複数の画素を有する画素配列と、
前記画素配列の各行に配置され、対応する行に配置された複数の画素に走査信号を供給する複数の走査線と、
前記画素配列の各列に配置され、対応する列に配置された複数の画素に、画像信号を供給する複数の信号線と、
前記画素配列に配置された複数の駆動電極と、
を備え、
前記複数の駆動電極のそれぞれに、表示用駆動信号を供給することにより、画像信号に従った表示を行う表示動作と、前記複数の駆動電極により複数のコイルを形成し、駆動電極に検出用駆動信号を供給することにより、コイルに形成される磁界に基づいて外部近接物体を検出する検出動作とを、１フレーム期間において、交互に実行する、表示装置。
【請求項１７】
請求項１６に記載の表示装置において、
前記検出動作においては、前記複数のコイルのうち選択されたコイルを形成する駆動電極に、検出用駆動信号が供給され、選択されたコイルに外部近接物体が近接しているか否かの検出が行われる、表示装置。
【請求項１８】
請求項１７に記載の表示装置において、
前記検出動作においては、前記複数の信号線により複数のコイルが形成され、複数のコイルのうち選択されたコイルを形成する信号線に、検出用駆動信号を供給することにより、選択されたコイルに形成される磁界に基づいて、選択されたコイルに外部近接物体が近接しているか否かの検出が行われる、表示装置。
【請求項１９】
請求項１６に記載の表示装置において、
前記検出動作においては、前記複数のコイルのそれぞれを形成する駆動電極に、検出用駆動信号が供給され、前記複数のコイルのそれぞれで外部近接物体が近接しているか否かの検出が行われる、表示装置。
【請求項２０】
請求項１９に記載の表示装置において、
前記検出動作においては、前記複数の信号線により複数のコイルが形成され、複数のコイルのそれぞれを形成する複数の信号線に、検出用駆動信号を供給することにより、前記複数のコイルのそれぞれで外部近接物体が近接しているか否かの検出が行われる、表示装置。
【発明の詳細な説明】
【技術分野】
【０００１】
本発明は、表示装置に関し、特に外部近接物体を検出可能なタッチ検出機能付き表示装置に関する。
【背景技術】
【０００２】
近年、いわゆるタッチパネルと呼ばれる、外部近接物体を検出可能なタッチ検出装置が注目されている。タッチパネルは、表示装置、例えば液晶表示装置上に装着または液晶表示装置と一体化され、タッチ検出機能付き表示装置として提供される。
【０００３】
外部近接物体として、例えばペンを用いることを可能にしたタッチパネルがある。ペンを用いることを可能とすることにより、例えば小さな領域の指定、手書き文字の入力がより容易になる。ペンによるタッチを検出する技術は、種々ある。種々ある技術の一つとして、電磁誘導方式がある。この電磁誘導方式は、高精度、高い筆圧検出精度を実現することが可能であり、外部近接物体がタッチパネル表面から離間したホバリング検出機能も実現可能であるため、ペンによるタッチを検出する技術としては有力な技術である。
【０００４】
電磁誘導方式を用いたタッチ検出の技術は、例えば、特許文献１〜３に記載されている。
【先行技術文献】
【特許文献】
【０００５】
【特許文献１】特開平１０−４９３０１号公報
【特許文献２】特開２００５−３５２５７２号公報
【特許文献３】特開２００６−１６３７４５号公報
【発明の概要】
【発明が解決しようとする課題】
【０００６】
電磁誘導方式としては、ペンにコイルと電池を実装し、ペンにおいて磁界を発生させ、タッチパネルにおいて、磁界エネルギーを検出する方式がある。この場合、タッチパネルには、磁界エネルギーを受け取るセンサ板が必要とされる。また、ペンにコイルと容量を実装し、タッチパネルにおいて磁界を発生し、ペンに実装された容量に磁界エネルギーを蓄え、タッチパネルで検出する方式がある。この方式の場合には、タッチパネルにおいて磁界を発生し、ペンからの磁界エネルギーを受け取るセンサ板が必要とされる。
【０００７】
いずれの電磁誘導方式においても、タッチ検出機能付き表示装置を実現するためには、センサ板を追加することが必要とされ、価格が上昇することになる。
【０００８】
特許文献１〜３には、画像を表示するための画素を選択する走査線、あるいは画像信号を画素へ供給するための信号線を用いて、センサ板を形成することが示されている。しかしながら、特許文献１〜３では、画像の表示の際に、画素に駆動信号を供給する駆動電極は、意識されていない。
【０００９】
本発明の目的は、価格（製造コスト）の上昇を抑制することが可能なタッチ検出機能付き表示装置を提供することにある。
【課題を解決するための手段】
【００１０】
本発明の一態様に係わる表示装置は、行列状に配置された複数の画素を有する画素配列と、画素配列の各行に配置され、対応する行に配置された複数の画素に走査信号を供給する複数の走査線と、画素配列の各列に配置され、対応する列に配置された複数の画素に、画像信号を供給する複数の信号線と、画素配列に配置され、画像の表示のとき、複数の画素に対して駆動信号を供給する複数の駆動電極を備えている。ここで、外部近接物体を検出するとき、複数の駆動電極によって、磁界を形成するコイルが形成されるものである。
【００１１】
また、他の一態様に係わる表示装置は、行列状に配置された複数の画素を有する画素配列と、画素配列の各行に配置され、対応する行に配置された複数の画素に走査信号を供給する複数の走査線と、画素配列の各列に配置され、対応する列に配置された複数の画素に、画像信号を供給する複数の信号線と、画素配列に配置された複数の駆動電極を備える。ここで、表示装置は、複数の駆動電極のそれぞれに、表示用駆動信号を供給することにより、画像信号に従った表示を行う表示動作と、複数の駆動電極により複数のコイルを形成し、駆動電極に検出用駆動信号を供給することにより、コイルに形成される磁界に基づいて外部近接物体を検出する検出動作とを、１フレームにおいて交互に実行するものである。
【図面の簡単な説明】
【００１２】
【図１】タッチ検出機能付き液晶表示装置を有する電子装置とペンとの関係を示す説明図である。
【図２】（Ａ）〜（Ｄ）は、電磁誘導方式の原理を示す説明図である。
【図３】（Ａ）〜（Ｃ）は、液晶表示装置の断面を示す断面図である。
【図４】センサレイヤの構成を示す平面図である。
【図５】実施の形態１に係わる液晶表示装置の平面を示す平面図である。
【図６】実施の形態１に係わる表示パネルの断面を示す断面図である。
【図７】実施の形態１に係わる表示パネルの回路構成を示す回路図である。
【図８】実施の形態１に係わる液晶表示装置のレイアウトを示す平面図である。
【図９】実施の形態１に係わるコイルの構成を示す回路図である。
【図１０】実施の形態１に係わる液晶表示装置の断面を示す断面図である。
【図１１】実施の形態１に係わる表示パネルの部分的な平面を示す平面図である。
【図１２】実施の形態２に係わる液晶表示装置のレイアウトを示す平面図である。
【図１３】実施の形態２に係わるコイルの構成を示す回路図である。
【図１４】実施の形態２に係わる液晶表示装置の断面を示す断面図である。
【図１５】実施の形態２に係わる表示パネルの部分的な平面を示す平面図である。
【図１６】実施の形態３に係わる液晶表示装置のレイアウトを示す平面図である。
【図１７】実施の形態３に係わるコイルの構成を示す回路図である。
【図１８】実施の形態３に係わる液晶表示装置の断面を示す断面図である。
【図１９】実施の形態３に係わる表示パネルの部分的な平面を示す平面図である。
【図２０】実施の形態４に係わる液晶表示装置のレイアウトを示す平面図である。
【図２１】実施の形態４に係わるコイルの構成を示す回路図である。
【図２２】実施の形態４に係わる表示パネルの部分的な平面を示す平面図である。
【図２３】実施の形態５に係わる液晶表示装置のレイアウトを示す平面図である。
【図２４】実施の形態５に係わるコイルの構成を示す回路図である。
【図２５】実施の形態５に係わる液晶表示装置の断面を示す断面図である。
【図２６】実施の形態５に係わる表示パネルの部分的な平面を示す平面図である。
【図２７】実施の形態６に係わるタッチ検出機能付き液晶表示装置の構成を示すブロック図である。
【図２８】実施の形態６に係わる液晶表示装置のモジュールの構成を示す平面図である。
【図２９】実施の形態６に係わる液晶表示装置のレイアウトを示す平面図である。
【図３０】実施の形態６に係わるコイルの構成を示す回路図である。
【図３１】実施の形態６に係わる液晶表示装置の構成を示すブロック図である。
【図３２】（Ａ）〜（Ｆ）は、実施の形態６の動作を示す波形図である。
【図３３】（Ａ）〜（Ｆ）は、実施の形態７に係わる動作を示す波形図である。
【図３４】実施の形態８に係わる液晶表示装置の構成を示すブロック図である。
【図３５】実施の形態９に係わる液晶表示装置の構成を示すブロック図である。
【図３６】実施の形態１０に係わる液晶表示装置の構成を示す回路図である。
【図３７】（Ａ）〜（Ｆ）は、実施の形態１０の動作を示す波形図である。
【発明を実施するための形態】
【００１３】
以下、本発明の各実施の形態について、図面を参照しつつ説明する。なお、開示はあくまでも一例にすぎず、当業者において、発明の主旨を保っての適宜変更について容易に想到し得るものについては、当然に本発明の範囲に含有されるものである。また、図面は説明をより明確にするため、実際の態様に比べ、各部の幅、厚さ、形状等について模式的に表される場合があるが、あくまで一例であって、本発明の解釈を限定するものではない。
【００１４】
また、本明細書と各図において、既出の図に関して前述したものと同様の要素には、同一の符号を付して、詳細な説明を適宜省略することがある。
【００１５】
以下の説明は、タッチ検出機能付き表示装置としてタッチ検出機能付き液晶表示装置を例として述べる。しかしながら、これに限定されず、タッチ検出機能付きＯＬＥＤ表示装置にも適用することが可能である。また、電磁誘導方式としては、先に述べた２種類の方式が存在するが、実施の形態に係わるタッチ検出機能付き液晶表示装置は、ペンに電池を実装しなくてもよい後者の方式を採用している場合を説明する。ペンに電池を実装しなくてもよいため、ペンの小型化および／または形状の自由度を向上することが可能である。
【００１６】
（実施の形態１）
＜電磁誘導方式の基本原理＞
先ず、電磁誘導方式の基本原理を説明しておく。図１は、タッチ検出機能付き液晶表示装置を有する電子装置とペンとの関係を模式的に示した説明図である。また、図２は、電磁誘導方式の基本原理を模式的に示した説明図である。
【００１７】
図１において、電子装置は、金属カバーに納められた液晶表示装置１と、導光板と、センサ板と、磁性シートとを有している。同図に示した例では、液晶表示装置１と金属カバーとの間に、センサ板が実装されている。このセンサ板には、複数のコイルが設けられている。図１では、センサ板に設けられている複数のコイルのうちの１個のコイルが、センサ板内コイルＬ２として模式的に示されている。
【００１８】
また、外部近接物体に該当するペンには、コイルと容量素子とが内蔵されている。図１では、容量素子は省略されているが、ペンに内蔵されているコイルが、ペン内コイルＬ１（以下、単にコイルＬ１とも称する）として模式的に示されている。ペン内コイルＬ１とセンサ板内コイルＬ２（以下、単にコイルＬ２とも称する）との間は、磁界によって結合（磁界結合）される。
【００１９】
なお、液晶表示装置１は、模式的にその構造を示すために、図１には、液晶表示装置１に含まれるＴＦＴガラス基板、カラーフィルタおよびＣＦガラス基板が描かれている。ＴＦＴガラス基板および図示しないＴＦＴを含んでＴＦＴ基板が形成され、ＣＦガラス基板およびカラーフィルタを含んでカラーフィルタ基板が形成される。ＴＦＴ基板とカラーフィルタ基板との間には図示しない液晶層が挟持されている。また、導光板は、液晶表示装置１とセンサ板との間に挟まれるように、固定部で固定されている。
【００２０】
ペンが、電子装置に近接することにより、ペン内コイルＬ１が、センサ板内コイルＬ２に近接することになる。これにより、ペン内コイルＬ１とセンサ板内コイルＬ２との間の磁界結合が発生し、ペンが近接したことが検出される。
【００２１】
この検出を、図２を用いて説明する。図２（Ａ）は、コイルＬ２が磁界を発生している状態を示しており、図２（Ｂ）は、コイルＬ１が磁界を発生している状態を示している。
【００２２】
図２において、コイルＬ２とペン内容量素子（以下、単に容量素子とも称する）Ｃとは並列的に接続されており、共振回路を構成している。コイルＬ１は、１回巻線のコイルが例として示されており、１対の端子を有している。タッチを検出するとき（タッチ検出のとき）、コイルＬ１の一方の端子ＰＴは、所定時間、送信アンプＡＰ１の出力に接続され、所定時間後に、受信アンプＡＰ２の入力に、所定時間、接続される。また、センサ板内コイルＬ１の他方の端子は、タッチ検出のとき、接地電圧Ｖｓに接続される。
【００２３】
図２（Ｃ）および（Ｄ）は、タッチ検出のときの動作を示す波形図である。図２（Ｃ）および（Ｄ）において、横軸は、時間を示しており、図２（Ｃ）は、送信アンプＡＰ１の出力の波形を示しており、図２（Ｄ）は、受信アンプＡＰ２の出力の波形を示している。
【００２４】
コイルＬ２の一方の端子ＰＴが、送信アンプＡＰ１の出力に接続されているとき、送信アンプＡＰ１の入力には、周期的に変化する送信信号ＩＮが供給される。これにより、送信アンプＡＰ１は、送信信号ＩＮの変化に従って、周期的に変化する駆動信号φ１を、図２（Ｃ）に示すように、所定時間（磁界発生期間）ＴＧ、コイルＬ２の一方の端子に供給する。これにより、コイルＬ２が磁界を発生する。このときの磁力線が、図２（Ａ）ではφＧとして示されている。
【００２５】
磁力線φＧは、コイルＬ２の巻線を中心として発生するため、コイルＬ２の内側の磁界が強くなる。コイルＬ１が、コイルＬ２に近接し、例えば図２（Ａ）に示すように、コイルＬ１の中心軸ＬＯが、コイルＬ２の内側に存在すると、コイルＬ１に、コイルＬ２の磁力線が到達する。すなわち、コイルＬ１が、コイルＬ２において発生している磁界内に配置され、コイルＬ１とコイルＬ２とが磁界結合されることになる。コイルＬ２は、駆動信号φ１の変化に従って、周期的に変化する磁界を発生する。そのため、コイルＬ２とコイルＬ１間の相互誘導の作用により、コイルＬ１には、誘起電圧を発生する。容量素子Ｃは、コイルＬ１によって発生した誘起電圧によって充電される。
【００２６】
所定時間後に、コイルＬ２の一方の端子ＰＴは、所定時間（磁界検出期間）ＴＤ、受信アンプＡＰ２の入力に接続される。磁界検出期間ＴＤにおいては、先の磁界発生期間ＴＧにおいて容量素子Ｃが、充電されていれば、容量素子Ｃに充電された電荷によって、コイルＬ１が、磁界を発生する。図２（Ｂ）には、容量素子Ｃに充電された電荷によって発生したコイルＬ１の磁力線が、φＤとして示されている。
【００２７】
タッチ検出のとき、すなわち、磁界発生期間ＴＧおよび磁界検出期間ＴＤのとき、ペン内コイルＬ１が、センサ板内コイルＬ２に近接していれば、磁界発生期間ＴＧのとき、容量素子Ｃに充電が行われ、磁界検出期間ＴＤのとき、コイルＬ１の磁力線φＤが、コイルＬ２に到達する。コイルＬ１と容量素子Ｃとにより共振回路が構成されているため、コイルＬ１の発生する磁界は、共振回路の時定数に従って変化する。コイルＬ１が発生する磁界が変化することにより、コイルＬ２に誘起電圧が発生する。この誘起電圧によって、コイルＬ２の一方の端子ＰＴにおいて、信号が変化する。この信号の変化が、検出信号φ２として、磁界検出期間ＴＤのとき、受信アンプＡＰ２に入力され、増幅され、センサ信号ＯＵＴとして受信アンプＡＰ２から出力される。
【００２８】
一方、タッチ検出のとき、ペン内コイルＬ１が、センサ板内コイルＬ２に近接していなれば、磁界発生期間ＴＧのとき、容量素子Ｃは充電されない、または充電される電荷量が少なくなる。その結果、磁界検出期間ＴＤのとき、コイルＬ１が発生する磁界の磁力線φＤは、コイルＬ２に到達しない。そのため、磁界検出期間ＴＤのとき、コイルＬ２の一方の端子ＰＴにおける検出信号φ２は変化しない。
【００２９】
図２（Ｃ）および（Ｄ）には、ペン内コイルＬ１が、センサ板内コイルＬ２に近接しているときと、近接していないときの両方の状態が示されている。すなわち、図２（Ｃ）および（Ｄ）において、左側には、コイルＬ１がコイルＬ２に近接していないときの状態が示されており、右側には、コイルＬ１がコイルＬ２に近接しているときの状態が示されている。そのため、図２（Ｄ）において、左側に示した磁界検出期間ＴＤでは、検出信号φ２は変化しておらず、右側に示した磁界検出期間ＴＤでは、検出信号φ２が変化している。検出信号φ２が変化している場合を、ペン有りと判定し、検出信号φ２が変化していない場合を、ペン無しと判定することにより、ペンによるタッチを検出することができる。
【００３０】
図２では、ペン有りとペン無しの判定を示したが、コイルＬ１とコイルＬ２との間の距離に従って、検出信号φ２の値が変化するため、ペンとセンサ板との間の距離あるいはペンの筆圧を判定することも可能である。
【００３１】
なお、コイルＬ２の端子ＰＴを、送信アンプＡＰ１の出力から受信アンプＡＰ２の入力へ切り替えるときは、センサ内板コイルＬ２に蓄積されたエネルギーが放電するまでの所定時間だけ、コイルＬ２の端子ＰＴをフローティング状態にし、所定時間後に端子ＰＴを受信アンプＡＰ２の入力に接続する。
【００３２】
このように、タッチ検出期間において、ペンが、センサ板内コイルＬ２の近接（接触を含む）に存在していると、磁界検出期間ＴＤのとき、受信アンプＡＰ２の出力信号は変化する。一方、ペンが、センサ板内コイルＬ２の近接（接触を含む）に存在していないと、磁界検出期間ＴＤのとき、受信アンプＡＰ２の出力信号は変化しない。すなわち、ペンがセンサ板内コイルＬ２の近接をタッチしているか否かを、受信アンプＡＰ２の出力信号によって、検出することが可能となる。また、センサ板内コイルＬ２とペン内コイルＬ１とが近接している場合、その間の距離に従って、ペン内コイルＬ１からセンサ板内コイルＬ２へ与えられる磁界エネルギーが変化するため、受信アンプＡＰ２の出力信号の値から、ペンの筆圧も判定することが可能となる。
【００３３】
＜液晶表示装置とセンサ板の一体化構造＞
本願発明者らは、図１に示したように、液晶表示装置１と、センサ板とを別々に準備した場合、センサ板が高価であるため、電子装置が高価になると考えた。そこで、本発明者らは、センサ板を、液晶表示装置１内の導電層（レイヤ）により形成し、液晶表示装置とセンサ板とを一体化することを考えた。本発明者らが考えた液晶表示装置を、図３を用いて説明する。
【００３４】
図３は、センサ板をセンサ層（レイヤ）として一体化した液晶表示装置１の模式的な断面を示す断面図である。図３は、図１と類似しているので、相違点を主に説明する。図３（Ａ）は、ＣＦガラス基板にセンサ板として機能するセンサレイヤを形成した場合の断面図である。図３（Ｂ）は、ＴＦＴガラス基板上に、センサレイヤを形成した場合の断面図である。また、図３（Ｃ）は、ＴＦＴガラス基板の裏面に、センサレイヤを形成した場合の断面図である。図１においては、液晶表示装置１とは別に、センサ板を準備し、導光板と磁性シートとの間に、センサ板を設けるようにしていた。これに対して、図３（Ａ）〜（Ｃ）においては、センサ板に相当するセンサレイヤが、液晶表示装置１に設けられるため、価格の上昇を抑制することが可能となる。
【００３５】
図４は、図３（Ａ）〜（Ｃ）において形成されるセンサレイヤの構成を示す平面図である。センサレイヤは、行列状に配置された複数のコイルを備えている。すなわち、センサレイヤは、図４において、縦方向に延在し、横方向に並べられた複数のコイルＸ（０）〜Ｘ（ｐ）と、横方向に延在し、縦方向に並べられた複数のコイルＹ（０）〜Ｙ（ｐ）を備えている。図４には、これらの複数のコイルのうち、コイルＸ（ｎ−１）〜Ｘ（ｎ＋１）とコイルＹ（ｎ−１）〜Ｙ（ｎ＋１）が示されている。図４に示した例では、それぞれのコイルは、複数巻線（同図では３回巻線）のコイルとなっている。
【００３６】
各列に配置されているコイルＸ（０）〜Ｘ（ｐ）において、互いに隣接したコイル間では、一部重なりが生じるように、コイルＸ（０）〜Ｘ（ｐ）は形成されている。図４に示したコイルＸ（ｎ）〜Ｘ（ｎ＋１）を例にすると、コイルＸ（ｎ）は、コイルＸ（ｎ−１）およびＸ（ｎ＋１）と隣接しており、コイルＸ（ｎ）はコイルＸ（ｎ−１）およびコイルＸ（ｎ＋１）のそれぞれと一部が重なっている。すなわち、コイルＸ（ｎ）の巻線の内側に、コイルＸ（ｎ−１）およびＸ（ｎ＋１）の巻線の一部が配置されるように形成されている。勿論、コイルＸ（０）〜Ｘ（ｐ）は、互いに電気的に接触しないように形成されている。コイルＸ（０）〜Ｘ（ｐ）は、１対の端部を有し、１対の端部のうちの一方の端部Ｘｐ１（０）〜Ｘｐ１（ｐ）には、タッチ検出期間における磁界発生期間において、周期的に電圧値が変化する駆動信号が供給される。一方、タッチ検出期間における磁界検出期間においては、一方の端部Ｘｐ１（０）〜Ｘｐ１（ｐ）における電圧の変化が検出される。
【００３７】
また、コイルＸ（０）〜Ｘ（ｐ）の他方の端部Ｘｐ２（０）〜Ｘｐ２（ｐ）には、タッチ検出期間においては、所定の電圧（例えば、接地電圧Ｖｓ）が供給される。タッチ検出期間における磁界検出期間において、コイルＸ（０）〜Ｘ（ｐ）の一方の端部Ｘｐ１（０）〜Ｘｐ１（ｐ）における電圧が変化しているか否かを検出することにより、図２において述べたように、コイルＸ（０）〜Ｘ（ｐ）のいずれの近傍が、ペンによりタッチされたかを検出することが可能となる。
【００３８】
各行に配置されたコイルＹ（０）〜Ｙ（ｐ）についても、コイルＸ（０）〜Ｘ（ｐ）と同様である。すなわち、互いに隣接したコイル間では、一部重なりが生じるように、コイルＹ（０）〜Ｙ（ｐ）は形成されている。勿論、コイルＹ（０）〜Ｙ（ｐ）は、互いに電気的に接触しないように配置されている。コイルＹ（０）〜Ｙ（ｐ）の一方の端部Ｙｐ１（０）〜Ｙｐ１（ｐ）には、タッチ検出期間における磁界発生期間において、周期的に電圧値が変化する駆動信号が供給される。一方、タッチ検出期間における磁界検出期間においては、一方の端部Ｙｐ１（０）〜Ｙｐ１（ｐ）における電圧の変化が検出される。また、コイルＹ（０）〜Ｙ（ｐ）の他方の端部Ｙｐ２（０）〜Ｙｐ２（ｐ）には、タッチ検出期間においては、所定の電圧（例えば、接地電圧Ｖｓ）が供給される。これにより、タッチ検出期間における磁界検出期間において、コイルＹ（０）〜Ｙ（ｐ）の一方の端部Ｙｐ１（０）〜Ｙｐ１（ｐ）における電圧が変化しているか否かを検出することにより、図２において述べたように、コイルＹ（０）〜Ｙ（ｐ）のいずれの近傍が、ペンによりタッチされたかを検出することが可能となる。
【００３９】
コイルＸ（０）〜Ｘ（ｐ）とコイルＹ（０）〜Ｙ（ｐ）は、互いに交差するように配置されている。そのため、コイルＸ（０）〜Ｘ（ｐ）のいずれの近傍が、ペンによりタッチされたかを検出し、コイルＹ（０）〜Ｙ（ｐ）のいずれの近傍が、ペンによりタッチされたかを検出することにより、ペンによりタッチされた位置の座標を求めることが可能となる。なお、コイルＸ（０）〜Ｘ（ｐ）とコイルＹ（０）〜Ｙ（ｐ）は、互いに交差するように配置されているが、これらの間は、電気的に接触しないように、コイルＸ（０）〜Ｘ（ｐ）とコイルＹ（０）〜Ｙ（ｐ）との間には絶縁物が設けられている。
【００４０】
これにより、センサ板を用いなくても、ペンによるタッチを検出可能な液晶表示装置を提供することができる。
【００４１】
液晶表示装置１においては、ＴＦＴガラス基板とカラーフィルタとの間に、後で説明する走査線、信号配線および駆動電極が形成される。これらの配線（走査線、信号配線、駆動電極）は、画像の表示の際に用いられるが、タッチ検出を行う際に、これらの配線によりコイルＸ（０）〜Ｘ（ｐ）および／またはコイルＹ（０）〜Ｙ（ｐ）を形成することにより、センサレイヤを追加することなく、図３（Ｂ）に示した構造を達成することが可能となる。これにより、液晶表示装置１の価格の上昇を抑制しながら、タッチ検出機能付きの液晶表示装置１を提供することが可能となる。以下では、図３（Ｂ）に示したように、ＴＦＴガラス基板の上にセンサレイヤを設ける場合の形態を説明する。
【００４２】
＜液晶表示装置の構造＞
先ず、液晶表示装置１の構造を説明する。図５は、液晶表示装置１の構成を模式的に示す平面図である。同図において、２は、表示パネル（液晶パネル）を示している。表示パネル２は、同図において、縦方向に延在し、横方向に並列的に配置された複数の信号線ＳＬ（０）〜ＳＬ（ｐ）と、横方向に延在し、縦方向に並列的に配置された複数の走査線ＧＬ（０）〜ＧＬ（ｐ）とを備えている。後で説明するが、信号線ＳＬ（０）〜ＳＬ（ｐ）と走査線ＧＬ（０）〜ＧＬ（ｐ）との交差部分には、液晶表示素子（画素）が配置されている。画素は、後で説明するが、選択端子と１対の端子とを有している。交差部分に配置された画素の選択端子は、交差部分における走査線に接続され、１対の端子のうちの一方の端子は、交差部分における信号線に接続されている。また画素の他方の端子は、図示しない駆動電極に接続されている。
【００４３】
なお、同図において、信号線ＳＬ（０）〜ＳＬ（ｐ）は、破線で示され、走査線ＧＬ（０）〜ＧＬ（ｐ）は、一点鎖線で示されている。また、信号線と走査線は、互いに交差しているが、電気的には分離されている。
【００４４】
本明細書で用いている「平行」とは、互いに一端から他端に亘るまで交わることなく延在することを意味する。そのため、一方の線の一部又は全部が他方の線に対して傾いた状態で設けられていたとしても、これらの線が一端から他端まで交わるものでなければ、本明細書においては、この状態も「平行」であるとする。
【００４５】
図５において、３は、信号線セレクタを示しており、４は、表示制御装置を示しており、５は、ゲートドライバ（走査線駆動回路）を示している。
【００４６】
表示制御装置４は、画像の表示を行うとき、表示されるべき画像信号を、時分割的に、信号線セレクタ３に供給する。図５には、表示制御装置４から信号線セレクタ３へ、画像信号を供給する信号配線として、信号配線Ｓｄ（０）〜Ｓｄ（ｎ）が示されている。信号配線Ｓｄ（０）を例にして述べると、表示制御装置４は、この信号配線Ｓｄ（０）に対して、第１タイミングで、特定の信号線に供給されるべき画像信号を供給し、次のタイミング（第２タイミング）で、他の信号線に供給されるべき画像信号を供給する。すなわち、この信号配線Ｓｄ（０）を用いて、時分割的に、画像信号を、信号線セレクタ３へ供給する。残りの信号配線Ｓｄ（１）〜Ｓｄ（ｎ）についても、同様にして、画像信号を、時分割的に、信号線セレクタ３へ供給する。表示制御装置４は、上記した第１タイミングおよび第２タイミングを、選択信号ＳＥＬ１、ＳＥＬ２によって、信号線セレクタ３に通知する。
【００４７】
信号線セレクタ３は、表示パネル２の近傍に配置されており、信号線Ｓｄ（０）〜ＳＤ（ｎ）を介して、時分割的に画像信号を受ける。信号線セレクタ３は、選択信号ＳＥＬ１、ＳＥＬ２により通知された第１タイミントと第２タイミングとに基づいて、画像信号を適切な信号線ＳＬ（０）〜ＳＬ（ｐ）へ供給する。すなわち、信号配線Ｓｄ（０）を例にすると、信号線セレクタ３は、選択信号ＳＥＬ１、ＳＥＬ２によって、第１タイミングが通知されていた場合、信号配線Ｓｄ（０）における画素信号を、上記した特定の信号線へ供給する。一方、選択信号ＳＥＬ１、ＳＥＬ２によって、第２タイミングが通知されていた場合、信号配線Ｓｄ（０）における画素信号を、上記した他の信号線へ供給する。残りの信号線Ｓｄ（１）〜Ｓｄ（ｎ）についても同様である。
【００４８】
このようにすることにより、表示制御装置４と信号線セレクタとの間の配線数を低減することが可能である。配線数を低減することにより、配線の幅を太くし、画像信号の遅延を低減することが可能となる。また、表示制御装置４を半導体集積回路装置（以下、半導体装置）によって構成した場合、配線数を低減することにより、表示制御装置４を構成する半導体装置の端子数を低減することが可能となる。
【００４９】
ゲートドライバ５は、画像の表示を行うとき、表示制御装置４からのタイミング信号に従って走査線信号を形成し、走査線（ゲート線）ＧＬ（０）〜ＧＬ（ｐ）へ供給する。例えば、表示を行うとき、ゲートドライバ５は。走査線ＧＬ（０）からＧＬ（ｐ）へ向けて順次ハイレベルとなる走査線信号を形成する。
【００５０】
タッチセンサの駆動電極は画像の表示時は画素の共通電極として動作する。画像の表示において、走査線ＧＬ（０）にハイレベルの走査線信号が供給されると、この走査線ＧＬ（０）と、信号線ＳＬ（０）〜ＳＬ（ｐ）のそれぞれとの交差部分の設けられた画素が選択される。選択された画素には、信号線ＳＬ（０）〜ＳＬ（ｐ）を介して画像信号が供給される。選択された画素は、画素電極に供給された画像信号の電圧と共通電極（駆動電極）の電圧との差に応じた表示を行う。このように、走査線信号を、走査線ＳＬ（０）からＳＬ（ｐ）へ向けて順次ハイレベルにすることにより、順次画素が選択され、そのとき信号線ＳＬ（０）〜ＳＬ（ｐ）を介して供給されている画像信号の電圧と共通電極（駆動電極）との電圧差に応じた表示が行われる。なお、ゲートドライバ５は、２個の走査線が同時にハイレベルとならないように、走査線信号としては、パルス状の信号を出力する。
【００５１】
図５には、示されていないが、表示パネル２には、駆動電極が配置されている。画像の表示を行うとき、共通電極（駆動電極）には所定の電圧（第１電圧）、例えば接地電圧Ｖｓが供給される。共通電極（駆動電極）に供給される電圧は、接地電圧Ｖｓに限定されない。共通電極に供給される電圧は、固定的な電圧ではなく、画像信号の電圧に従って変化する電圧であってもよい。すなわち、上記した第１電圧は、固定電圧でなく、画像信号によって変化する可変電圧であってもよい。
【００５２】
図５において、画素が配置されている領域、すなわち、表示パネル２の領域は、表示と言う観点で見た場合、アクティブな領域（アクティブエリア）あるいは表示領域と見なすことができる。表示パネル２を除いた領域は、表示と言う観点で見た場合、非アクティブな領域（非アクティブ領域）あるいは周辺領域と見なすことができる。また、図５において、２−Ｕは、表示パネル２の短辺を示しており、２−Ｄは、辺２−Ｕに対向する表示パネル２の短辺を示している。同様に、２−Ｌは、表示パネル２の長辺を示しており、２−Ｒは、長辺２−Ｌに対向する表示パネル２の長辺を示している。アクティブエリアは、短辺２−Ｕ、２−Ｄおよび長辺２―Ｌ、２−Ｒによって囲まれた領域であると見なすこともできる。
【００５３】
図６は、アクティブエリアの断面を示す断面図であり、例えば、後で図８を用いて説明するアクティブエリア内の断面Ａ−Ａ’を示す断面図である。後で図８を用いて説明するが、駆動電極は複数に分割されている。すなわち、表示パネル２には、複数の駆動電極ＴＬ（０）〜ＴＬ（ｐ）を備えている。ここで、それぞれの駆動電極ＴＬ（０）〜ＴＬ（ｐ）は、複数の信号線に対応している。図５では、信号線を信号線ＳＬ（０）〜ＳＬ（ｐ）として説明したが、信号線（０）は、駆動電極ＴＬ（０）に対応しており、信号線ＳＬ（１）は、駆動電極ＴＬ（１）に対応している。以下、同様にして、信号線ＳＬ（２）〜ＳＬ（ｐ）は、駆動電極ＴＬ（２）〜ＴＬ（ｐ）に対応している。
【００５４】
また、信号線ＳＬ（０）〜ＳＬ（ｐ）のそれぞれは、複数の信号線を、１つとして纏めて示している。さらに、表示パネル２は、カラー表示を行うため、表示制御装置４から信号線セレクタ３へ供給される画像信号は、３原色に相当するＲ（赤）、Ｇ（緑）、Ｂ（青）の画像信号であり、信号線は、３原色に相当する画像信号を対応する画素へ伝達する信号線を含んでいる。尚、画素信号は３原色に限定されるものではなく、Ｒ（赤）、Ｇ（緑）、Ｂ（青）、Ｃ（シアン）、Ｍ（マゼンタ）、Ｙ（黄）、Ｗ（白）のいずれかの色の信号としてもよい。
【００５５】
図６を用いて、アクティブエリアの構造を説明する前に、本明細書で用いている、信号線の表記方法を説明しておく。図６には、２個の駆動電極ＴＬ（０）、ＴＬ（１）と信号線ＳＬ（０）０（Ｒ）、ＳＬ（０）０（Ｇ）、ＳＬ（０）０（Ｂ）（１）、ＳＬ（１）０（Ｒ）、ＳＬ（１）０（Ｇ）およびＳＬ（１）０（Ｂ）が示されている。先ず、信号線ＳＬ（０）０（Ｒ）および信号線ＳＬ（１）０（Ｒ）を例にして説明すると、最初の（）内の数字は、対応する駆動電極の番号を示しており、次の数字は、対応する駆動電極における画素の番号を示しており、（）内の英字は、画素の三原色（Ｒ、Ｇ、Ｂ）を示している。すなわち、信号線ＳＬ（０）０（Ｒ）は、駆動電極ＴＬ（０）に対応した信号線であり、０番目の画素で、三原色の赤に対応した画像信号を伝達する信号線を示している。同様に、信号線ＳＬ（１）０（Ｒ）は、駆動電極ＴＬ（０）の隣に配置されたところの駆動電極ＴＬ（１）に対応した信号線であり、０番目の画素で、三原色の赤に対応した画像信号を伝達する信号線を示している。
【００５６】
そのため、図６に示している信号線ＳＬ（１）１（Ｒ）およびＳＬ（１）１（Ｇ）のそれぞれは、駆動電極ＴＬ（１）に対応した信号線であり、１番目の画素の三原色の赤および緑に対応した画像信号を伝達する信号線を表していることになる。また、図６において、［］内の数字は、次に説明する配線層を示している。次に、図６を用いて、アクティブエリアの構造を説明する。
【００５７】
図６において、６００は、ＴＦＴガラス基板を示している。ＴＦＴガラス基板６００には、第１配線層（金属配線層）６０１が形成されている。この第１配線層６０１に形成された配線によって、走査線ＧＬ（ｐ）を構成する。第１配線層６０１の上には、絶縁層６０２が形成されており、絶縁層６０２上には、第２配線層（金属配線層）６０３が形成されている。第２配線層６０３に形成された配線によって、信号線ＳＬ（０）０（Ｒ）、ＳＬ（０）０（Ｇ）、ＳＬ（０）０（Ｂ）（１）、ＳＬ（１）０（Ｒ）、ＳＬ（１）０（Ｇ）およびＳＬ（１）０（Ｂ）が構成されている。同図では、これらの信号線が第２配線層６０３によって構成されていることを示すために、信号線の符号の後に、第２配線層を示す符号６０３を［］内に記載している。例えば、信号線ＳＬ（０）０（Ｇ）は、ＳＬ（０）０（Ｇ）［６０３］として示されている。
【００５８】
第２配線層６０３上には、絶縁層６０４が形成され、絶縁層６０４上には、第３配線層（金属配線層）６０５が形成されている。第３配線層６０５に形成された配線によって、駆動電極ＴＬ（０）、ＴＬ（１）と補助電極ＳＭが構成されている。ここで、駆動電極ＴＬ（０）、ＴＬ（１）は、透明電極（第１電極）である。また、補助電極ＳＭ（第２電極）は、駆動電極ＴＬ（０）、ＴＬ（１）と電気的に接続するように形成されている。補助電極ＳＭは、透明電極よりも抵抗値が小さい。透明電極である駆動電極ＴＬ（０）、ＴＬ（１）の抵抗値は、比較的高いが、補助電極ＳＭを駆動電極ＴＬ（０）、ＴＬ（１）と電気的に接続することにより、合成抵抗により駆動電極の抵抗を低減することが可能となっている。ここでも、駆動電極および補助電極の符号に付された［６０５］は、第３配線層６０５に形成されていることを示している。
【００５９】
第３配線層６０５上には、絶縁層６０６が形成され、絶縁層６０６の上面には画素電極ＬＤＰが形成されている。図６において、ＣＲ、ＣＢ、ＣＧのそれぞれは、カラーフィルタである。カラーフィルタＣＲ（赤）、ＣＧ（緑）、ＣＢ（青）と絶縁層６０６との間には液晶層６０７が挟まれている。ここで、画素電極ＬＤＰは、走査線と信号線との交点に設けられており、各画素電極ＬＤＰの上方に、それぞれの画素電極ＬＤＰに対応したカラーフィルタＣＲ、ＣＧあるいはＣＢが設けられている。各カラーフィルタＣＲ、ＣＧ、ＣＢ間にはブラックマトリクスＢＭが設けられている。
【００６０】
また、図６では、省略されているが、カラーフィルタＣＲ、ＣＧ、ＣＢ上には、図３（Ｂ）に示したように、ＣＦガラス基板が形成されている。
【００６１】
＜画素配列＞
次に、表示パネル２の回路構成を説明しておく。図７は、図５に示した表示パネル２の回路構成を示す回路図である。図６において、一点鎖線で示した複数個のＳＰｉｘのそれぞれは、１個の液晶表示素子（画素）を示している。画素ＳＰｉｘは、表示パネル２において、行列状に配置され、液晶素子配列（画素配列）ＬＣＤを構成している。画素配列ＬＣＤは、各行に配置され、行方向に延在する複数の走査線ＧＬ（０）〜ＧＬ（ｐ）と、各列に配置され、列方向に延在する信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）とを具備している。また、画素配列ＬＣＤは、各列に配置され、列方向に延在する駆動電極ＴＬ（０）〜ＴＬ（ｐ）を有している。図７には、走査線ＧＬ（０）〜ＧＬ（２）と、信号線ＳＬ（０）０（Ｒ）、ＳＬ（０）０（Ｇ）、ＳＬ（０）０（Ｂ）〜ＳＬ（１）０（Ｒ）、ＳＬ（１）０（Ｇ）、ＳＬ（１）０（Ｂ）と、駆動電極ＴＬ（０）、ＴＬ（１）に関する画素配列の部分が示されている。
【００６２】
図７においては、説明を容易にするために、駆動電極ＴＬ（０）、ＴＬ（１）が、それぞれの列に配置されているように、示されているが、図６において説明したように、複数の信号線に対して１個の駆動電極が配置されているものと理解されたい。勿論、図７に示すように、画素配列ＬＣＤのそれぞれの列に駆動電極を配置してもよい。
【００６３】
画素配列ＬＣＤの行と列の交点に配置されたそれぞれの画素ＳＰｉｘは、ＴＦＴガラス基板３００に形成された薄膜トランジスタＴｒと、薄膜トランジスタＴｒのソースに一方の端子が接続された液晶素子ＬＣとを具備している。画素配列ＬＣＤにおいて、同じ行に配置された複数の画素ＳＰｉｘの薄膜トランジスタＴｒのゲートは、同じ行に配置されている走査線に接続され、同じ列に配置された複数の画素ＳＰｉｘの薄膜トランジスタＴｒのドレインは、同じ列に配置された信号線に接続されている。言い換えるならば、複数の画素ＳＰｉｘが、行列状に配置され、各行には、走査線が配置され、走査線には、対応する行に配置された複数の画素ＳＰｉｘが接続されている。また、各列には信号線が配置され、信号線には、対応する列に配置された画素ＳＰｉｘが接続されている。また、同じ列に配置された複数の画素ＳＰｉｘの液晶素子ＬＣの他端は、列に配置された駆動電極に接続されている。
【００６４】
図７に示した例で説明すれば、同図において、最上段の行に配置された複数の液晶表示素子ＳＰｉｘのそれぞれの薄膜トランジスタＴｒのゲートは、最上段の行に配置された走査線ＧＬ（０）に接続されている。また、同図において、最も左側の列に配置された複数の液晶表示素子ＳＰｉｘのそれぞれの薄膜トランジスタＴｒのドレインは、最も左側の列に配置された信号線ＳＬ（０）０（Ｒ）に接続されている。また、最も左側に列に配置された複数の液晶表示素子ＳＰｉｘのそれぞれの液晶素子の他端は、図６においては、最も左側に配置された駆動電極ＴＬ（０）に接続されている。先にも述べたように、１個の駆動電極が、複数の信号線に対応している。そのため、図７に示した例では、駆動電極ＴＬ（０）は、３列に対して共通の駆動電極となっていると見なすことができる。
【００６５】
１個の画素ＳＰｉｘが、先に述べた１個の副画素（サブ画素）に対応する。従って、３個の画素ＳＰｉｘによって、Ｒ、Ｇ、Ｂの３原色の副画素が構成される。図７では、同じ行に、連続的に配置された３個の画素ＳＰｉｘによって、１つの画素Ｐｉｘが形成され、当該画素Ｐｉｘにてカラーが表現されるものとなる。すなわち、図７において、７００Ｒとして示されている画素ＳＰｉｘが、Ｒ（赤）の副画素ＳＰｉｘ（Ｒ）とされ、７００Ｇとして示されている画素ＳＰｉｘが、Ｇ（緑）の副画素ＳＰｉｘ（Ｇ）とされ、７００Ｂとして示されている画素ＳＰｉｘが、Ｂ（青）の副画素ＳＰｉｘ（Ｂ）とされる。そのために、７００Ｒとして示されている副画素ＳＰｉｘ（Ｒ）には、カラーフィルタとして赤色のカラーフィルタＣＲが設けられており、７００Ｇの副画素ＳＰｉｘ（Ｇ）には、カラーフィルタとして緑色のカラーフィルタＣＧが設けられており、７００Ｂの副画素ＳＰｉｘ（Ｂ）には、カラーフィルタとして青色のカラーフィルタＣＢが設けられている。
【００６６】
また、１つの画素を表す信号のうち、Ｒに対応する画像信号が、信号線セレクタ３から、信号線ＳＬ（０）０（Ｒ）に供給され、Ｇに対応する画像信号が、信号線セレクタ３から、信号線ＳＬ（０）０（Ｇ）に供給され、Ｂに対応する画像信号が、信号線セレクタ３から、信号線ＳＬ（０）０（Ｂ）に供給される。
【００６７】
各画素ＳＰｉｘにおける薄膜トランジスタＴｒは、特に制限されないが、Ｎチャンネル型の電界効果型トランジスタ（以下、ＭＯＳＦＥＴとも称する）である。走査線ＧＬ（０）〜ＧＬ（ｐ）には、例えばこの順番で順次ハイレベルとなるパルス状の走査線信号が、ゲートドライバ５（図５）から供給される。すなわち、画素配列ＬＣＤにおいて、上段の行に配置された走査線ＧＬ（０）から下段の行に配置された走査線ＧＬ（ｐ）に向かって、走査線の電圧が、順次ハイレベルとなる。これにより、画素配列ＬＣＤにおいて、上段の行に配置された画素ＳＰｉｘから下段の行に配置された画素ＳＰｉｘに向かって、画素ＳＰｉｘにおける薄膜トランジスタＴｒが、順次導通状態となる。
【００６８】
薄膜トランジスタＴｒが導通状態となることにより、そのとき信号線に供給されている画像信号が、導通状態の薄膜トランジスタを介して、液晶素子ＬＣに供給される。液晶素子ＬＣは、駆動電極ＴＬ（０）、ＴＬ（１）に供給されている表示用駆動信号の電圧と、供給された画像信号の電圧との間の差電圧に従って、電界が変化し、その液晶素子ＬＣを透過する光の変調が変わる。これにより、走査線ＧＬ（０）〜ＧＬ（ｐ）に供給する走査線信号に同期して、信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）に供給した画像信号に応じたカラー画像が、表示パネル２に表示されることになる。
【００６９】
複数の画素ＳＰｉｘのそれぞれは、選択端子と１対の端子とを有していると見なすことができる。この場合、画素ＳＰｉｘを構成する薄膜トランジスタＴｒのゲートが、画素ＳＰｉｘの選択端子であり、薄膜トランジスタＴｒのドレインが、１対の端子のうちの一方の端子であり、液晶素子ＬＣの他端が、画素ＳＰｉｘの他方の端子である。
【００７０】
ここで、図５に示した表示パネル２の配置と、図７に示した回路図との対応を述べておくと、次のようになる。
【００７１】
画素配列ＬＣＤは、その配列の行と実質的に平行な１対の辺と、その配列の列と実質的に平行な１対の辺とを有している。画素配列ＬＣＤの行と平行な１対の辺が、図５に示した表示パネル２の短辺２−Ｕ、２−Ｄに対応した第１辺、第２辺であり、画素ＬＣＤの列と平行な１対の辺が、表示パネル２の長辺２−L、２−Ｒに対応した第３辺、第４辺である。
【００７２】
画素配列ＬＣＤにおいて、行と平行な１対の辺のうちの第２辺、すなわち、表示パネル２の一方の短辺２−Ｄに沿って、図５に示されているように、信号セレクタ３、表示制御装置４が配置されている。画素配列ＬＣＤにおいては、この第２辺（液晶パネル２の短辺２−Ｄ）において、信号線セレクタ３を介して、表示制御装置４からの画像信号が、信号線ＳＬ（０）０（Ｒ）、ＳＬ（０）０（Ｇ）、ＳＬ（０）０（Ｂ）〜ＳＬ（ｐ）ｐ（Ｒ）、ＳＬ（ｐ）ｐ（Ｇ）、ＳＬ（ｐ）ｐ（Ｂ）に供給される。
【００７３】
また、画素配列ＬＣＤにおいて、列と平行な１対の辺（第３辺、第４辺）のうち第３辺、すなわち、表示パネル２の長辺２−Ｌに沿って、ゲートドライバ５が配置されている。画素配列ＬＣＤにおいては、この第３辺において、走査線ＧＬ（０）〜ＧＬ（ｐ）にゲートドライバ５からの走査線信号が供給される。図５では、ゲートドライバ５が、表示パネル２の長辺２−Ｌに沿って配置されていたが、ゲートドライバ５を、２個に分け、長辺２−Ｌ（画素配列ＬＣＤの第３辺）と長辺２−Ｒ（画素配列ＬＣＤの第４辺）のそれぞれに沿って配置するようにしてもよい。
【００７４】
１個の画素を構成する副画素の数が、３個の場合を説明したが、これに限定されるものではなく、例えば上記ＲＧＢに加えて白（Ｗ）や黄色（Ｙ）、又はＲＧＢの補色（シアン（Ｃ）、マゼンタ（Ｍ）、イエロー（Ｙ））のいずれか１色又は複数色を加えた副画素で１つの画素としてもよい。
【００７５】
＜図面符号の説明＞
次に、図８を用いて、実施の形態１に係わる液晶表示装置のレイアウトを説明する。また、後で図１２を用いて、実施の形態２に係わる液晶表示装置のレイアウトを説明し、図１６を用いて、実施の形態３に係わる液晶表示装置のレイアウトを説明する。さらに、図２０を用いて、実施の形態４に係わる液晶表示装置のレイアウトを説明し、図２３を用いて、実施の形態５に係わる液晶表示装置のレイアウトを説明し、図２９を用いて、実施の形態６に係わる液晶表示装置のレイアウトを説明する。
【００７６】
これらの図は、レイアウトを詳しく説明するために、複雑な図面となる。そのため、図面を見易くするために、これらの図においては、符号の簡略化をしている。ここで、レイアウトを示している図（図８、図１２、図１６、図２０、図２３および図２９）において用いている簡略化された符号と、本明細書で用いている用語との対応を示しておく。なお、符号に対応する用語は、それぞれの図を説明するときに述べるので、ここでは説明を省略する。
【００７７】
＜＜図８の符号＞＞
図８において、ＴＬ００〜ＴＬ１５は、駆動電極ＴＬ（ｎ−６）〜ＴＬ（ｎ＋９）を示しており、ＧＬ０〜ＧＬｐは、走査線ＧＬ（０）〜ＧＬ（ｐ）を示しており、Ｘｐ０〜ＸＰ２は、入出力ノードＸｐ１（ｎ−１）、Ｘｐ１（ｎ）、Ｘｐ１（ｎ−１）を示している。また、ａ００〜ａ１５は、第１スイッチＳ１（ｎ−６）〜（ｎ＋９）を示しており、ｂ００〜ｂ０２は、第２スイッチＳ２（ｎ−２）〜Ｓ２（ｎ＋１）を示しており、ｃ００〜ｃ０２は、第３スイッチＳ３（ｎ−１）〜Ｓ３（ｎ＋１）を示しており、ｄ００〜ｄ１５は、第４スイッチＳ４（ｎ−６）〜Ｓ４（ｎ＋９）を示している。
【００７８】
さらに、図８において、６１１０〜６１１３は、信号配線６０１−１（ｎ−２）〜６０１−１（ｎ＋１）を示しており、６１２０〜６１２３は、信号配線６０１−２（ｎ−２）〜６０１−２（ｎ＋１）を示しており、６１３０〜６１３３は、信号配線６０１−３（ｎ−２）〜６０１（ｎ＋１）を示している。なお、ここで、信号配線に付された符号６０１は、図６で説明した第１配線層６０１における配線であることを示している。
【００７９】
＜＜図１２の符号＞＞
図１２において、ＳＬ００〜ＳＬ１５は、信号線ＳＬ（ｎ−６）〜ＳＬ（ｎ＋９）を示しており、ＧＬ０〜ＧＬｐは、走査線ＧＬ（０）〜ＧＬ（ｐ）を示しており、Ｘｐ０〜Ｘｐ２は、入出力ノードＸｐ１（ｎ−１）〜Ｘｐ（ｎ＋１）を示している。また、図１２において、ｅ００〜ｅ１５は、第５スイッチＳ５（ｎ−６）〜（ｎ＋９）を示し、ｆ００〜ｆ１５は、第６スイッチＳ６（ｎ−６）〜Ｓ６（ｎ＋９）を示している。
【００８０】
また、図１２において、６５１０〜６５１３は、信号配線６０５−１（ｎ−２）〜６０５−１（ｎ＋１）を示し、６５２０〜６５２３は、信号配線６０５−２（ｎ−２）〜６０５−２（ｎ＋１）を示し、６５３０〜６５３３は、信号配線６０５−３（ｎ−２）〜６０５−３（ｎ＋１）を示している。ここでも、信号配線に付された符号６０５は、図６で説明した第３配線層６０５における配線であることを示している。
【００８１】
＜＜図１６の符号＞＞
図１６において、ＴＬ００〜ＴＬ１５は、駆動電極ＴＬ（ｎ−６）〜ＴＬ（ｎ＋９）を示し、ＳＬ０〜ＳＬｐは、信号線ＳＬ（０）〜ＳＬ（ｐ）を示し、Ｙｐ０〜Ｙｐ２は、入出力ノードＹｐ１（ｎ−１）〜Ｙｐ１（ｎ＋１）を示している。また、ｇ００〜ｇ１５は、第７スイッチＳ７（ｎ−６）〜Ｓ７（ｎ＋９）を示し、ｈ００は、第８スイッチＳ８（ｎ）を示し、ｉ００およびｉ０１は、第９スイッチＳ９（ｎ−１）およびＳ９（ｎ）を示している。さらに、図１６において、ｊ００〜ｊ１５は、第１０スイッチＳ１０（ｎ−６）〜Ｓ１０（ｎ＋９）を示し、ｋ００およびｋ０１は、第１１スイッチＳ１１（ｎ−１）およびＳ１１（ｎ＋１）を示し、ｌ００は、第１２スイッチＳ１２（ｎ−１）を示している。
【００８２】
また、図１６において、６３１０〜６３１３は、信号配線６０３−１（ｎ−２）〜６０３−１（ｎ＋１）を示し、６３２０〜６３２３は、信号配線６０３−２（ｎ−２）〜６０３−２（ｎ＋１）を示し、６３３０〜６３３３は、信号配線６０３−３（ｎ−２）〜６０３−３（ｎ＋１）を示している。ここで、信号配線に付された符号６０３は、図６で説明した第２配線層６０３における配線であることを示している。
【００８３】
＜＜図２０の符号＞＞
図２０において、ＧＬ００〜ＧＬ１５は、走査線ＧＬ（ｎ−６）〜ＧＬ（ｎ＋９）を示し、ＳＬ０〜ＳＬｐは、信号線ＳＬ（０）〜ＳＬ（ｐ）を示し、Ｙｐ０〜Ｙｐ２は、入出力ノードＹｐ１（ｎ−１）〜Ｙｐ１（ｎ＋１）を示している。また、図１６において、ｍ００〜ｍ１５は、第１３スイッチＳ１３（ｎ−６）〜Ｓ１３（ｎ＋９）を示し、ｎ００〜ｎ１５は、第１４スイッチＳ１４（ｎ−６）〜Ｓ１４（ｎ＋９）を示している。
【００８４】
さらに、図２０において、６３１０〜６３１３は、信号配線６０３−１（ｎ−２）〜６０３−１（ｎ＋１）を示し、６３２０〜６３２３は、信号配線６０３−２（ｎ−２）〜６０３−２（ｎ＋１）を示し、６３３０〜６３３３は、信号配線６０３−３（ｎ−２）〜６０３−３（ｎ＋１）を示している。ここでも、信号配線に付された符号６０３は、第２配線層６０３における配線であることを示している。
【００８５】
＜＜図２３の符号＞＞
図２３において、ＧＬ００〜ＧＬ１５は、走査線ＧＬ（ｎ−６）〜ＧＬ（ｎ＋９）を示しており、ｓｓ００〜ｓｓ１５は、センス線ｓｓ（ｎ−６）〜ｓｓ（ｎ＋９）を示している。また、Ｙｐ０〜Ｙｐ２は、入出力ノードＹｐ１（ｎ−１）〜Ｙｐ１（ｎ＋１）を示している。
【００８６】
さらに、図２３において、６３１０〜６３１３は、信号配線６０３−１（ｎ−２）〜６０３−１（ｎ＋１）を示し、６３２０〜６３２３は、信号配線６０３−２（ｎ−２）〜６０３−２（ｎ＋１）を示し、６３３０〜６３３３は、信号配線６０３−３（ｎ−２）〜６０３−３（ｎ＋１）を示している。ここでも、信号配線に付された符号６０３は、第２配線層６０３における配線であることを示している。
【００８７】
＜＜図２９の符号＞＞
図２９において、ＳＬ００〜ＳＬ１５は、信号配線ＳＬ（ｎ−６）〜ＳＬ（ｎ＋９）を示し、ＴＬ００〜ＴＬ１５は、駆動電極ＴＬ（ｎ−６）〜ＴＬ（ｎ＋９）を示し、Ｘｐ０〜Ｘｐ２は、入出力ノードＸｐ１（ｎ−１）〜Ｘｐ１（ｎ＋１）を示し、Ｙｐ０〜Ｙｐ２は、入出力ノードＹｐ１（ｎ−１）〜Ｙｐ１（ｎ＋９）を示している。
【００８８】
また、図２９において、ｅ００〜ｅ１５は、第５スイッチＳ５（ｎ−６）〜Ｓ５（ｎ＋９）を示し、ｆ００〜ｆ１５は、第６スイッチＳ６（ｎ−６）〜Ｓ６（ｎ＋９）を示し、ｇ００〜ｇ１５は、第７スイッチＳ７（ｎ−６）〜Ｓ７（ｎ＋９）を示し、ｈ００は、第８スイッチＳ８（ｎ）を示し、ｉ００およびｉ０１は、第９スイッチＳ９（ｎ−１）およびＳ９（ｎ）を示している。さらに、図２９において、ｊ００〜ｊ１５は、第１０スイッチＳ１０（ｎ−６）〜Ｓ１０（ｎ＋９）を示し、ｋ００およびｋ０１は、第１１スイッチＳ１１（ｎ−１）およびＳ１１（ｎ＋１）を示し、ｌ００は、第１２スイッチＳ１２（ｎ−１）を示している。
【００８９】
さらに、図２９において、６３１０〜６３１３は、信号配線６０３−１（ｎ−２）〜６０３−１（ｎ＋１）を示し、６３２０〜６３２３は、信号配線６０３−２（ｎ−２）〜６０３−２（ｎ＋１）を示し、６３３０〜６３３３は、信号配線６０３−３（ｎ−２）〜６０３−３（ｎ＋１）を示している。また。図２９において、６５１０〜６５１３は、信号配線６０５−１（ｎ−２）〜６０５−１（ｎ＋１）を示し、６５２０〜６５２３は、信号配線６０５−２（ｎ−２）〜６０５−２（ｎ＋１）を示し、６５３０〜６５３３は、信号配線６０５−３（ｎ−２）〜６０５−３（ｎ＋１）を示している。ここでも、信号配線に付された符号６０３は、第２配線層６０３における配線であることを示し、符号６０５は、第３配線層６０５における配線であることを示している。
【００９０】
＜表示パネル２のレイアウト＞
図８には、表示パネル２（図５）と、その周辺のレイアウトが示されている。同図において、２−Ｒ、２−Ｌ、２−Ｕおよび２−Ｄは、図５に示した辺２−Ｒ、２−Ｌ、２−Ｕおよび２−Ｄに対応している。また、同図は、実際の配置に合わせて描かれている。
【００９１】
この実施の形態１においては、表示パネル２、すなわち画素配列ＬＣＤ（図７）の外部（周辺領域）に調整部と切換回路とが配置されている。また、駆動電極ＴＬは、複数の駆動電極ＴＬ（０）〜ＴＬ（ｐ）により構成されており、それぞれの駆動電極ＴＬ（０）〜ＴＬ（ｐ）は、画素配列ＬＣＤの列に配置されている。すなわち、駆動電極ＴＬ（０）〜ＴＬ（ｐ）は、信号配線ＳＬ（０）〜ＳＬ（ｐ）と平行になるように配置されている。また、それぞれの駆動電極には、複数の補助電極ＳＭが設けられており、電気的に接続されている。
【００９２】
図８には、複数の駆動電極ＴＬ（０）〜ＴＬ（ｐ）のうち、代表として、駆動電極ＴＬ（ｎ−６）〜ＴＬ（ｎ＋９）が示されている。これらの駆動電極ＴＬ（ｎ−６）〜ＴＬ（ｎ＋９）のそれぞれには、複数の補助電極ＳＭが設けられているが、図８では、複数の補助電極を１本の補助電極ＳＭとして示している。なお、符号ＳＭは、図面が複雑になるのを避けるために、図８において、最も右側および左側に配置された駆動電極ＴＬ（ｎ−６）およびＴＬ（ｎ＋９）に設けられた補助電極に対してのみ付されている。
【００９３】
同図に示すように、駆動電極ＴＬ（ｎ−６）〜ＴＬ（ｎ＋９）と、それぞれに接続された補助電極ＳＭは、表示パネル２の列方向に延在し、行方向に並列的に配置されている。また、同図には、駆動電極ＴＬ（ｎ−６）〜ＴＬ（ｎ＋９）および補助電極ＳＭと交差するように配置された走査線が、走査線ＧＬ（０）〜ＧＬ（ｐ）として示されている。同図には示されていないが、信号線ＳＬ（０）〜ＳＬ（ｐ）は、駆動電極ＴＬ（ｎ−６）〜ＴＬ（ｎ＋９）および補助電極ＳＭと平行するように配置されている。
【００９４】
実施の形態１においては、タッチ検出動作を行う際に用いられるコイルが、駆動電極ＴＬ（０）〜ＴＬ（ｐ）によって形成される。コイルを形成するために、調整部によって、複数の駆動電極が電気的に接続される。また、切換回路によって、表示期間とタッチ検出期間とで、駆動電極に供給される信号を切り替える。すなわち、切換回路によって、表示の際には、駆動電極ＴＬ（０）〜ＴＬ（ｐ）に、表示用の駆動信号（表示用駆動信号）が供給され、タッチ検出動作の際には、コイルに磁界を発生させるための駆動信号（検出用駆動信号）が供給される。また、切換回路は、タッチ検出動作の際、コイルに発生した電圧の変化を伝達する。
【００９５】
この実施の形態１においては、調整部は、表示パネル２（画素配列ＬＣＤ）の辺２−Ｄおよび２−Ｕにそれぞれ沿って配置された第１調整部ＫＡＤ１と第２調整部ＫＡＤ２とを備えている。また、切換回路も、表示パネル２（画素配列ＬＣＤ）の辺２−Ｄおよび２−Ｕにそれぞれ沿って配置された第１切換回路ＤＤ１と第２切換回路ＤＤ２とを備えている。
【００９６】
調整部（第１調整部ＫＡＤ１および第２調整部ＫＡＤ２）は、複数の駆動電極および補助電極に接続されている。この調整部（第１調整部ＫＡＤ１および第２調整部ＫＡＤ２）によって、タッチ検出期間のときに、複数の駆動電極ＴＬ（０）〜ＴＬ（ｐ）および補助電極ＳＭにより、複数のコイルが形成され、それぞれのコイルの巻数が所望の巻数になるように調整される。次に、図８に示した駆動電極ＴＬ（ｎ−６）〜ＴＬ（ｎ＋９）および補助電極ＳＭを、代表として、調整部により、所望の巻数のコイルを形成する例を説明する。
【００９７】
ここでは、巻数が２回のコイルを形成する例を説明する。第１調整部ＫＡＤ１は、表示パネル２の辺２−Ｄ側において、駆動電極（ｎ−６）〜ＴＬ（ｎ＋９）および補助電極ＳＭに接続され、第２調整部ＫＡＤ２は、表示パネル２の辺２−Ｕ側において、駆動電極ＴＬ（ｎ−６）〜ＴＬ（ｎ＋９）および補助電極ＳＭに接続されている。具体的に説明すると、第１調整部ＫＡＤ１は、駆動電極ＴＬ（ｎ＋１）と駆動電極ＴＬ（ｎ＋８）との間に接続された信号配線６０１−１（ｎ）と、駆動電極ＴＬ（ｎ−５）と駆動電極ＴＬ（ｎ＋２）との間に接続された信号配線６０１−１（ｎ−１）と、駆動電極ＴＬ（ｎ＋７）に接続された信号配線６０１−１（ｎ＋１）と、駆動電極ＴＬ（ｎ−４）に接続された信号配線６０１−１（ｎ−２）とを備えている。
【００９８】
また、第２調整部ＫＡＤ２は、駆動電極ＴＬ（ｎ）と駆動電極ＴＬ（ｎ＋８）との間に接続された信号配線６０１−２（ｎ）と、駆動電極ＴＬ（ｎ＋１）と駆動電極ＴＬ（ｎ＋９）との間に接続された信号配線６０１−３（ｎ）とを備えている。さらに、第２調整部ＫＡＤ２は、駆動電極ＴＬ（ｎ−６）と駆動電極ＴＬ（ｎ＋２）との間に接続された信号配線６０１−２（ｎ−１）と、駆動電極ＴＬ（ｎ−５）と駆動電極ＴＬ（ｎ＋３）との間に接続された信号配線６０１−３（ｎ−１）を備えている。また、第２調整部ＫＡＤ２は、駆動電極ＴＬ（ｎ＋６）に接続された信号配線６０１−２（ｎ＋１）、駆動電極（ｎ＋７）に接続された信号配線６０１−３（ｎ＋１）、駆動電極ＴＬ（ｎ−４）に接続された信号配線６０１−２（ｎ−２）および駆動電極ＴＬ（ｎ−３）に接続された信号配線６０１−３（ｎ−２）を備えている。
【００９９】
このように、第１調整部ＫＡＤ１および第２調整部ＫＡＤ２において、駆動電極ＴＬ（ｎ）、ＴＬ（ｎ＋１）、ＴＬ（ｎ＋８）およびＴＬ（ｎ＋９）間を、信号配線６０１−１（ｎ）、６０１−２（ｎ）および６０１−３（ｎ）で接続することにより、一筆書きのように、これらの駆動電極ＴＬ（ｎ）、ＴＬ（ｎ＋１）、ＴＬ（ｎ＋８）およびＴＬ（ｎ＋９）を直列的に接続することができる。勿論、これらの駆動電極ＴＬ（ｎ）、ＴＬ（ｎ＋１）、ＴＬ（ｎ＋８）およびＴＬ（ｎ＋９）のそれぞれに設けられている補助電極ＳＭも直列的に接続されている。これらの駆動電極および補助電極は、互いに並列に配置されているため、互いに直列接続された複数の駆動電極ＴＬ（ｎ）、ＴＬ（ｎ＋１）、ＴＬ（ｎ＋８）、ＴＬ（ｎ＋９）および補助電極ＳＭによって、２回巻線のコイルが形成されることになる。
【０１００】
同様に、第１調整部ＫＡＤ１および第２調整部ＫＡＤ２において、駆動電極ＴＬ（ｎ−６）、ＴＬ（ｎ−５）、ＴＬ（ｎ＋２）およびＴＬ（ｎ＋３）間を、信号配線６０１−１（ｎ−１）、６０１−２（ｎ−１）および６０１−３（ｎ−１）で接続することにより、一筆書きのように、これらの駆動電極ＴＬ（ｎ−６）、ＴＬ（ｎ−５）、ＴＬ（ｎ＋２）およびＴＬ（ｎ＋３）を直列的に接続することができる。勿論、これらの駆動電極ＴＬ（ｎ−６）、ＴＬ（ｎ−５）、ＴＬ（ｎ＋２）およびＴＬ（ｎ＋３）のそれぞれに設けられている補助電極ＳＭも直列的に接続されている。これらの駆動電極および補助電極は、互いに並列に配置されているため、互いに直列接続された複数の駆動電極ＴＬ（ｎ−６）、ＴＬ（ｎ−５）、ＴＬ（ｎ＋２）、ＴＬ（ｎ＋３）および補助電極ＳＭによって、２回巻線のコイルが形成されることになる。
【０１０１】
同様にして、信号配線６０１−１（ｎ−２）、６０１−２（ｎ−２）および６０１−３（ｎ−２）により、駆動電極ＴＬ（ｎ−４）、ＴＬ（ｎ−３）および補助電極ＳＭと図示しない駆動電極および補助電極とを直列的に接続することにより、２回巻線のコイルを形成する。また、信号配線６０１−１（ｎ＋１）、６０１−２（ｎ＋１）および６０１−３（ｎ＋１）により、駆動電極ＴＬ（ｎ＋６）、ＴＬ（ｎ＋７）および補助電極ＳＭと図示しない駆動電極および補助電極とを直列的に接続することにより、２回巻線のコイルを形成する。
【０１０２】
第１切換回路ＤＤ１は、表示パネル２の辺２−Ｄ側において、駆動電極ＴＬ（ｎ−６）〜ＴＬ（ｎ＋９）に接続されている。この第１切換回路ＤＤ１は、第１スイッチＳ１（ｎ−６）〜Ｓ１（ｎ＋９）と、第２スイッチＳ２（ｎ−２）〜Ｓ２（ｎ）と、第３スイッチＳ３（ｎ−１）〜Ｓ３（ｎ＋１）とを備えている。ここで、第１スイッチＳ１（ｎ−６）〜Ｓ１（ｎ＋９）は、対応する駆動電極ＴＬ（ｎ−１）〜ＴＬ（ｎ＋９）および補助電極ＳＭと、接地電圧Ｖｓに相当する電圧ＶＣＯＭＤＣが供給される電圧配線ＶＬ１との間に接続されており、表示期間のとき、オン状態とされ、タッチ検出期間においては、オフ状態にされる。
【０１０３】
また、第２スイッチＳ２（ｎ−２）〜Ｓ２（ｎ）は、タッチ検出期間においてコイルを形成する駆動電極および補助電極と、接地電圧Ｖｓが供給される電圧配線ＶＬ２との間に接続され、タッチ検出期間においてオン状態とされ、表示期間においてはオフ状態にされる。この場合、第２スイッチＳ２は、タッチ検出期間において、コイルに接地電圧Ｖｓを供給するように機能するため、コイルを構成する複数の駆動電極（補助電極を含む）のうちの一方の端部となる駆動電極と電圧配線ＶＬ２との間に接続される。図８に示した例では、コイルを構成する複数の駆動電極のうち、一方の端部となる駆動電極は、駆動電極ＴＬ（ｎ−３）、ＴＬ（ｎ＋３）およびＴＬ（ｎ＋９）であるため、表示パネル２の辺２−Ｄ側において、これらの駆動電極ＴＬ（ｎ−３）、ＴＬ（ｎ＋３）およびＴＬ（ｎ＋９）と、電圧配線ＶＬ２との間に、第２スイッチＳ２（ｎ−２）〜Ｓ２（ｎ）が接続されている。
【０１０４】
第３スイッチＳ３（ｎ−１）〜Ｓ３（ｎ＋１）は、タッチ検出期間において、コイルを選択するスイッチである。第３スイッチＳ３（ｎ−１）〜Ｓ３（ｎ＋１）は、表示期間においては、オフ状態にされる。一方、タッチ検出期間においては、選択的にオン状態とされる。第３スイッチＳ３（ｎ−１）〜Ｓ３（ｎ＋１）は、タッチ検出期間においてコイルを形成する駆動電極（補助電極を含む）と、コイルの入出力ノードＸｐ１（ｎ−１）〜Ｘｐ１（ｎ＋１）との間に接続されている。
【０１０５】
すなわち、タッチ検出期間のとき、第３スイッチＳ３は、コイルを構成する複数の駆動電極（補助電極を含む）のうちの他方の端部となる駆動電極とコイルの入出力ノードとの間に接続される。図８に示した例では、コイルを構成する複数の駆動電極のうち、他方の端部となる駆動電極は、駆動電極ＴＬ（ｎ−６）、ＴＬ（ｎ）およびＴＬ（ｎ＋６）であるため、表示パネル２の辺２−Ｄ側において、これらの駆動電極ＴＬ（ｎ−６）、ＴＬ（ｎ）およびＴＬ（ｎ＋６）と、コイルの入出力ノードＸｐ１（ｎ−１）〜Ｘｐ１（ｎ＋１）との間に、第３スイッチＳ３（ｎ−１）〜Ｓ３（ｎ＋１）が接続されている。
【０１０６】
第２切換回路ＤＤ２は、複数の第４スイッチＳ４（ｎ−６）〜Ｓ４（ｎ＋９）を有している。これらの第４スイッチＳ４（ｎ−６）〜Ｓ４（ｎ＋９）は、表示パネル２の辺２−Ｕ側に沿って配置されており、この辺２−Ｕ側において、対応する駆動電極ＴＬ（ｎ−６）〜ＴＬ（ｎ＋９）と電圧配線ＶＬ１との間に接続されている。これらの第４スイッチＳ４（ｎ−６）〜Ｓ４（ｎ＋９）は、表示期間においてオン状態とされ、タッチ検出期間においてオフ状態とされる。
【０１０７】
表示期間において、第１スイッチＳ１（ｎ−６）〜Ｓ１（ｎ＋９）および第４スイッチＳ４（ｎ−６）〜Ｓ４（ｎ＋９）がオン状態となることにより、電圧配線ＶＬ１における電圧ＶＣＯＭＤＣが、表示用の駆動信号として、切換回路（第１切換回路ＤＤ１および第２切換回路ＤＤ２）から、それぞれの駆動電極ＴＬ（ｎ−６）〜ＴＬ（ｎ＋９）へ供給される。
【０１０８】
一方、タッチ検出期間においては、第１スイッチＳ１（ｎ−６）〜Ｓ１（ｎ＋９）および第４スイッチＳ４（ｎ−６）〜Ｓ４（ｎ＋９）がオフ状態となる。これにより、表示用の駆動信号が、切換回路からそれぞれの駆動電極ＴＬ（ｎ−６）〜ＴＬ（ｎ＋９）へ供給されなくなる。また、タッチ検出期間においては、第２スイッチＳ２（ｎ−１）〜Ｓ２（ｎ）がオン状態となるため、コイルを形成する駆動電極のうち、コイルの一方の端部となる駆動電極ＴＬ（ｎ−３）、ＴＬ（ｎ＋３）およびＴＬ（ｎ＋９）は、第２スイッチを介して、電圧配線ＶＬ２に接続され、コイルに接地電圧Ｖｓが供給される。また、タッチ検出期間においては、第３スイッチＳ３（ｎ−１）〜Ｓ３（ｎ＋１）が選択的にオン状態とされる。これにより、コイルを形成する駆動電極のうち、コイルの他方の端部となる駆動電極ＴＬ（ｎ−６）、ＴＬ（ｎ）またはＴＬ（ｎ＋６）が、第３スイッチを介して、コイルの入出力ノードＸｐ１（ｎ＋１）〜Ｘｐ１（ｎ＋１）へ接続されることになる。
【０１０９】
タッチ検出期間において、例えば第３スイッチＳ３（ｎ）をオン状態にしたとき、周期的に電圧が変化する駆動信号をコイルの入出力ノードＸｐ１（ｎ）へ供給する。これにより、駆動電極ＴＬ（ｎ）、ＴＬ（ｎ＋８）、ＴＬ（ｎ＋１）、ＴＬ（ｎ＋９）および補助電極ＳＭにより構成されたコイルの一方の端部には、接地電圧Ｖｓが供給され、他方の端部における電圧は、周期的に変化することになる。その結果、第３スイッチＳ３（ｎ）に接続されたコイルは、図２において述べたのと同様に、周期的に変化する磁界を発生する。磁界を発生した後、第３スイッチＳ３（ｎ）をオン状態に維持した状態で、コイルの入出力ノードＸｐ１（ｎ）における信号の変化を検出することにより、このコイルの近傍が、ペンによってタッチされているか否かを検出することが可能となる。
【０１１０】
第３スイッチＳ３（ｎ）を例にして述べたが、他の第３スイッチＳ３（ｎ−１）、Ｓ３（ｎ＋１）およびコイルについても同じである。
【０１１１】
ここでは、タッチ検出期間において、第３スイッチを選択的にオン状態することを述べたが、複数の第３スイッチを同時にオン状態にしてもよい。この場合、複数のコイルに対して、駆動信号が供給されることになる。そのため、タッチ検出期間を短くすることが可能となる。
【０１１２】
図８において、破線で示したＤＤＩＣは、ドライバ用半導体装置を示している。表示制御装置を半導体装置によって構成した場合、表示制御装置を構成する半導体装置が、ドライバ用半導体装置ＤＤＩＣとなる。上記の実施例においては、第１スイッチＳ１、第２スイッチＳ２、第３スイッチＳ３および第４スイッチＳ４は、ＴＦＴガラス基板６００上の薄膜トランジスタ（以下、ＴＦＴとも称する）により形成され、これらのＴＦＴを覆うようにドライバ用半導体装置ＤＤＩＣが実装されている。この場合、第１スイッチＳ１、第２スイッチＳ２、第３スイッチＳ３および第４スイッチＳ４を構成するＴＦＴは、上記したＴＦＴガラス基板６００上に形成される。具体的には、この実施の形態において、第１スイッチＳ１、第２スイッチＳ２および第３スイッチＳ３を構成するＴＦＴは、断面構造において、ドライバ用半導体装置ＤＤＩＣとＴＦＴガラス基板６００との間に挟まれるように、形成されている。すなわち、第１スイッチＳ１、第２スイッチＳ２および第３スイッチＳ３を構成するＴＦＴを覆うように、ドライバ用半導体装置ＤＤＩＣは形成されている。これにより、ＴＦＴガラス基板上の領域を有効に活用することが可能となり。価格の上昇を抑えることが可能となる。なお、図８において、３は、図５で述べた信号線セレクタである。
【０１１３】
図９は、図８で説明した駆動電極、補助電極および信号配線により形成されるコイルの構成を示す回路図である。図８に示した例では、タッチ検出期間のとき、２個のコイルＣＸ（ｎ−１）、ＣＸ（ｎ）と、２個のコイルＣＸ（ｎ−２）、ＣＸ（ｎ＋１）の一部が、構成される。ここで、コイルＣＸ（ｎ）は、コイルの入出力ノードＸｐ１（ｎ）と接地電圧Ｖｓとの間に接続された駆動電極ＴＬ（ｎ）、ＴＬ（ｎ＋１）、ＴＬ（ｎ＋８）、ＴＬ（ｎ＋９）、補助電極ＳＭおよび信号配線６０１−１（ｎ）、６０１−２（ｎ）、６０１−３（ｎ）により構成されている。また、コイルＣＸ（ｎ−１）は、駆動電極ＴＬ（ｎ−６）、ＴＬ（ｎ−５）、ＴＬ（ｎ＋２）、ＴＬ（ｎ＋３）、補助電極ＳＭおよび信号配線６０１−１（ｎ−１）、６０１−２（ｎ−１）、６０１−３（ｎ−１）により構成されている。
【０１１４】
駆動電極と補助電極とは電気的に接続されているため、補助電極と駆動電極とを合わせて明示するために、図９では、補助電極と駆動電極を「補助電極：駆動電極」の表示形式で示している。例えば、駆動電極ＴＬ（ｎ）を例にすると、駆動電極ＴＬ（ｎ）に接続された補助電極ＳＭと、駆動電極ＴＬ（ｎ）とを合わせて、「ＳＭ：ＴＬ（ｎ）」と表示している。この場合、補助電極ＳＭは、駆動電極ＴＬ（ｎ）と平行して延在し、駆動電極ＴＬ（ｎ）に接続された複数本の配線により構成されている。駆動電極ＴＬ（ｎ）に接続された補助電極ＳＭの数は一例として数十本とされる。他の駆動電極および補助電極についても同様である。
【０１１５】
コイルＣＸ（ｎ−２）〜ＣＸ（ｎ＋１）は、タッチ検出期間において、互いに隣接したコイルとして形成される。この場合、互いに隣接するコイルは、重なっている。すなわち、コイルＣＸ（ｎ−１）の一部とコイルＣＸ（ｎ）とは重なっており、コイルＣＸ（ｎ）とコイルＣＸ（ｎ＋１）とは重なっている。言い換えるならば、コイルＣＸ（ｎ）の巻線内に、コイルＣＸ（ｎ−１）の巻線とコイルＣＸ（ｎ＋１）の巻線が入り込んでいる。ここで、コイルＣＸ（ｎ）の巻線内に入り込んでいるコイルＣＸ（ｎ−１）の巻線は、駆動電極ＳＭ：ＴＬ（ｎ＋２）とＳＭ：ＴＬ（ｎ＋３）であり、コイルＣＸ（ｎ）の巻線内に入り込んでいるコイルＣＸ（ｎ＋１）の巻線は、駆動電極ＳＭ：ＴＬ（ｎ＋６）とＳＭ：ＴＬ（ｎ＋７）である。
【０１１６】
コイルは、コイルの入出力ノードに電圧を供給したとき、その巻線内（内側）の磁界が強く、巻線の外の磁界は弱い。そのため、互いに隣接するコイル間に隙間を空けると、隙間の部分の磁界が弱くなり、タッチ検出の精度が低下することが考えられる。図８および図９に示すように、互いに隣接するコイルを重なるように配置することにより、磁界の弱い部分が発生するのを防ぐことが可能となり、タッチ検出の精度が低下するのを防ぐことが可能となる。
【０１１７】
第１調整部ＫＡＤ１および第２調整部ＫＡＤ２に含まれる信号配線は、ＴＦＴガラス基板６００に形成された第１配線層６０１において形成された配線により構成されている。すなわち、図８を例にすると、信号配線６０１−１（ｎ−２）〜６０１−１（ｎ＋１）、６０２（ｎ−２）〜６０１−２（ｎ＋１）および６０１−３（ｎ−２）〜６０１−３（ｎ＋１）のそれぞれの配線は、第１配線層６０１における配線によって構成されている。この場合、これらの信号配線を構成する第１配線層の配線は、画素が形成されている表示パネル２（画素配列ＬＣＤ）の表示領域の外部（アクティブエリア外）における配線である。
【０１１８】
図１０は、図８において、アクティブエリア外の第１調整部ＫＡＤ１の領域Ｂ１−Ｂ１’およびＢ２−Ｂ２’の断面を示す断面図である。なお、図８において、アクティブエリア内の領域Ａ−Ａ’の断面は、図６において既に説明した。
【０１１９】
図１０において、［６０１］は、第１配線層の配線を示しており、［６０５］は、第３配線層の配線を示している。第１配線層６０１に形成された配線が、図８に示した信号配線６０１−１（ｎ）として用いられる。第１調整部ＫＡＤ１のＢ１−Ｂ１’断面部においては、第３配線層６０５に形成された駆動電極ＴＬ（ｎ＋１）と複数の補助電極ＳＭとが、層間配線ＳＭＣを介して、第１配線層６０１の信号配線６０１−１（ｎ）に電気的に接続されている。また、Ｂ２−Ｂ２’断面部においては、第３配線層６０５に形成された駆動電極ＴＬ（ｎ＋８）と複数の補助電極ＳＭとが、層間配線ＳＭＣを介して、第１配線層６０１の信号配線６０１−１（ｎ）に電気的に接続されている。第２調整部ＫＡＤ２においても同様に第３配線層６０５に形成された駆動電極と複数の補助電極ＳＭとが、層間配線ＳＭＣを介して、第１配線層６０１の信号配線６０１−１（ｎ）に電気的に接続されている。第１調整部ＫＡＤ１および第２調整部ＫＡＤ２は、表示パネル２のアクティブエリア外であるため、特に制限されないが、図１１に示した絶縁層６０６の上には、液晶層６０７は形成されていなくてもよい。
【０１２０】
この実施の形態１においては、コイルを形成するために、駆動電極間を接続する信号配線として、第１配線層６０１の配線が用いられている。すなわち、走査線ＧＬ（０）〜ＧＬ（ｐ）と同じ配線層６０１の配線［６０１］を、信号配線６０１−１（ｎ−２）〜６０１−１（ｎ＋１）、６０２−２（ｎ−２）〜６０１−２（ｎ＋１）および６０１−３（ｎ−２）〜６０１−３（ｎ＋１）として用いている。また、コイルの巻線として、駆動電極および補助電極を用いている。そのため、配線層を増加させることなく、コイルを形成することが可能となり、価格の上昇を抑制することが可能となる。例えば、走査線ＧＬ（０）〜ＧＬ（ｐ）を、表示パネル２のアクティブエリアに形成するとき、表示パネル２の表示領域の外側（アクティブエリア外）にも、配線を形成し、アクティブエリアの外側に形成した配線を、上記した信号配線として用いればよい。
【０１２１】
また、走査線ＧＬ（０）〜ＧＬ（ｐ）を形成するとき、アクティブエリアの外側にも、走査線ＧＬ（０）〜ＧＬ（ｐ）と平行な配線を形成し、表示パネル２の外側に形成した配線を、上記した信号配線として用いてもよい。この場合、駆動電極と接続しない部分を切断すればよい。切断して不要となった配線は残しておいても、除去してもよい。
【０１２２】
図１１は、図８において、破線の○で囲んだ領域Ｃ１を詳しく示した平面図である。図１１において、Ｒ、Ｇ、Ｂは、三原色の画素を示しており、ＴＬ（ｎ＋７）〜ＴＬ（ｎ＋９）は、駆動電極を示している。また、ＳＬ（ｎ＋６）１（Ｇ）〜ＳＬ（ｎ＋８）０（Ｇ）、ＳＬ（ｎ＋６）１（Ｂ）〜ＳＬ（ｎ＋８）０（Ｂ）およびＳＬ（ｎ＋７）０（Ｒ）〜ＳＬ（ｎ＋８）０（Ｒ）は、信号線を示しており、ＳＭは、補助電極を示している。
【０１２３】
図８に示したように、複数の補助電極ＳＭと駆動電極ＴＬ（ｎ＋８）は、第１スイッチＳ１（ｎ＋８）、第４スイッチＳ４（ｎ＋８）および信号配線６０１−１（ｎ）、６０１−２（ｎ）に接続されている。同様に、複数の補助電極ＳＭと駆動電極ＴＬ（ｎ＋７）、第１スイッチＳ１（ｎ＋７）、第４スイッチＳ４（ｎ＋７）、信号配線６０１−１（ｎ＋１）、６０１−３（ｎ＋１）に接続されている。また、複数の補助電極ＳＭと駆動電極ＴＬ（ｎ＋９）が、第１スイッチＳ１（ｎ＋９）、第２スイッチＳ２（ｎ）、第４スイッチＳ４（ｎ＋９）および信号配線６０１−３（ｎ）に接続されている。
【０１２４】
図１１では、図面が複雑になるのを避けるために、駆動電極ＴＬ（ｎ＋８）に接続されている補助電極ＳＭの数は、５本となっているが、数十本の補助電極を駆動電極ＴＬ（ｎ＋８）に接続することが望ましい。接続する補助電極の数を増やすことにより、タッチ検出のときのコイルの抵抗を低減することが可能であり、発生する磁界を強くすることが可能となる。
【０１２５】
実施の形態１においては、コイルの巻数が２になっているため、タッチ検出の際の磁界を強くすることが可能である。巻数は２に限定されず、巻数を多くすることにより、さらに発生する磁界を強くすることが可能である。勿論、巻数は１回としてもよい。
【０１２６】
第１調整部ＫＡＤ１および第２調整部ＫＡＤ２における接続を変更することにより、コイルの巻数を増やすことが可能である。また、第１調整部ＫＡＤ１および第２調整部ＫＡＤ２における接続を変更することにより、任意の駆動電極をコイルの巻線として用いることが可能である。さらに、第１調整部ＫＡＤ１および第２調整部ＫＡＤ２における接続を変更することにより、互いに隣接するコイル間での重なる量を変更することが可能である。すなわち、調整部によって、タッチ検出期間に用いられるコイルを調整することが可能となる。
【０１２７】
また、コイルの巻数が２以上であるため、ペンから発生する磁界の検出精度も高くなる。
【０１２８】
信号配線として、第１配線層６０１における配線を用いる例を説明したが、これに限定されるものではない。例えば、第２配線層における配線を信号配線６０１−１（ｎ−２）〜６０１−１（ｎ＋１）、６０２−２（ｎ−２）〜６０１−２（ｎ＋１）および６０１−３（ｎ−２）〜６０１−３（ｎ＋１）として用いてもよい。この場合には、信号線ＳＬ（０）〜ＳＬ（ｐ）を形成するときに、信号配線６０１−１（ｎ−２）〜６０１−１（ｎ＋１）、６０２−２（ｎ−２）〜６０１−２（ｎ＋１）および６０１−３（ｎ−２）〜６０１−３（ｎ＋１）として用いる配線も形成する。これにより、価格の上昇を抑制することが可能である。
【０１２９】
この実施の形態１において、駆動電極ＴＬ（０）〜ＴＬ（ｐ）は、表示期間においては、電圧ＶＣＯＭＤＣが第１切換回路ＤＤ１および第２切換回路ＤＤ２から、表示用の駆動信号として供給され、タッチ検出期間においては、第１切換回路ＤＤ１を介して、タッチ検出用の磁界を発生させるための駆動信号が供給される。そのため、駆動電極ＴＬ（０）〜ＴＬ（ｐ）は、表示用とタッチ検出の磁界発生用とに用いられる共通駆動電極と見なすことができる。
【０１３０】
（実施の形態２）
図１２は、実施の形態２に係わる液晶表示装置のレイアウトを示す平面図である。実施の形態１においては、駆動電極ＴＬを複数の駆動電極ＴＬ（０）〜ＴＬ（ｐ）により構成し、駆動電極ＴＬ（０）〜ＴＬ（ｐ）を、タッチ検出期間においては、コイルの巻線として用いていた。これに対して、実施の形態２においては、駆動電極の代わりに、信号線ＳＬ（０）〜ＳＬ（ｐ）が、タッチ検出期間において、コイルの巻線として用いられる。
【０１３１】
図８と同様に、図１２には、表示パネル２の一部が示されている。すなわち、表示パネル２のうち、信号線ＳＬ（ｎ−６）〜ＳＬ（ｎ＋９）の部分が示されている。表示パネル２の辺２−Ｄに沿って、信号セレクタ３が配置されている。同図において、複数の端子ＳＰは、表示期間のとき、表示制御装置４から画像信号が供給される端子を示している。図５において説明した信号配線Ｓｄ（０）〜Ｓｄ（ｎ）が、端子ＳＰに接続され、表示期間においては、時分割的に、画像信号が端子ＳＰに供給される。なお、図面が複雑になるのを避けるために、図１２において、符号ＳＰは、最も右側に配置された端子と最も左側に配置された端子にのみ付されている。
【０１３２】
信号線セレクタ３は、選択信号ＳＥＬ１、ＳＥＬ２に従ってスイッチ制御される複数のスイッチを有しており、端子ＳＰに供給された画像信号を適切な信号線に供給する。信号線セレクタ３におけるスイッチは、表示期間においては、選択的に端子ＳＰと信号線との間を接続するが、タッチ検出期間においては、全ての信号線と端子ＳＰとを実質的に同時に接続する。表示期間とタッチ検出期間とで、信号線と端子ＳＰとの接続が変わることを示すために、信号線セレクタ３に含まれるスイッチとして、図１２には、模式的なスイッチＳＷ１１（符号ＳＷ１１は、最も右側と最も左側のみに付している）が示されている。すなわち、図１２に示したスイッチＳＷ１１は、タッチ検出期間において、信号線ＳＬ（０）〜ＳＬ（ｐ）と端子ＳＰとを接続することを表すために、描かれている。
【０１３３】
また、図５に示した表示制御装置４は、実施の形態１と同様に、ドライブ用半導体装置ＤＤＩＣにより構成されており、第１切換回路および第１調整部を覆うように形成されている。このドライブ用半導体装置ＤＤＩＣは、タッチ検出期間においては、端子ＳＰに接続されている信号配線Ｓｄ（０）〜Ｓｄ（ｎ）をハイインピーダンス状態にする。
【０１３４】
この実施の形態２においても、調整部と切換回路とが設けられており、調整部は、表示パネル２の辺２−Ｄに沿って配置された第１調整部ＫＡＤ３と、表示パネル２の辺２−Ｕに沿って配置された第２調整部ＫＡＤ４とを備えている。また、切換回路は、表示パネル２の辺２−Ｄに沿って配置された第１切換回路ＤＤ３と、表示パネル２の辺２−Ｄに沿って配置された第２切換回路ＤＤ４とを備えている。
【０１３５】
第１調整部ＫＡＤ３および第２調整部ＫＡＤ４は、第１調整部ＫＡＤ１および第２調整部ＫＡＤ２と同様に、タッチ検出期間において用いられるコイルを調整する部分である。
【０１３６】
第１切換回路ＤＤ３は、端子ＳＰと第１調整部ＫＡＤ３との間に接続された第５スイッチＳ５（ｎ−６）〜Ｓ５（ｎ＋９）を有する。この第５スイッチＳ５（ｎ−６）〜Ｓ５（ｎ＋９）は、タッチ検出期間において同時または選択的にオン状態とされ、表示期間においてはオフ状態にされる。第１調整部ＫＡＤ３は、タッチ検出期間において、コイルの巻線となる信号線間を接続する信号配線６０５−１（ｎ−２）〜６０５−１（ｎ＋１）を有している。図１２においては、信号線ＳＬ（ｎ−６）〜ＳＬ（ｎ−３）、ＳＬ（ｎ）〜ＳＬ（ｎ＋３）およびＳＬ（ｎ＋６）〜ＳＬ（ｎ＋９）が、コイルの巻線を形成する信号線として用いられる例が示されている。
【０１３７】
第１調整部ＫＡＤ３は、これらの信号線のうち、信号線ＳＬ（ｎ−５）に対応する第５スイッチＳ５（ｎ−５）と信号線ＳＬ（ｎ＋２）に対応する第５スイッチＳ５（ｎ＋２）間を接続する信号配線６０５−１（ｎ−１）と、信号線ＳＬ（ｎ＋１）に対応する第５スイッチＳ５（ｎ＋１）と信号線ＳＬ（ｎ＋８）に対応する第５スイッチＳ５（ｎ＋８）間を接続する信号配線６０５−１（ｎ）とを備えている。また、第１調整部ＫＡＤ３は、信号線ＳＬ（ｎ−４）に対応する第５スイッチＳ５（ｎ−４）に接続された信号配線６０５−１（ｎ−２）と、信号線ＳＬ（ｎ＋７）に対応する第５スイッチＳ５（ｎ＋７）に接続された信号配線６０５−１（ｎ＋１）とを備えている。
【０１３８】
コイルを形成する信号線ＳＬ（ｎ−６）〜ＳＬ（ｎ−３）、ＳＬ（ｎ）〜ＳＬ（ｎ＋３）およびＳＬ（ｎ＋６）〜ＳＬ（ｎ＋９）のうち、信号線ＳＬ（ｎ−３）、ＳＬ（ｎ＋３）およびＳＬ（ｎ＋９）にそれぞれ対応する第５スイッチＳ５（ｎ−３）、Ｓ５（ｎ＋３）およびＳ５（ｎ＋９）は、第１調整部ＫＡＤ３において、電圧配線ＶＬ２に接続されている。また、コイルを形成する信号線ＳＬ（ｎ−６）〜ＳＬ（ｎ−３）、ＳＬ（ｎ）〜ＳＬ（ｎ＋３）およびＳＬ（ｎ＋６）〜ＳＬ（ｎ＋９）のうち、信号線ＳＬ（ｎ−６）、ＳＬ（ｎ）およびＳＬ（ｎ＋６）のそれぞれに対応する第５スイッチＳ５（ｎ−６）、Ｓ５（ｎ）およびＳ５（ｎ＋６）は、第１調整部ＫＡＤ３において、コイルの入出力ノードＸｐ１（ｎ−１）、Ｘｐ１（ｎ）およびＸｐ１（ｎ＋１）に接続されている。
【０１３９】
第２切換回路ＤＤ４は、信号線ＳＬ（０）〜ＳＬ（ｐ）と第２調整部ＫＡＤ４との間に接続された第６スイッチＳ６（ｎ−６）〜Ｓ６（ｎ＋９）を備えている。この第６スイッチＳ６（ｎ−６）〜Ｓ６（ｎ＋９）も、タッチ検出期間においてオン状態とされ、表示期間においてはオフ状態にされる。
【０１４０】
第２調整部ＫＡＤ４は、コイルを形成する信号線間を接続する複数の信号配線を備えている。図１２の例では、第２調整部ＫＡＤ４は、信号線ＳＬ（ｎ−６）に対応する第６スイッチＳ６（ｎ−６）と、信号線ＳＬ（ｎ＋２）に対応する第６スイッチＳ６（ｎ＋２）との間を接続する信号配線６０５−２（ｎ−１）と、信号線ＳＬ（ｎ−５）に対応する第６スイッチＳ６（ｎ−５）と、信号線ＳＬ（ｎ＋３）に対応する第６スイッチＳ６（ｎ＋３）との間を接続する信号配線６０５−３（ｎ−１）を有している。また、第２調整部ＫＡＤ４は、信号線ＳＬ（ｎ）に対応する第６スイッチＳ６（ｎ）と、信号線ＳＬ（ｎ＋８）に対応する第６スイッチＳ６（ｎ＋８）との間を接続する信号配線６０５−２（ｎ）と、信号線ＳＬ（ｎ＋１）に対応する第６スイッチＳ６（ｎ＋１）と、信号線ＳＬ（ｎ＋９）に対応する第６スイッチＳ６（ｎ＋９）との間を接続する信号配線６０５−３（ｎ）を有している。
【０１４１】
さらに、第２調整部ＫＡＤ４は、信号線ＳＬ（ｎ−４）に対応する第６スイッチＳ６（ｎ−４）に接続された信号配線６０５−２（ｎ−２）と、信号線ＳＬ（ｎ−３）に対応する第６スイッチＳ６（ｎ−３）に接続された信号線６０５−３（ｎ−２）と、信号線ＳＬ（ｎ＋６）に対応する第６スイッチＳ６（ｎ＋６）に接続された信号配線６０５−２（ｎ＋１）と、信号線ＳＬ（ｎ＋７）に対応する第６スイッチＳ６（ｎ＋７）に接続された信号線６０５−３（ｎ＋１）を有している。
【０１４２】
表示期間においては、第５スイッチＳ５（ｎ−６）〜Ｓ５（ｎ＋９）および第６スイッチＳ６（ｎ−６）〜Ｓ６（ｎ＋９）がオフ状態にされる。これにより、第１調整部ＫＡＤ３および第２調整部ＫＡＤ４は、信号線ＳＬ（ｎ−６）〜ＳＬ（ｎ＋９）から電気的に分離される。このとき、信号線セレクタ３は、選択信号ＳＥＬ１、ＳＥＬ２（図５）に従って、信号線ＳＬ（ｎ−６）〜ＳＬ（ｎ＋９）における適切な信号線を端子ＳＰに接続する。表示期間においては、ドライブ用半導体装置ＤＤＩＣ（表示制御装置４）からの画像信号が端子ＳＰに供給され、信号線セレクタ３を介して、適切な信号線に供給される。走査線ＧＬ（０）〜ＧＬ（ｐ）が順次ハイレベルとなることによって、表示パネル２に画像信号に従った画像の表示が行われる。
【０１４３】
一方、タッチ検出期間においては、信号線セレクタ３は、端子ＳＰと信号線ＳＬ（ｎ−６）〜ＳＬ（ｎ＋９）との間を電気的に接続する。すなわち、同図において模式的に示した全てのスイッチＳＷ１１をオン状態にする。また、タッチ検出期間においては、第５スイッチＳ５（ｎ−６）〜Ｓ５（ｎ＋９）および第６スイッチＳ６（ｎ−６）〜Ｓ６（ｎ＋９）が同時または選択的にオン状態にされる。これにより、第１調整部ＫＡＤ３および第２調整部ＫＡＤ４は、信号線ＳＬ（ｎ−６）〜ＳＬ（ｎ＋９）に電気的に接続される。このとき、ドライブ用半導体装置ＤＤＩＣ（表示制御装置４）からの信号線Ｓｄ（０）〜Ｓｄ（ｎ）はハイインピーダンス状態となっている。
【０１４４】
これにより、図１３に示すように、信号線ＳＬ（ｎ−６）〜ＳＬ（ｎ−３）、ＳＬ（ｎ）〜ＳＬ（ｎ＋３）およびＳＬ（ｎ＋６）〜ＳＬ（ｎ＋９）と、第１調整部ＫＡＤ３および第２調整部ＫＡＤ４内の信号配線によって、コイルＣＸ（ｎ−１）〜ＣＸ（ｎ＋１）が、タッチ検出期間において、形成される。例えば、コイルＣＸ（ｎ）を例にして説明すると、次のようになる。すなわち、コイルＣＸ（ｎ）は、第５スイッチＳ５（ｎ）、Ｓ５（ｎ＋１）、Ｓ５（ｎ＋８）、Ｓ５（ｎ＋９）および第６スイッチＳ６（ｎ）、Ｓ６（ｎ＋１）、Ｓ６（ｎ＋８）、Ｓ６（ｎ＋９）が同時または選択的にオン状態となることにより、信号線ＳＬ（ｎ）、ＳＬ（ｎ＋８）、ＳＬ（ｎ＋１）、ＳＬ（ｎ＋９）および信号配線６０５−１（ｎ）、６０５−２（ｎ）、６０５−３（ｎ）が、コイルの入出力ノードＸｐ１（ｎ）と接地電圧Ｖｓとの間に直列に接続される。ここで、信号線ＳＬ（ｎ）、ＳＬ（ｎ＋８）、ＳＬ（ｎ＋１）およびＳＬ（ｎ＋９）は、互いに並列的に配置されているため、巻線となる。他のコイルＣＸ（ｎ−１）等についても同様である。
【０１４５】
この実施の形態２においても、図１３に示すように、コイルＣＸ（ｎ−２）〜ＣＸ（ｎ＋１）間が、互いに重なっている。コイルＣＸ（ｎ）を例にして述べると、隣接するコイルＣＸ（ｎ−１）を構成する信号線ＳＬ（ｎ＋２）、ＳＬ（ｎ＋３）と隣接するコイルＣＸ（ｎ＋１）を構成する信号線ＳＬ（ｎ＋６）、ＳＬ（ｎ＋７）が、コイルＣＸ（ｎ）の内側に配置されている。これにより、実施の形態１と同様に、磁界の弱い部分が発生するのを防ぐことが可能となり、タッチ検出の精度が低下するのを防ぐことが可能となる。
【０１４６】
実施の形態２においても、実施の形態１と同様に、第１調整部ＫＡＤ３および第２調整部ＫＡＤ４は、表示パネル２（画素配列ＬＣＤ）のアクティブエリア外に配置されている。すなわち、第１調整部ＫＡＤ３および第２調整部ＫＡＤ４に含まれる信号配線は、表示パネル２のアクティブエリア外に配置された配線により構成されている。図１２に示した例で述べると、信号配線６０５−１（ｎ−２）〜６０５−１（ｎ＋１）、６０５−２（ｎ−２）〜６０５−２（ｎ＋１）および６０５−３（ｎ−２）〜６０５−３（ｎ＋１）は、表示パネル２のアクティブエリア外に配置された配線により構成されている。ここでは、信号配線６０５−１（ｎ）を例にして、表示パネル２のアクティブエリア外に配置された配線を用いた信号配線の構造を説明する。図１４は、図１２において、Ｂ１−Ｂ１’の断面およびＢ２−Ｂ２’の断面を示す断面図である。ここで、表示パネル２内の断面の構造は、図６に示した構造と類似しているので、説明は省略する。
【０１４７】
図１４において、［６０３］は、第２配線層の配線を示しており、［６０５］は、第３配線層の配線を示している。信号線ＳＬ（０）〜ＳＬ（ｐ）は、第２配線層に形成された配線により構成されている。表示パネル２に形成された信号線は、第１切換回路ＤＤ３および第２切換回路ＤＤ４を介して、第１調整部ＫＡＤ３および第２調整部ＫＡＤ４における第２配線層の配線に接続される。図１４において、ＳＬ（ｎ＋１）［６０３］〜ＳＬ（ｎ＋３）［６０３］およびＳＬ（ｎ＋８）［６０３］は、第１調整部ＫＡＤ３において、信号線ＳＬ（ｎ＋１）〜ＳＬ（ｎ＋３）およびＳＬ（ｎ＋８）が接続された第２配線層の配線を示している。図１２に示した信号配線６０５−１（ｎ）は、第３配線層６０５に形成された配線６０５−１（ｎ）［６０５］により構成されている。この配線６０５−１（ｎ）［６０５］は、層間配線ＳＬＣによって、配線ＳＬ（ｎ＋１）［６０３］およびＳＬ（ｎ＋８）［６０３］に接続されている。この場合、配線６０５−１（ｎ）［６０５］は、補助電極ＳＭに対応する配線と、駆動電極に対応する配線とを含んでいる。なお、第１調整部ＫＡＤ３および第２調整部ＫＡＤ４は、表示パネル２のアクティブエリア外であるため、図１４に示した絶縁層６０６の上には、液晶層６０７は形成されていなくてもよい。
【０１４８】
この実施の形態２においては、コイルを形成するために、信号線間を接続する信号配線として、第３配線層６０５の配線が用いられている。すなわち、駆動電極ＴＬおよび補助電極ＳＭと同じ配線層の配線を、信号配線６０５−１（ｎ−２）〜６０５−１（ｎ＋１）、６０５−２（ｎ−２）〜６０５−２（ｎ＋１）および６０５−３（ｎ−２）〜６０５−３（ｎ＋１）として用いている。また、コイルの巻線として、信号線を用いている。そのため、配線層を増加させることなく、コイルを形成することが可能となり、価格の上昇を抑制することが可能となる。例えば、駆動電極ＴＬおよび補助電極を、表示パネル２のアクティブエリアに形成するとき、表示パネル２の外側（アクティブエリア外）にも、配線を形成し、表示パネル２の外側に形成した配線を、上記した信号配線として用いればよい。
【０１４９】
また、駆動電極ＴＬおよび補助電極を形成するとき、表示パネル２のアクティブエリア外にも、駆動電極ＴＬおよび補助電極と平行な配線を形成し、表示パネル２の外側に形成した配線を、上記した信号配線として用いてもよい。この場合には、信号配線と接続しない部分を切断すればよい。切断して不要となった配線は残しておいても、除去してもよい。
【０１５０】
図１５は、図１２において、破線の○で囲んだ領域Ｃ１を詳しく示した平面図である。図１５において、Ｒ、Ｇ、Ｂは、三原色の画素を示しており、ＴＬは、駆動電極を示している。また、ＳＬ（ｎ＋６）１（Ｇ）〜ＳＬ（ｎ＋８）０（Ｇ）、ＳＬ（ｎ＋６）１（Ｂ）〜ＳＬ（ｎ＋８）０（Ｂ）およびＳＬ（ｎ＋７）０（Ｒ）〜ＳＬ（ｎ＋８）０（Ｒ）は、信号線を示している。
【０１５１】
この実施の形態２においては、図１２に示した信号線ＳＬ（ｎ＋８）として、図１５に示した信号線ＳＬ（ｎ＋６）１（Ｇ）〜ＳＬ（ｎ＋８）０（Ｇ）、ＳＬ（ｎ＋６）１（Ｂ）〜ＳＬ（ｎ＋８）０（Ｂ）およびＳＬ（ｎ＋７）０（Ｒ）〜ＳＬ（ｎ＋８）０（Ｒ）のうちの複数の信号線が用いられる。すなわち、信号線によってコイルを形成するとき、複数の信号線が互いに接続され、１本の信号線とされ、コイルの巻線とされる。これにより、実施の形態１と同様に、コイルの抵抗を低減することが可能となる。この場合、例えば数十本の信号線を、互いに電気的に接続して、コイルの巻線として用いることが望ましい。
【０１５２】
実施の形態２においても、コイルの巻数が２になっているため、タッチ検出の際の磁界を強くすることが可能である。勿論、巻数は２に限定されない。
【０１５３】
第１調整部ＫＡＤ３および第２調整部ＫＡＤ４における接続を変更することにより、コイルの巻数を増やすことが可能である。また、第１調整部ＫＡＤ３および第２調整部ＫＡＤ４における接続を変更することにより、任意の信号線をコイルの巻線として用いることが可能である。さらに、第１調整部ＫＡＤ３および第２調整部ＫＡＤ４における接続を変更することにより、互いに隣接するコイル間での重なる量を変更することが可能である。すなわち、調整部によって、タッチ検出期間に用いられるコイルを調整することが可能となる。
【０１５４】
また、コイルの巻数が２以上であるため、ペンから発生する磁界の検出精度も高くなる。
【０１５５】
信号配線として、第３配線層６０５における配線を用いる例を説明したが、これに限定されるものではない。例えば、第１配線層における配線を信号配線６０５−１（ｎ−２）〜６０５−１（ｎ＋１）、６０５−２（ｎ−２）〜６０５−２（ｎ＋１）および６０５−３（ｎ−２）〜６０５−３（ｎ＋１）として用いてもよい。この場合には、走査線ＧＬ（０）〜ＧＬ（ｐ）を形成するときに、信号配線６０５−１（ｎ−２）〜６０５−１（ｎ＋１）、６０５−２（ｎ−２）〜６０５−２（ｎ＋１）および６０５−３（ｎ−２）〜６０５−３（ｎ＋１）として用いる配線が形成されることになり、この場合にも価格の上昇を抑制することが可能である。
【０１５６】
この実施の形態２において、信号線ＳＬ（０）〜ＳＬ（ｐ）には、表示期間においては、画像信号が供給され、タッチ検出期間においては、第１切換回路ＤＤ３を介して、タッチ検出用の磁界を発生させるための駆動信号が供給される。そのため、信号線ＳＬ（０）〜ＳＬ（ｐ）は、表示用とタッチ検出の磁界発生用とに用いられる共通信号線と見なすことができる。
【０１５７】
実施の形態２においては、タッチ検出期間のとき、信号線ＳＬ（０）〜ＳＬ（ｐ）は、第１切換回路ＤＤ３を介して第１調整部ＫＡＤ３に接続される。そのため、タッチ検出期間のとき、第１切換回路ＤＤ３と第１調整部ＫＡＤ３とによって、複数の信号線が互いに接続され、コイルを形成すると見なすことができる。このように見なした場合、第１調整部ＫＡＤ３と第１切換回路ＤＤ３とによって、第１調整選択部が構成されていると見なすことができる。同様に、第２切換回路ＤＤ４と第２調整部ＫＡＤ４とによって、第２調整選択部が構成されていると見なすことができる。さらに、液晶表示装置１は、表示パネル２の辺２−Ｄに沿って配置された第１調整選択部と、表示パネル２の辺２−Ｕに沿って配置された第２調整選択部とを有する調整選択部を備えていると見なすことができる。
【０１５８】
（実施の形態３）
図１６は、実施の形態３に係わる液晶表示装置のレイアウトを示す平面図である。実施の形態１においては、信号線ＳＬ（０）〜ＳＬ（ｐ）と平行するように配置された複数の駆動電極ＴＬ（０）〜ＴＬ（ｐ）および補助電極ＳＭを、タッチ検出期間において、コイルの巻線として用いていた。これに対して、実施の形態３においては、信号線ＳＬ（０）〜ＳＬ（ｐ）と交差するように複数の駆動電極ＴＬ（０）〜ＴＬ（ｐ）および補助電極ＳＭが配置され、これらの駆動電極ＴＬ（０）〜ＴＬ（ｐ）および補助電極ＳＭが、タッチ検出期間において、コイルの巻線として用いられる。
【０１５９】
この実施の形態３において、信号線ＳＬ（０）〜ＳＬ（ｐ）は、図５に示した表示パネル２（画素配列ＬＣＤ）の辺２−Ｒ、２−Ｌに平行に配置され、駆動電極ＴＬ（０）〜ＴＬ（ｐ）は、表示パネル２の辺２−Ｕ、２−Ｄに平行に配置されている。この場合、信号線セレクタ３および表示制御装置４（ドライブ用半導体装置ＤＤＩＣ）は、図５に示すように、表示パネル２の辺２−Ｄに沿って配置されている。
【０１６０】
図１６には、表示パネル２の一部分が示されている。すなわち、駆動電極ＴＬ（ｎ−６）〜ＴＬ（ｎ＋９）および補助電極ＳＭに関連する部分が示されている。この実施の形態においても、表示パネル２のアクティブアリア外に、調整部と切換回路とが配置されており、調整部は、表示パネル２の辺２−Ｒに沿って配置された第１調整部ＫＡＤ５と、表示パネル２の辺２−Ｌに沿って配置された第２調整部ＫＡＤ６とを備えている。また、切換回路も、表示パネル２の辺２−Ｒに沿って配置された第１切換回路ＤＤ５と、表示パネル２の辺２−Ｌに沿って配置された第２切換回路ＤＤ６とを備えている。以下、図１６に示した表示パネル２の部分に基づいて、説明する。なお、図面が複雑になるのを避けるために、補助電極の符号ＳＭは、駆動電極ＴＬ（ｎ−６）およびＴＬ（ｎ＋９）に設けられた補助電極のみに付されている。
【０１６１】
図１６においても、タッチ検出期間のとき、図８と同様に、駆動電極ＴＬ（ｎ−６）〜ＴＬ（ｎ−３）、ＴＬ（ｎ）〜ＴＬ（ｎ＋３）、ＴＬ（ｎ＋６）〜ＴＬ（ｎ＋９）およびこれらの駆動電極上に形成されている補助電極ＳＭによって、コイルＣＹ（ｎ−２）〜ＣＹ（ｎ＋１）が構成される。コイルＣＹ（ｎ−２）〜ＣＹ（ｎ＋１）は、信号線ＳＬ（０）〜ＳＬ（ｐ）と交差する方向に配置される。すなわち、コイルＣＹ（ｎ−２）〜ＣＹ（ｎ＋１）のそれぞれは、表示パネル２の横方向（行方向）に延在し、縦方向（列方向）に並列に配置される。また、駆動電極ＴＬ（ｎ）、ＴＬ（ｎ＋１）、ＴＬ（ｎ＋８）およびＴＬ（ｎ＋９）が、コイルＣＹ（ｎ）の巻線として用いられ、駆動電極ＴＬ（ｎ−６）、ＴＬ（ｎ−５）、ＴＬ（ｎ＋２）およびＴＬ（ｎ＋３）が、コイルＣＹ（ｎ−１）の巻線として用いられる。さらに、駆動電極ＴＬ（ｎ−３）およびＴＬ（ｎ−４）は、コイルＣＹ（ｎ−２）の巻線として用いられ、駆動電極ＴＬ（ｎ＋６）およびＴＬ（ｎ＋７）は、コイルＣＹ（ｎ＋１）の巻線として用いられている。
【０１６２】
特に制限されないが、この実施の形態３においては、コイルの入出力ノードＹｐ１（ｎ−１）〜ＹＰ１（ｎ＋１）は、第１切換回路ＤＤ５と第２切換回路ＤＤ６とに交互に設けられている。すなわち、コイルＣＹ（ｎ−１）とコイルＣＹ（ｎ＋１）の入出力ノードＹｐ１（ｎ−１）と入出力ノードＹｐ１（ｎ＋１）は、第２切換回路ＤＤ６に設けられ、コイルＣＹ（ｎ）の入出力ノードＹｐ１（ｎ）は、第１切換回路ＤＤ５に設けられている。
【０１６３】
第１調整部ＫＡＤ５は、表示パネル２の辺２−Ｒ側において、駆動電極および補助電極と接続された信号配線６０３−１（ｎ）、６０３−１（ｎ−２）、６０３−２（ｎ−１）、６０３−２（ｎ＋１）、６０３−３（ｎ−１）、６０３−３（ｎ＋１）を備えている。ここで、信号配線６０３−１（ｎ）は、駆動電極ＴＬ（ｎ＋１）および補助電極ＳＭと、駆動電極ＴＬ（ｎ＋８）および補助電極ＳＭを接続している。また、信号配線６０３−２（ｎ−１）は、駆動電極ＴＬ（ｎ−５）および補助電極ＳＭと、駆動電極ＴＬ（ｎ＋３）および補助電極ＳＭを接続しており、信号配線６０３−３（ｎ−１）は、駆動電極ＴＬ（ｎ−６）および補助電極ＳＭと、駆動電極ＴＬ（ｎ＋２）および補助電極ＳＭを接続している。さらに、信号配線６０３−１（ｎ−２）は、駆動電極ＴＬ（ｎ−４）および補助電極ＳＭに接続されており、信号配線６０３−２（ｎ＋１）は、駆動電極ＴＬ（ｎ＋７）および補助電極ＳＭに接続されており、信号配線６０３−３（ｎ＋１）は、駆動電極ＴＬ（ｎ＋６）および補助電極ＳＭに接続されている。
【０１６４】
また、第２調整部ＫＡＤ６は、表示パネル２の辺２−Ｌ側において、駆動電極と接続された信号配線６０３−１（ｎ−１）、６０３−２（ｎ）、６０３−３（ｎ）、６０３−１（ｎ＋１）、６０３−２（ｎ−２）、６０３−３（ｎ−２）を備えている。ここで、信号配線６０３−１（ｎ−１）は、駆動電極ＴＬ（ｎ−５）および補助電極ＳＭと、駆動電極ＴＬ（ｎ＋２）および補助電極ＳＭを接続している。また、信号配線６０３−２（ｎ）は、駆動電極ＴＬ（ｎ）および補助電極ＳＭと、駆動電極ＴＬ（ｎ＋８）および補助電極ＳＭを接続しており、信号配線６０３−３（ｎ）は、駆動電極ＴＬ（ｎ＋１）および補助電極ＳＭと、駆動電極ＴＬ（ｎ＋９）および補助電極ＳＭを接続している。さらに、信号配線６０３−３（ｎ−２）は、駆動電極ＴＬ（ｎ−３）および補助電極ＳＭに接続されており、信号配線６０３−２（ｎ−２）は、駆動電極ＴＬ（ｎ−４）および補助電極ＳＭに接続されており、信号配線６０３−１（ｎ＋１）は、駆動電極ＴＬ（ｎ＋７）および補助電極ＳＭに接続されている。
【０１６５】
これにより、図１７に示すように、コイルＣＹ（ｎ＋１）〜ＣＹ（ｎ−２）が、駆動電極、補助電極および信号配線により構成される。図１７における補助電極と駆動電極の表示形式は、図９と同じである。
【０１６６】
第１切換回路ＤＤ５は、第７スイッチＳ７（ｎ−６）〜Ｓ７（ｎ＋９）、第８スイッチＳ（ｎ）および第９スイッチＳ（ｎ）、（ｎ−２）を備えている。第７スイッチＳ７（ｎ−６）〜Ｓ７（ｎ＋９）は、表示パネル２の辺２−Ｒ側において、駆動電極ＴＬ（ｎ−６）〜ＴＬ（ｎ＋９）および補助電極ＳＭと電圧配線ＶＬ１との間に接続されており、この第７スイッチは、タッチ検出期間においてオフ状態となり、表示期間において同時または選択的にオン状態となる。第８スイッチＳ８は、表示パネル２の辺２−Ｒ側において、駆動電極ＴＬ（ｎ）および補助電極ＳＭと入出力ノードＹｐ１（ｎ）との間に接続されている。また、第９スイッチＳ９（ｎ）は、表示パネル２の辺２−Ｒ側において、駆動電極ＴＬ（ｎ＋９）および補助電極ＳＭと電圧配線ＶＬ２との間に接続され、第９スイッチＳ９（ｎ−２）は、表示パネル２の辺２−Ｒ側において、駆動電極ＴＬ（ｎ−３）および補助電極ＳＭと電圧配線ＶＬ２との間に接続されている。
【０１６７】
第２切換回路ＤＤ６は、第１切換回路ＤＤ５と同様な構成を有している。すなわち、第２切換回路ＤＤ６は、第１０スイッチＳ１０（ｎ−６）〜Ｓ１０（ｎ＋９）、第１１スイッチＳ１１（ｎ＋１）、Ｓ１１（ｎ−１）および第１２スイッチＳ１２（ｎ−１）を備えている。第１０スイッチＳ１０（ｎ−６）〜Ｓ１０（ｎ＋９）は、表示パネル２の辺２−Ｌ側において、駆動電極ＴＬ（ｎ−６）〜ＴＬ（ｎ＋９）および補助電極ＳＭと電圧配線ＶＬ１との間に接続されており、この第１０スイッチは、タッチ検出期間においてオフ状態となり、表示期間において同時または選択的にオン状態となる。
【０１６８】
第１１スイッチＳ１１（ｎ−１）は、表示パネル２の辺２−Ｌ側において、駆動電極ＴＬ（ｎ−６）および補助電極ＳＭと入出力ノードＹｐ１（ｎ−１）との間に接続され、第１１スイッチＳ１１（ｎ＋１）は、表示パネル２の辺２−Ｌ側において、駆動電極ＴＬ（ｎ＋６）および補助電極ＳＭと入出力ノードＹｐ１（ｎ＋１）との間に接続されている。また、第１２スイッチＳ１２（ｎ−１）は、表示パネル２の辺２−Ｌ側において、駆動電極ＴＬ（ｎ＋３）および補助電極ＳＭと電圧配線ＶＬ２との間に接続されている。
【０１６９】
第８スイッチＳ８（ｎ）および第１１スイッチＳ１１（ｎ−１）、Ｓ１１（ｎ＋１）は、表示期間においてオフ状態にされ、タッチ検出期間においては、同時または選択的にオン状態にされる。また、第９スイッチＳ９（ｎ−２）、Ｓ９（ｎ）および第１２スイッチＳ１２（ｎ−１）は、表示期間においてはオフ状態にされ、タッチ検出期間においてはオン状態にされる。
【０１７０】
表示期間においては、第７スイッチＳ７（ｎ−６）〜Ｓ７（ｎ＋９）および第１０スイッチＳ１０（ｎ−６）〜Ｓ１０（ｎ＋９）が同時または選択的にオン状態となる。これにより、駆動電極ＴＬ（ｎ−６）〜ＴＬ（ｎ＋９）には、表示用の駆動信号として、電圧配線ＶＬ１における電圧ＶＣＯＭＤＣが供給されることになる。すなわち、第１切換回路ＤＤ５および第２切換回路ＤＤ６の両方から、駆動電極ＴＬ（ｎ−６）〜ＴＬ（ｎ＋９）へ、表示用の駆動信号が供給されることになる。
【０１７１】
これに対して、タッチ検出期間においては、第７スイッチＳ７（ｎ−６）〜Ｓ７（ｎ＋９）および第１０スイッチＳ１０（ｎ−６）〜Ｓ１０（ｎ＋９）がオフ状態となるため、駆動電極ＴＬ（ｎ−６）〜ＴＬ（ｎ＋９）は、電圧配線ＶＬ１から分離されることになる。このとき、第９スイッチＳ９（ｎ）、Ｓ９（ｎ−２）および第１２スイッチＳ１２（ｎ−１）がオン状態となることにより、コイルＣＹ（ｎ）、ＣＹ（ｎ−１）およびＣＹ（ｎ−２）の一方の端部は、第９スイッチおよび第１２スイッチを介して、図１７に示されているように、電圧配線ＶＬ２に接続され、接地電圧Ｖｓが供給される。
【０１７２】
また、タッチ検出期間において、第８スイッチＳ８（ｎ）および第１１スイッチＳ１１（ｎ−１）〜Ｓ１１（ｎ＋１）をオン状態にすることにより、図１７に示すように、コイルＣＹ（ｎ−１）〜ＣＹ（ｎ＋１）の他方の端部は、入出力ノードＹｐ１（ｎ−１）〜Ｙｐ１（ｎ＋１）に接続される。図１７に示したコイルＣＹ（ｎ）を例にして説明すると、入出力ノードＹｐ１（ｎ）と接地電圧Ｖｓとの間に、駆動電極ＴＬ（ｎ）、ＴＬ（ｎ＋１）、ＴＬ（ｎ＋８）、ＴＬ（ｎ＋９）および信号配線６０３−１（ｎ）、６０３−２（ｎ）、６０３−３（ｎ）が直列に接続される。駆動電極ＴＬ（ｎ）、ＴＬ（ｎ＋１）、ＴＬ（ｎ＋８）、ＴＬ（ｎ＋９）は、互いに平行に配置されているため、コイルＣＹ（ｎ）が形成されることになる。他のコイルも同様である。
【０１７３】
実施の形態３においても、実施の形態１および２と同様に、第１調整部ＫＡＤ５および第２調整部ＫＡＤ６は、表示パネル２（画素配列ＬＣＤ）のアクティブアリア外に配置されている。すなわち、第１調整部ＫＡＤ５および第２調整部ＫＡＤ６に含まれる信号配線は、表示パネル２のアクティブエリア外に配置された配線により構成されている。図１６に示した例で述べると、信号配線６０３−１（ｎ−２）〜６０３−１（ｎ＋１）、６０３−２（ｎ−２）〜６０３−２（ｎ＋１）および６０３−３（ｎ−２）〜６０３−３（ｎ＋１）は、表示パネル２のアクティブエリア外に配置された配線により構成されている。ここでは、信号配線６０３−１（ｎ）を例にして、表示パネル２のアクティブエリア外に配置された配線を用いた信号配線の構造を説明する。図１８は、図１６において、Ｂ１−Ｂ１’の断面およびＢ２−Ｂ２’の断面を示す断面図である。ここで、表示パネル２内における断面の構造は、図６に示した構造と類似しているので、説明は省略する。
【０１７４】
図１８において、［６０３］は、第２配線層６０３の配線を示しており、［６０５］は、第３配線層６０５の配線を示している。駆動電極ＴＬ（０）〜ＴＬ（ｐ）および補助電極ＳＭは、第３配線層に形成された配線により構成されている。表示パネル２に形成された駆動電極ＴＬ（０）〜ＴＬ（ｐ）および補助電極ＳＭは、表示パネル２のアクティブエリア外に配置された第１調整部ＫＡＤ５および第２調整部ＫＡＤ６まで、延在している。図１８には、第１調整部ＫＡＤ５まで延在している駆動電極ＴＬ（ｎ＋１）、ＴＬ（ｎ＋８）およびこれらの駆動電極上に配置された補助電極ＳＭが示されている。図１８では、駆動電極ＴＬ（ｎ＋１）、ＴＬ（ｎ＋８）および補助電極ＳＭが、第３配線層６０５の配線により構成されていることを明示するために、ＴＬ（ｎ＋１）［６０５］、ＴＬ（ｎ＋８）およびＳＭ［６０５］として示されている。
【０１７５】
第１調整回路ＫＡＤ５を例にして説明したが、第２調整部ＫＡＤ６においても同様に第３配線層６０５に形成された駆動電極と複数の補助電極ＳＭとが、層間配線ＳＬＣを介して、第２配線層６０３の信号配線、例えば信号配線６０３−３（ｎ）に電気的に接続されている。
【０１７６】
また、第１調整回路ＫＡＤ５および／または第２調整回路ＫＡＤ６において、第３配線層６０５に形成された駆動電極（複数の補助電極ＳＭを含む）間を接続する信号配線は、第２配線層６０３に形成された信号配線に限定されず、第１配線層６０１に形成された信号配線を用いてもよい。
【０１７７】
この実施の形態３において、第１調整部ＫＡＤ５および第２調整部ＫＡＤに含まれている信号配線は、第２配線層の配線により構成されている。すなわち、信号配線６０３−１（ｎ）は、第２配線層６０３に形成された配線６０３−１（ｎ）［６０３］により構成されている。この配線６０３−１（ｎ）［６０３］は、層間配線ＳＬＣによって、駆動電極ＴＬ（ｎ＋１）［６０５］および補助電極ＳＭ［６０５］と、駆動電極ＴＬ（ｎ＋８）［６０５］および補助電極ＳＭ［６０５］に接続されている。なお、第１調整部ＫＡＤ５および第２調整部ＫＡＤ６は、表示パネル２のアクティブエリア外であるため、図１８に示した絶縁層６０６の上には、液晶層６０７は形成されていなくてもよい。
【０１７８】
この実施の形態３においては、コイルを形成するために、駆動電極間を接続する信号配線として、第２配線層６０３の配線が用いられている。すなわち、信号線ＳＬ（０）〜ＳＬ（ｐ）と同じ配線層の配線を、信号配線６０３−１（ｎ−２）〜６０３−１（ｎ＋１）、６０３−２（ｎ−２）〜６０３−２（ｎ＋１）および６０３−３（ｎ−２）〜６０３−３（ｎ＋１）として用いている。また、コイルの巻線として、駆動電極および補助電極を用いている。そのため、配線層を増加させることなく、コイルを形成することが可能となり、価格の上昇を抑制することが可能となる。
【０１７９】
信号線ＳＬ（０）〜ＳＬ（ｐ）を形成するとき、表示パネル２のアクティブエリア外にも、信号線ＳＬ（０）〜ＳＬ（ｐ）と平行な配線を形成し、表示パネル２の外側に形成した配線を、上記した信号配線として用いてもよい。この場合には、駆動電極と接続しない部分を切断すればよい。切断して不要となった配線は残しておいても、除去してもよい。
【０１８０】
図１９は、図１６において、破線の○で囲んだ領域Ｃ１を詳しく示した平面図である。図１９において、Ｒ、Ｇ、Ｂは、三原色の画素を示しており、ＴＬ（ｎ−１）〜ＴＬ（ｎ＋１）は、駆動電極を示している。また、ＳＭは、補助電極を示しており、駆動電極と電気的に接続されている。さらに、同図において、ＧＬ（ｎ−２）〜ＧＬ（ｎ＋３）は、走査線を示している。
【０１８１】
図１９に示されているように、１個の駆動電極ＴＬ（ｎ）に対して複数個の補助電極ＳＭが接続されている。例えば、数十本の補助電極ＳＭが、駆動電極ＴＬ（ｎ）と平行に延在し、駆動電極ＴＬ（ｎ）に接続されている。これにより、駆動電極および補助電極ＳＭによってコイルを形成するとき、コイルの抵抗を低減することが可能となる。
【０１８２】
実施の形態３においても、コイルの巻数が２になっているため、タッチ検出の際の磁界を強くすることが可能である。勿論、巻数は２に限定されない。
【０１８３】
第１調整部ＫＡＤ５および第２調整部ＫＡＤ６における接続を変更することにより、コイルの巻数を増やすことが可能である。また、第１調整部ＫＡＤ５および第２調整部ＫＡＤ６における接続を変更することにより、任意の駆動電極をコイルの巻線として用いることが可能である。さらに、第１調整部ＫＡＤ５および第２調整部ＫＡＤ６における接続を変更することにより、互いに隣接するコイル間での重なる量を変更することが可能である。すなわち、調整部によって、タッチ検出期間に用いられるコイルを調整することが可能となる。
【０１８４】
また、コイルの巻数が２以上であるため、ペンから発生する磁界の検出精度も高くなる。
【０１８５】
信号配線として、第２配線層６０３における配線を用いる例を説明したが、これに限定されるものではない。例えば、第１配線層６０１における配線を信号配線として用いてもよいし、第３配線層６０５における配線を信号配線として用いてもよい。
【０１８６】
この実施の形態３においても、駆動電極ＴＬ（０）〜ＴＬ（ｐ）は、表示用とタッチ検出の磁界発生用とに用いられる共通電極と見なすことができる。
【０１８７】
さらに、実施の形態３では、コイルの入出力ノードＹｐ１（ｎ）、Ｙｐ１（ｎ＋１）、Ｙｐ１（ｎ−１）が、表示パネル２の辺２−Ｒおよび２−Ｌにおいて、交互に配置されるため、コイルへ供給する駆動信号が、表示パネル２の両辺に分散されることになる。これにより、表示パネル２の辺２−Ｒおよび２−Ｌにおける額縁が大きくなるのを防ぐことが可能となる。
【０１８８】
（実施の形態４）
図２０は、実施の形態４に係わる液晶表示装置のレイアウトを示す平面図である。実施の形態１〜３と異なり、実施の形態４においては、走査線ＧＬ（０）〜ＧＬ（ｐ）によって、タッチ検出期間のとき、コイルが構成される。
【０１８９】
図２０には、表示パネル２のうち、走査線ＧＬ（ｎ−６）〜ＧＬ（ｎ＋９）に関係する部分が示されている。以下、図２０を用いて、実施の形態４を説明する。
【０１９０】
図２０において、５−Ｒ（ｎ−６）〜５−Ｒ（ｎ＋９）および５−Ｌ（ｎ−６）〜５−Ｌ（ｎ＋９）は、ゲートドライバ５に含まれる単位ゲートドライバを示している。同図では、図面が複雑になるのを避けるために、同図において、最上段に描いた単位ゲートドライバと最下段に描いた単位ゲートドライバについてのみ、符号５−Ｒ（ｎ−６）、５−Ｌ（ｎ−６）および５−Ｒ（ｎ＋９）、５−Ｌ（ｎ＋９）が付されている。図２０においては、ゲートドライバ５（図５）も、表示パネル２のアクティブエリア外に配置されている。すなわち、単位ゲートドライバ５−Ｒ（ｎ−６）〜５−Ｒ（ｎ＋９）は、表示パネル２の辺２−Ｒに沿って配置されており、単位ゲートドライバ５−Ｌ（ｎ−６）〜５−Ｌ（ｎ＋９）は、表示パネル２−Ｌに沿って配置されている。
【０１９１】
単位ゲートドライバ５−Ｒ（ｎ−６）〜５−Ｒ（ｎ＋９）および５−Ｌ（ｎ−６）〜５−Ｌ（ｎ＋９）は、表示期間においては、順次ハイレベルとなる走査線信号を出力し、対応する走査線ＧＬ（ｎ−６）〜ＧＬ（ｎ＋９）へ供給する。これに対して、単位ゲートドライバ５−Ｒ（ｎ−６）〜５−Ｒ（ｎ＋９）および５−Ｌ（ｎ−６）〜５−Ｌ（ｎ＋９）は、タッチ検出期間のとき、その出力をハイインピーダンス状態にする。
【０１９２】
実施の形態４においても、調整部および切換回路が、表示パネル２のアクティブエリア外に配置されている。調整部は、表示パネル２の辺２−Ｒに沿って配置された第１調整部ＫＡＤ７と、表示パネル２の辺２−Ｌに沿って配置された第２調整部ＫＡＤ８とを備えている。また、切換回路は、辺２−Ｒに沿って配置された第１切換回路ＤＤ７と、辺２−Ｌに沿って配置された第２切換回路ＤＤ８とを備えている。
【０１９３】
第１切換回路ＤＤ７は、辺２−Ｒ側において、走査線ＧＬ（ｎ−６）〜ＧＬ（ｎ＋９）と第１調整部ＫＡＤ７との間に接続されている。すなわち、第１切換回路ＤＤ７は、走査線ＧＬ（ｎ−６）〜ＧＬ（ｎ＋９）と第１調整部ＤＤ７との間に接続された第１３スイッチＳ１３（ｎ−６）〜Ｓ１３（ｎ＋９）を備えている。単位ゲートドライバ５−Ｒ（ｎ−６）〜５−Ｒ（ｎ＋９）の出力も、辺２―Ｒ側において、走査線に接続されているため、第１切換回路ＤＤ７は、単位ゲートドライバの出力と第１調整部ＫＡＤ７との間に接続されていると見なすこともできる。
【０１９４】
第２切換回路ＤＤ８は、辺２−Ｌ側において、走査線ＧＬ（ｎ−６）〜ＧＬ（ｎ＋９）と第２調整部ＫＡＤ８との間に接続されている。すなわち、第２切換回路ＤＤ８は、走査線ＧＬ（ｎ−６）〜ＧＬ（ｎ＋９）と第２調整部ＤＤ８との間に接続された第１４スイッチＳ１４（ｎ−６）〜Ｓ１４（ｎ＋９）を備えている。単位ゲートドライバ５−Ｌ（ｎ−６）〜５−Ｌ（ｎ＋９）の出力も、辺２―Ｌ側において、走査線に接続されているため、第２切換回路ＤＤ８は、単位ゲートドライバの出力と第２調整部ＫＡＤ８との間に接続されていると見なすこともできる。
【０１９５】
この実施の形態４においては、走査線ＧＬ（ｎ−６）〜ＧＬ（ｎ−３）、ＧＬ（ｎ）〜ＧＬ（ｎ＋３）、ＧＬ（ｎ＋６）〜ＧＬ（ｎ＋９）によって、コイルＣＹ（ｎ−２）〜ＣＹ（ｎ＋１）が構成される。この場合、走査線ＧＬ（ｎ）、ＧＬ（ｎ＋１）、ＧＬ（ｎ＋８）およびＧＬ（ｎ＋９）が、コイルＣＹ（ｎ）の巻線として用いられ、走査線ＧＬ（ｎ−６）、ＧＬ（ｎ−５）、ＧＬ（ｎ＋２）およびＧＬ（ｎ＋３）が、コイルＣＹ（ｎ−１）の巻線として用いられる。また、走査線ＧＬ（ｎ−３）およびＧＬ（ｎ−４）は、コイルＣＹ（ｎ−２）の巻線として用いられ、走査線ＧＬ（ｎ＋６）およびＧＬ（ｎ＋７）は、コイルＣＹ（ｎ＋１）の巻線として用いられる。
【０１９６】
この実施の形態４においても、コイルの入出力ノードＹｐ１（ｎ−１）〜ＹＰ１（ｎ＋１）は、第１切換回路ＤＤ７と第２切換回路ＤＤ８とに交互に設けられている。すなわち、コイルＣＹ（ｎ−１）とコイルＣＹ（ｎ＋１）の入出力ノードＹｐ１（ｎ−１）と入出力ノードＹｐ１（ｎ＋１）は、第２切換回路ＤＤ８に設けられ、コイルＣＹ（ｎ）の入出力ノードＹｐ１（ｎ）は、第１切換回路ＤＤ７に設けられている。
【０１９７】
第１調整部ＫＡＤ７は、第１３スイッチＳ１３（ｎ−６）〜Ｓ１３（ｎ＋９）がオン状態にされたとき、すなわち、タッチ検出期間のとき、走査線と接続される信号配線６０３−１（ｎ）、６０３−１（ｎ−２）、６０３−２（ｎ−１）、６０３−２（ｎ＋１）、６０３−３（ｎ−１）、６０３−３（ｎ＋１）を備えている。ここで、信号配線６０３−１（ｎ）は、第１３スイッチＳ１３（ｎ＋１）、Ｓ１３（ｎ＋８）を介して走査線ＧＬ（ｎ＋１）と、走査線ＧＬ（ｎ＋８）との間に接続される。また、信号配線６０３−２（ｎ−１）は、第１３スイッチＳ１３（ｎ−６）、Ｓ１３（ｎ＋３）を介して、走査線ＧＬ（ｎ−５）と、走査線ＧＬ（ｎ＋３）との間に接続され、信号配線６０３−３（ｎ−１）は、第１３スイッチＳ１３（ｎ−６）、Ｓ１３（ｎ＋２）を介して、走査線ＧＬ（ｎ−６）と、走査線ＧＬ（ｎ＋２）との間に接続されている。さらに、信号配線６０３−１（ｎ−２）は、第１３スイッチＳ１３（ｎ−４）を介して走査線ＧＬ（ｎ−４）に接続され、信号配線６０３−２（ｎ＋１）は、第１３スイッチＳ１３（ｎ＋６）を介して走査線ＧＬ（ｎ＋６）に接続され、信号配線６０３−３（ｎ＋１）は、第１３スイッチＳ１３（ｎ＋７）を介して走査線ＧＬ（ｎ＋７）に接続されている。
【０１９８】
また、第２調整部ＫＡＤ８は、第１４スイッチＳ１４（ｎ−６）〜Ｓ１４（ｎ＋９）がオン状態とされたとき、走査線と接続される信号配線６０３−１（ｎ−１）、６０３−２（ｎ）、６０３−３（ｎ）、６０３−１（ｎ＋１）、６０３−２（ｎ−２）、６０３−３（ｎ−２）を有している。ここで、信号配線６０３−１（ｎ−１）は、第１４スイッチＳ１４（ｎ−５）、Ｓ１４（ｎ＋２）を介して走査線ＧＬ（ｎ−５）と、走査線ＧＬ（ｎ＋２）との間に接続されている。また、信号配線６０３−２（ｎ）は、第１４スイッチＳ１４（ｎ）、Ｓ１４（ｎ＋８）を介して、走査線ＧＬ（ｎ）と、走査線ＧＬ（ｎ＋８）との間に接続され、信号配線６０３−３（ｎ）は、第１４スイッチＳ１４（ｎ＋１）、Ｓ１４（ｎ＋９）を介して、走査線ＧＬ（ｎ＋１）と、走査線ＧＬ（ｎ＋９）との間に接続されている。さらに、信号配線６０３−３（ｎ−２）は、第１４スイッチＳ１４（ｎ−３）を介して走査線ＧＬ（ｎ−３）に接続され、信号配線６０３−２（ｎ−２）は、第１４スイッチＳ１４（ｎ−４）を介して走査線ＧＬ（ｎ−４）に接続され、信号配線６０３−１（ｎ＋１）は、第１４スイッチＳ１４（ｎ＋７）を介して走査線ＧＬ（ｎ＋７）に接続されている。
【０１９９】
これにより、タッチ検出期間においては、第１３スイッチおよび第１４スイッチがオン状態にされるため、図２１に示すように、コイルＣＹ（ｎ＋１）〜ＣＹ（ｎ−２）が、走査線および信号配線により構成される。コイルＣＹ（ｎ）を例にすると、入出力ノードＹｐ１（ｎ）と接地電圧Ｖｓとの間に、走査線ＧＬ（ｎ）、ＧＬ（ｎ＋１）、ＧＬ（ｎ＋８）、ＧＬ（ｎ＋９）および信号配線６０３−１（ｎ）、６０３−２（ｎ）、６０３−３（ｎ）が直列に接続される。走査線ＧＬ（ｎ）、ＧＬ（ｎ＋１）、ＧＬ（ｎ＋８）、ＧＬ（ｎ＋９）は、互いに平行に配置されているため、これらの走査線と信号配線により、コイルＣＹ（ｎ）が形成される。他のコイルについても同様である。
【０２００】
実施の形態４において、第１調整部ＫＡＤ７および第２調整部ＫＡＤ８に設けられる信号配線は、表示パネル２のアクティブエリア外に配置された第２配線層６０３の配線により構成される。表示パネル２において、第２配線層６０３に形成される配線は、信号線ＳＬ（０）〜ＳＬ（ｐ）として用いられる。そのため、第１調整部ＫＡＤ７および第２調整部ＫＡＤ８に設ける信号配線を形成するために、配線層を増加させなくて済む。その結果、実施の形態１〜３と同様に、価格の上昇を抑制することが可能となる。
【０２０１】
図２２は、図２０において、破線の○で囲んだ領域Ｃ１を詳しく示した平面図である。図２０において、Ｒ、Ｇ、Ｂは、三原色の画素を示しており、ＴＬは、駆動電極を示している。
【０２０２】
実施の形態４においては、複数の走査線が、タッチ検出期間においては、並列的に接続される。図２０および図２１では、互いに並列的に接続された複数の走査線を、１本の走査線として示している。すなわち、図２０および図２１に描かれている走査線ＧＬ（０）〜ＧＬ（ｐ）のそれぞれは、互いに並列的に接続された複数の走査線を示している。図２２には、図２０において、走査線ＧＬ（ｎ−１）、ＧＬ（ｎ）として述べた走査線が、それぞれ３本の走査線によって構成されている場合が示されている。すなわち、表示期間においては、走査線として機能する走査線ＧＬ（ｎ−１）Ｓ１〜ＧＬ（ｎ−１）Ｓ３が、タッチ検出期間においては、互いに並列的に接続され、走査線ＧＬ（ｎ−１）として用いられる。同様に、表示期間においては、走査線として機能する走査線ＧＬ（ｎ）Ｓ１〜ＧＬ（ｎ）Ｓ３が、タッチ検出期間においては、互いに並列的に接続され、走査線ＧＬ（ｎ）として用いられる。このようにすることにより、タッチ検出期間において、コイルを形成するときの抵抗を低減することが可能となる。その結果、タッチ検出精度の向上を図ることが可能となる。
【０２０３】
図２２では、３本の走査線ＧＬ（ｎ）Ｓ１〜ＧＬ（ｎ）Ｓ３を並列的に接続することを示したが、数十本の走査線を、互いに並列的に接続することが、望ましい。また、並列的に接続するためには、例えば、走査線ＧＬ（ｎ）Ｓ１〜ＧＬ（ｎ）Ｓ３間に、タッチ検出期間においてオン状態となるスイッチを設けることにより達成することができる。
【０２０４】
実施の形態４においても、コイルの巻数が２になっているため、タッチ検出の際の磁界を強くすることが可能である。勿論、巻数は２に限定されない。
【０２０５】
第１調整部ＫＡＤ７および第２調整部ＫＡＤ８における接続を変更することにより、コイルの巻数を増やすことが可能である。また、第１調整部ＫＡＤ７および第２調整部ＫＡＤ８における接続を変更することにより、任意の走査線をコイルの巻線として用いることが可能である。さらに、第１調整部ＫＡＤ７および第２調整部ＫＡＤ８における接続を変更することにより、互いに隣接するコイル間での重なる量を変更することが可能である。すなわち、調整部によって、タッチ検出期間に用いられるコイルを調整することが可能となる。
【０２０６】
また、コイルの巻数が２以上であるため、ペンから発生する磁界の検出精度も高くなる。
【０２０７】
信号配線として、第２配線層６０３における配線を用いる例を説明したが、これに限定されるものではない。例えば、第１配線層６０１における配線を信号配線として用いてもよし、第３配線層６０５における配線を信号配線として用いてもよい。
【０２０８】
この実施の形態４においても、走査線ＧＬ（０）〜ＧＬ（ｐ）は、表示用とタッチ検出の磁界発生用とに用いられる共通走査線と見なすことができる。
【０２０９】
さらに、実施の形態４では、コイルの入出力ノードＹｐ１（ｎ）、Ｙｐ１（ｎ＋１）、Ｙｐ１（ｎ−１）が、表示パネル２の辺２−Ｒおよび２−Ｌにおいて、交互に配置されるため、コイルへ供給する駆動信号が、表示パネル２の両辺に分散されることになる。これにより、表示パネル２の辺２−Ｒおよび２−Ｌにおける額縁が大きくなるのを防ぐことが可能となる。
【０２１０】
（実施の形態５）
図２３は、実施の形態５に係わる液晶表示装置のレイアウトを示す平面図である。実施の形態５においては、走査線ＧＬ（０）〜ＧＬ（ｐ）のそれぞれと平行にセンス線ｓｓ（０）〜ｓｓ（ｐ）が、表示パネル２に設けられる。タッチ検出期間においては、センス線ｓｓ（０）〜ｓｓ（ｐ）によって、コイルが構成される。
【０２１１】
図２３には、走査線ＧＬ（０）〜ＧＬ（ｐ）のうち、走査線ＧＬ（ｎ−６）〜ＧＬ（ｎ＋９）に関係する部分が、描かれている。以下、図２３を用いて、実施の形態５を説明する。なお、図２３においては、駆動電極は省略されている。
【０２１２】
センス線ｓｓ（ｎ−６）〜ｓｓ（ｎ＋９）は、走査線ＧＬ（ｎ−６）〜ＧＬ（ｎ＋９）と同じ配線層の配線により構成されている。平面視的に、センス線ｓｓ（ｎ−６）〜ｓｓ（ｎ＋９）を見た場合、センス線ｓｓは、走査線ＧＬ（ｎ−６）〜ＧＬ（ｎ＋９）の間に挟まるように配置されている。見方を変えると、表示パネル２において、走査線とセンス線は交互に配置されていると見なすこともできる。
【０２１３】
この実施の形態５においても、調整部は、表示パネル２のアクティブエリア外に配置されている。すなわち、調整部は、表示パネル２の辺２−Ｒに沿って配置された第１調整部ＫＡＤ９と、表示パネル２の辺２−Ｌに沿って配置された第２調整部ＫＡＤ１０とを備えている。センス線ｓｓ（ｎ−６）〜ｓｓ（ｎ＋９）は、表示パネル２から、アクティブエリア外に配置された第１調整部ＫＡＤ９および第２調整部ＫＡＤ１０まで延在している。
【０２１４】
この実施の形態５において、コイルの入出力ノードＹｐ１（ｎ−１）〜ＹＰ１（ｎ＋１）は、第１調整部ＫＡＤ９と第２調整部ＫＡＤ１０とに交互に設けられている。すなわち、コイルＣＹ（ｎ−１）とコイルＣＹ（ｎ＋１）の入出力ノードＹｐ１（ｎ−１）と入出力ノードＹｐ１（ｎ＋１）は、第２調整部ＫＡＤ１０に設けられ、コイルＣＹ（ｎ）の入出力ノードＹｐ１（ｎ）は、第１調整部ＫＡＤ１０に設けられている。
【０２１５】
第１調整部ＫＡＤ９は、センス線と接続される信号配線６０３−１（ｎ）、６０３−１（ｎ−２）、６０３−２（ｎ−１）、６０３−２（ｎ＋１）、６０３−３（ｎ−１）、６０３−３（ｎ＋１）を備えている。ここで、信号配線６０３−１（ｎ）は、センス線ｓｓ（ｎ＋１）と、センス線ｓｓ（ｎ＋８）に接続される。また、信号配線６０３−２（ｎ−１）は、センス線ｓｓ（ｎ−５）と、センス線ｓｓ（ｎ＋３）に接続され、信号配線６０３−３（ｎ−１）は、センス線ｓｓ（ｎ−６）と、センス線ｓｓ（ｎ＋２）に接続している。さらに、信号配線６０３−１（ｎ−２）は、センス線ｓｓ（ｎ−４）に接続され、信号配線６０３−２（ｎ＋１）は、センス線ｓｓ（ｎ＋７）に接続され、信号配線６０３−３（ｎ＋１）は、センス線ｓｓ（ｎ＋６）に接続される。
【０２１６】
また、第２調整部ＫＡＤ１０は、センス線と接続される信号配線６０３−１（ｎ−１）、６０３−２（ｎ）、６０３−３（ｎ）、６０３−１（ｎ＋１）、６０３−２（ｎ−２）、６０３−３（ｎ−２）を備えている。ここで、信号配線６０３−１（ｎ−１）は、センス線ｓｓ（ｎ−５）と、センス線ｓｓ（ｎ＋２）に接続される。また、信号配線６０３−２（ｎ）は、センス線ｓｓ（ｎ）と、センス線ｓｓ（ｎ＋８）に接続され、信号配線６０３−３（ｎ）は、センス線ｓｓ（ｎ＋１）と、センス線ｓｓ（ｎ＋９）に接続される。さらに、信号配線６０３−３（ｎ−２）は、センス線ｓｓ（ｎ−３）に接続され、信号配線６０３−２（ｎ−２）は、センス線ｓｓ（ｎ−４）に接続され、信号配線６０３−１（ｎ＋１）は、センス線ｓｓ（ｎ＋７）に接続される。
【０２１７】
これにより、図２４に示すように、コイルＣＹ（ｎ＋１）〜ＣＹ（ｎ−２）が、センス線および信号配線により構成される。ここでも、コイルＣＹ（ｎ）を例にして説明すると、入出力ノードＹｐ１（ｎ）と接地電圧Ｖｓとの間に、センス線ｓｓ（ｎ）、ｓｓ（ｎ＋１）、ｓｓ（ｎ＋８）、ｓｓ（ｎ＋９）および信号配線６０３−１（ｎ），６０３−２（ｎ），６０３−３（ｎ）が直列に接続される。センス線ｓｓは、互いに平行して配置されているため、センス線ｓｓを巻線としたコイルＣＹ（ｎ）が形成される。他のコイルも同様である。
【０２１８】
実施の形態５において、センス線ｓｓ（ｎ−６）〜ｓｓ（ｎ＋９）は、走査線ＧＬ（ｎ−６）〜ＧＬ（ｎ＋９）と同じ第１配線層６０１における配線により構成されている。また、第１調整部ＫＡＤ９および第２調整部１０に設けられる信号配線は、第２配線層６０３の配線により構成する。
【０２１９】
図２３において、Ｂ１−Ｂ１’の断面およびＢ２−Ｂ２’の断面が、図２５に示されている。図２５において、ＧＬ（ｎ＋２）［６０１］、ＧＬ（ｎ＋８）［６０１］およびＧＬ（ｎ＋９）［６０１］は、第１配線層に形成された走査線ＧＬ（ｎ＋２）およびＧＬ（ｎ）を示している。また、ｓｓ（ｎ＋２）［６０１］およびｓｓ（ｎ＋９）［６０１］は、第１配線層に形成されたセンス線ｓｓ（ｎ＋２）およびｓｓ（ｎ＋９）を示しており、表示パネル２から、第１調整部ＫＡＤ９へ延在している。同図において、６０３−１（ｎ）［６０３］は、第２配線層６０３に形成された配線であって、信号線６０３−１（ｎ）を示している。この信号配線６０３−１（ｎ）は、層間配線ＳＬＣによって、センス線ｓｓ（ｎ＋２）［６０１］とセンス線ｓｓ（ｎ＋９）［６０１］に接続されている。
【０２２０】
コイルを構成するセンス線ｓｓ（０）〜ｓｓ（ｐ）は、走査線と同じ第１配線層において形成され、センス線を接続する信号配線は、信号線ＳＬ（０）〜ＳＬ（ｐ）と同じ第２配線層において形成される。そのため、コイルを形成するための配線層を増加させなくても済み、価格の上昇を抑制することができる。
【０２２１】
図２６は、図２３において、破線の○で囲んだ領域Ｃ１を詳しく示した平面図である。図２６において、Ｒ、Ｇ、Ｂは、三原色の画素を示しており、ＴＬは、駆動電極を示している。また、同図において、ＧＬ（ｎ−１）〜ＧＬ（ｎ＋４）は、走査線を示しており、ｓｓ（ｎ）Ｓ１〜ｓｓ（ｎ）Ｓ３およびｓｓ（ｎ＋１）Ｓ１〜ｓｓ（ｎ＋１）Ｓ３は、センス線を示している。
【０２２２】
この実施の形態５においては、複数のセンス線を互いに並列的に接続することにより、図２３および図２４に示した１本のセンス線が構成される。図２６においては、センス線ｓｓ（ｎ）Ｓ１〜ｓｓ（ｎ）Ｓ３が互いに接続され、図２３および図２４に示したセンス線ｓｓ（ｎ）となる。同様に、センス線ｓｓ（ｎ＋１）Ｓ１〜ｓｓ（ｎ＋１）Ｓ３が互いに接続され、図２３および図２４に示したセンス線ｓｓ（ｎ＋１）となる。このように、複数のセンス線ｓｓ（ｎ）Ｓ１〜ｓｓ（ｎ）Ｓ３を並列的に接続して、センス線ｓｓ（ｎ）とすることにより、タッチ検出の際に、コイルの抵抗を低減することが可能となり、検出精度の向上を図ることが可能となる。図２６では、３本のセンス線を並列的に接続するように述べたが、数十本のセンス線を並列的に接続し、図２３および図２４に示すセンス線とすることが望ましい。
【０２２３】
実施の形態５においても、コイルの巻数が２になっているため、タッチ検出の際の磁界を強くすることが可能である。勿論、巻数は２に限定されない。
【０２２４】
第１調整部ＫＡＤ９および第２調整部ＫＡＤ１０における接続を変更することにより、コイルの巻数を増やすことが可能である。また、第１調整部ＫＡＤ９および第２調整部ＫＡＤ１０における接続を変更することにより、任意のセンス線をコイルの巻線として用いることが可能である。さらに、第１調整部ＫＡＤ９および第２調整部ＫＡＤ１０における接続を変更することにより、互いに隣接するコイル間での重なる量を変更することが可能である。すなわち、調整部によって、タッチ検出期間に用いられるコイルを調整することが可能となる。
【０２２５】
また、コイルの巻数が２以上であるため、ペンから発生する磁界の検出精度も高くなる。
【０２２６】
信号配線として、第２配線層６０３における配線を用いる例を説明したが、これに限定されるものではない。例えば、第３配線層６０５における配線を信号配線として用いてもよい。
【０２２７】
この実施の形態５においては、切換回路を設ける必要がないため、小型化を図ることが可能となる。
【０２２８】
さらに、実施の形態５では、コイルの入出力ノードＹｐ１（ｎ）、Ｙｐ１（ｎ＋１）、Ｙｐ１（ｎ−１）が、表示パネル２の辺２−Ｒおよび２−Ｌにおいて、交互に配置されるため、コイルへ供給する駆動信号が、表示パネル２の両辺に分散されることになる。これにより、表示パネル２の辺２−Ｒおよび２−Ｌにおける額縁が大きくなるのを防ぐことが可能となる。
【０２２９】
（実施の形態６）
＜液晶表示装置１の全体構成＞
図２７は、実施の形態６に係わるタッチ検出機能付き液晶表示装置１の構成を示すブロック図である。この実施の形態においては、タッチ検出期間のとき、互いに交差するように複数のコイルが、表示パネル２（画素配列ＬＣＤ）に形成される。すなわち、表示パネル２の横方向（行方向）に沿って延在し、縦方向（列方向）に並列的に配置される複数のコイルＣＹ（０）〜ＣＹ（ｐ）と、縦方向に沿って延在し、横方向に並列的に配置される複数のコイルＣＸ（０）〜ＣＸ（ｐ）とが、タッチ検出期間のときに形成される。
【０２３０】
液晶表示装置１は、表示パネル２、信号線セレクタ３、表示制御装置４、ゲートドライバ５およびタッチ制御装置６を備えている。また、液晶表示装置１は、調整部ＫＡＤ、切換回路ＤＤおよびタッチ検出期間においてコイルを選択する選択回路ＳＤを備えている。
【０２３１】
表示パネル２は、既に述べたように、複数の信号線、複数の駆動電極、複数の走査線および複数の画素を備えている。
【０２３２】
表示制御装置４は、制御回路Ｄ−ＣＮＴと信号線ドライバＤ−ＤＲＶとを備えている。制御回路Ｄ−ＣＮＴは、外部端子Ｔｔに供給されるタイミング信号と入力端子Ｔｉに供給される画像情報とを受け、入力端子Ｔｉに供給されている画像情報に従った画像信号Ｓｎを形成し、信号線ドライバＤ−ＤＲＶへ供給する。信号線ドライバＤ−ＤＲＶは、供給された画像信号Ｓｎを、表示期間のとき、時分割的に、信号線セレクタ３へ供給する。また、制御回路Ｄ−ＣＮＴは、外部端子Ｔｔに供給されるタイミング信号とタッチ制御装置６からのスイッチ制御信号ＳＷとを受け、種々の制御信号を形成する。制御回路Ｄ−ＣＮＴが形成する制御信号としては、信号線セレクタ３に供給される選択信号ＳＥＬ１、ＳＥＬ２、タッチ検出期間と表示期間とを識別する同期信号ＴＳＨＤ、クロック信号ＣＬＫ、タッチ検出に関する制御信号ＳＥ−ＥＮ、Ｘ−ＣＮＴ、Ｙ−ＣＮＴ等がある。
【０２３３】
信号線ドライバＤ−ＤＲＶは、表示期間においては、選択信号ＳＥＬ１、ＳＥＬ２に従って、時分割的に、画像信号を信号線セレクタ３へ、供給する。信号線セレクタ３は、表示期間のとき、選択信号ＳＥＬ１、ＳＥＬ２に従って、供給されている画像信号を、表示パネル２内の適切な信号線へ供給する。ケートドライバ５は、表示期間のとき、制御回路Ｄ−ＣＮＴからのタイミング信号に従って走査線信号Ｖｓ０〜Ｖｓｐを形成し、表示パネル２内の走査線に供給する。表示期間においては、ハイレベルの走査線信号が供給されている走査線に接続されている画素が、そのとき信号線に供給されている画像信号に従った表示を行うことにより、画像の表示か行われる。
【０２３４】
タッチ制御装置６は、センス信号Ｓｘ（０）〜Ｓｘ（ｐ）およびＳｙ（０）〜Ｓｙ（ｐ）を受ける増幅＆検出回路ＡＭＰ＆ＤＥＴと、増幅＆検出回路ＡＭＰ＆ＤＥＴからの検出信号に対して処理を行い、タッチされた位置の座標を抽出する処理回路ＰＲＳと、制御回路Ｔ−ＣＮＴを備えている。制御回路Ｔ−ＣＮＴは、表示制御装置４から同期信号ＴＳＨＤおよびクロック信号ＣＬＫと受け、タッチ制御装置６が、表示制御装置４に同期して動作するように制御する。すなわち、増幅＆検出回路ＡＭＰ＆ＤＥＴおよび処理回路ＰＲＳが、同期信号ＴＳＨＤがタッチ検出期間を示しているとき、動作するように制御する。また、制御回路Ｔ−ＣＮＴは、増幅＆検出回路ＡＭＰ＆ＤＥＴからの検出信号を受け、スイッチ制御信号ＳＷを形成し、制御回路Ｄ−ＣＮＴへ供給する。処理回路ＰＲＳは、抽出した座標を、座標情報として、外部端子Ｔｏから出力する。
【０２３５】
調整部ＫＡＤは、この実施の形態６においては、調整部ＫＡＤ３、ＫＡＤ４、ＫＡＤ５およびＫＡＤ６を有している。また、切換回路ＤＤは、切換回路ＤＤ３、ＤＤ４、ＤＤ５およびＤＤ６を備えている。ここで、調整部ＫＡＤ３、ＫＡＤ４および切換回路ＤＤ３、ＤＤ４は、タッチ検出期間において、コイルＣＸ（０）〜ＣＸ（ｐ）を形成する際に用いられ、調整部ＫＡＤ５、ＫＡＤ６および切換回路ＤＤ５、ＤＤ６は、タッチ検出期間において、コイルＣＹ（０）〜ＣＹ（ｐ）を形成する際に用いられる。すなわち、制御回路Ｄ−ＣＮＴからの制御信号ＳＥ−ＥＮが、タッチ検出期間を示しているとき、コイルＣＸ（０）〜ＣＸ（ｐ）およびＣＹ（０）〜ＣＹ（ｐ）が形成される。なお、制御信号ＳＥ−ＥＮは、以下、センスイネーブル信号とも称する。
【０２３６】
選択回路ＳＤは、この実施の形態６においては、選択回路ＸＳＤ、ＹＳＤ１およびＹＳＤ２を備えている。選択回路ＸＳＤは、制御回路Ｄ−ＣＮＴからの制御信号Ｘ−ＣＮＴおよびクロック信号ＣＬＫを受け、制御信号Ｘ−ＣＮＴ（以下、選択信号Ｘ−ＣＮＴとも称する）に従って、コイルＣＸ（０）〜ＣＸ（ｐ）からコイルを選択し、クロック信号ＣＬＫに従った駆動信号を選択したコイルへ供給する。また、選択回路ＸＳＤは、選択したコイルにおける電圧変化を、検出信号Ｓｘ（０）〜Ｓｘ（ｐ）として出力する。
【０２３７】
選択回路ＹＳＤ１、ＹＳＤ２は、制御回路Ｄ−ＣＮＴからの制御信号Ｙ−ＣＮＴおよびクロック信号ＣＬＫを受け、制御信号Ｙ−ＣＮＴ（以下、選択信号Ｙ−ＣＮＴとも称する）に従って、コイルＣＹ（０）〜ＣＹ（ｐ）からコイルを選択し、クロック信号ＣＬＫに従った駆動信号を選択したコイルへ供給する。また、選択回路ＹＳＤ１、ＹＳＤ２は、選択したコイルにおける電圧変化を、検出信号Ｓｙ（０）〜Ｓｙ（ｐ）として出力する。選択回路ＹＳＤ１は、表示パネル２の辺２−Ｒに沿って配置され、選択回路ＹＳＤ２は、表示パネル２の辺２−Ｌに沿って配置されており、選択回路ＹＳＤ１とＹＳＤ２とは、交互に検出信号を出力する。すなわち、選択回路ＹＳＤ１は、検出信号Ｓｙ（ｎ）を出力し、選択回路ＹＳＤ２は、検出信号Ｓｙ（ｎ＋１）を出力する。ここで、ｎは、０〜ｐ−１である。
【０２３８】
タッチ検出期間においては、選択回路ＸＳＤおよびＹＳＤ１、ＹＳＤ２から、検出信号Ｓｘ（０）〜Ｓｘ（ｐ）、Ｓｙ（０）〜Ｓｙ（ｐ）が、タッチ制御装置６へ供給され、ペンによりタッチされた位置の座標が、外部端子Ｔｏから座標情報として出力される。
【０２３９】
同図に示されているように、表示パネル２の辺２−Ｕに沿って、調整部ＫＡＤ４と切換回路ＤＤ４が配置され、辺２−Ｄに沿って、調整部ＫＡＤ３と切換回路ＤＤ３と選択回路ＸＳＤが配置されている。また、表示パネル２の辺２−Ｒに沿って、調整部ＫＡＤ５と切換回路ＤＤ５と選択回路ＹＳＤ１が配置され、辺２−Ｌに沿って、調整部ＫＡＤ６と切換回路ＤＤ６と選択回路ＹＳＤ２が配置されている。
【０２４０】
特に制限されないが、この実施の形態６において、破線で示した表示制御装置４は、１個の半導体装置（ドライブ用半導体装置ＤＤＩＣ）により構成され、破線で示したタッチ制御装置６も、１個の半導体装置（タッチ用半導体装置）により構成されている。
【０２４１】
なお、制御回路Ｄ−ＣＮＴは、表示期間のとき、画像信号が、適切な信号線に供給されるように、適切な選択信号ＳＥＬ１、ＳＥＬ２を形成するが、タッチ検出期間のときには、全ての信号線が、信号線セレクタ３を介して切換回路ＤＤ３に接続されるような選択信号ＳＥＬ１、ＳＥＬ２を形成する。また、タッチ検出期間のときには、信号線ドライバＤ−ＤＲＶの出力がハイインピーダンス状態となるように、制御回路Ｄ−ＣＮＴは、信号線ドライバＤ−ＤＲＶを制御する。
【０２４２】
＜液晶表示装置のモジュール構成＞
図２８は、タッチ検出機能付き液晶表示装置１を実装したモジュール５００の全体構成を示す模式的な平面図である。模式的ではあるが、図２８は、実際の配置に合わせて描かれている。同図において、５０１は、図３（Ｂ）および図６で示したＴＦＴガラス基板における領域を示しており、５０２は、図３（Ｂ）で示したＴＦＴガラス基板とＣＦガラス基板とを有する領域を示している。モジュール５００において、ＴＦＴガラス基板は一体となっている。すなわち、領域５０１と領域５０２とにおいて、ＴＦＴガラス基板は共通であり、領域５０２には、図３（Ｂ）に示したように、ＴＦＴガラス基板の上方面に、ＣＦガラス基板等が、さらに形成されている。
【０２４３】
図２８において、５００−Ｌは、モジュール５００の短辺を示しており、５００−Ｄは、モジュール５００の辺であって、短辺５００−Ｕと対向する短辺を示している。また、５００−Ｌは、モジュール５００の長辺を示しており、５００−Ｒは、モジュールの辺であって、長辺５００−Ｌに対向する長辺を示している。
【０２４４】
領域５０２であって、表示パネル２の辺２−Ｌとモジュール５００の長辺５００−Ｌとの間の領域には、図２７で示したゲートドライバ５、調整部ＫＡＤ６、切換回路ＤＤ６、および選択回路ＹＳＤ２が配置されている。また、表示パネル２の辺２−Ｒとモジュール５００の長辺５００−Ｒとの間の領域には、図２７で示した調整部ＫＡＤ５、切換回路ＤＤ５、および選択回路ＹＳＤ１が配置されている。表示パネル２の辺２−Ｕとモジュール５００の短辺５００−Ｕとの間の領域には、図２７で示した調整部ＫＡＤ４と切換回路ＤＤ４が配置されている。
【０２４５】
また、表示パネル２の辺２−Ｄとモジュール５００の短辺５００−Ｄとの間の領域には、図２７で示した信号線セレクタ３、調整部ＫＡＤ３、切換回路ＤＤ３、選択回路ＸＳＤおよびドライブ用半導体装置ＤＤＩＣが配置されている。ここで、調整部ＫＡＤ３、切換回路ＤＤ３および選択回路ＸＳＤは、領域５０１に配置されており、領域５０１のＴＦＴガラス基板に形成された配線および部品により構成されている。部品としては、スイッチ部品があり、スイッチ部品は例えばＭＯＳＦＥＴである。この実施の形態６においては、平面視的に、調整部ＫＡＤ３、切換回路ＤＤ３および選択回路ＸＳＤを覆うように、ドライブ用半導体装置ＤＤＩＣが、ＴＦＴガラス基板に実装されている。これにより、表示パネル２の下側額縁が大きくなるのを抑制することが可能となる。
【０２４６】
また、調整部ＫＡＤ４〜ＫＡＤ６、切換回路ＤＤ４〜ＤＤ６および選択回路ＸＳＤ１，ＸＳＤ２を構成する部品も、上記した領域におけるＴＦＴガラス基板上に形成されている。
【０２４７】
図２７において説明した検出信号Ｓｙ（０）〜Ｓｙ（ｐ）は、モジュール５００の長辺５００−Ｌ、５００−Ｒと表示パネル２の辺２−Ｌ、２−Ｒとの間に配置された配線（図示せず）を介して、フレキシブルケーブルＦＢ１に伝達される。フレキシブルケーブルＦＢ１には、図２７で説明したタッチ用半導体装置６が実装されており、フレキシブルケーブルＦＢ１内の配線を介して、タッチ用半導体装置６に検出信号Ｓｙ（０）〜Ｓｙ（ｐ）が供給される。また、領域５０１には、フレキシブルケーブルＦＢ２が接続されており、このフレキシブルケーブルＦＢ２には、コネクタＣＮが実装されている。このコネクタＣＮを介して、検出信号Ｓｘ（０）〜Ｓｘ（ｐ）が、選択回路ＸＳＤからタッチ用半導体装置６に供給される。また、コネクタＣＮを介して、タッチ用半導体装置６とドライブ用半導体装置ＤＤＩＣとの間で信号の送受信が行われる。図２８には、送受信される信号の例として、同期信号ＴＳＨＤが描かれている。なお、図２８において、表示パネル２の４辺に示したＲ、Ｇ、Ｂは、画素を示している。
【０２４８】
＜表示パネル２、調整部および切換回路の構成＞
図２９は、図２７に示した液晶表示装置１のレイアウトを示す平面図である。図２９には、図２７に示した調整部ＫＡＤ３〜ＫＡＤ６および切換回路ＤＤ３〜ＤＤ６の構成も示されている。
【０２４９】
実施の形態６における表示パネル２は、実施の形態２で説明した表示パネル２の構造と、実施の形態３で説明した表示パネル２の構造とを組み合わせた構造を有している。
【０２５０】
すなわち、この実施の形態６において、信号線ＳＬ（ｎ−６）〜（ｎ＋９）は、図１２に示した信号線ＳＬ（ｎ−６）〜（ｎ＋９）と同じ構造を有しており、駆動電極ＴＬ（ｎ−６）〜ＴＬ（ｎ＋９）および補助電極ＳＭは、図１６に示した駆動電極駆動電極ＴＬ（ｎ−６）〜ＴＬ（ｎ＋９）および補助電極ＳＭと同じ構造を有している。また、図２９には示していないが、走査線ＧＬ（０）〜ＧＬ（ｐ）は、図１２に示した走査線ＧＬ（０）〜ＧＬ（ｐ）と同じ構造を有している。
【０２５１】
図２９に示した調整部ＫＡＤ３およびＫＡＤ４は、図１２に示した第１調整部ＫＡＤ３および第２調整部ＫＡＤ４と同じ構成を有しており、図２９に示した調整部ＫＡＤ５およびＫＡＤ６は、図１６に示した第１調整部ＫＡＤ５および第２調整部ＫＡＤ６と同じ構成を有している。また、図２９に示した切換回路ＤＤ３およびＤＤ４は、図１２に示した第１切換回路ＤＤ３および第２切換回路ＤＤ４と同じ構成を有しており、図２９に示した切換回路ＤＤ５およびＤＤ６は、図１６に示した第１切換回路ＤＤ５および第２切換回路ＤＤ６と同じ構成を有している。
【０２５２】
図２９におけるＢ１−Ｂ１’およびＢ２−Ｂ２’の断面は、調整部ＫＡＤ３およびＫＡＤ４の構成が、図１２に示した第１調整部ＫＡＤ３および第２調整部ＫＡＤ４と同じであるため、図１４に示した断面Ｂ１−Ｂ１’およびＢ２−Ｂ２’と同じである。同様に、図２９におけるＢ３−Ｂ３’およびＢ４−Ｂ４’の断面は、調整部ＫＡＤ５およびＫＡＤ６の構成が、図１６に示した第１調整部ＫＡＤ５および第２調整部ＫＡＤ６と同じであるため、図１４に示した断面Ｂ１−Ｂ１’およびＢ２−Ｂ２’と同じである。
【０２５３】
実施の形態２において、説明したように、タッチ検出期間のとき、第５スイッチＳ５（ｎ−６）〜Ｓ５（ｎ＋９）および第６スイッチＳ６（ｎ−６）〜Ｓ６（ｎ＋９）がオン状態にされる。これにより、信号線と調整部ＫＡＤ３およびＫＡＤ４内の信号配線とを用いて、図３０に示すようにコイルＣＸ（ｎ−２）〜ＣＸ（ｎ＋１）が形成される。また、実施の形態３において、説明したように、タッチ検出期間のとき、第８スイッチＳ８（ｎ）、第９スイッチＳ９（ｎ−１）、Ｓ９（ｎ）、第１１スイッチＳ１１（ｎ−１）、Ｓ１１（ｎ＋１）および第１２スイッチＳ１２（ｎ−１）をオン状態とすることにより、信号線と調整部ＫＡＤ５およびＫＡＤ６内の信号配線とを用いて、図３０に示すようにコイルＣＹ（ｎ−２）〜ＣＹ（ｎ＋１）が形成される。
【０２５４】
＜選択回路ＸＳＤ、ＹＳＤ１およびＹＳＤ２＞
図３１は、図２７に示した表示パネル２、調整部ＫＡＤ３〜ＫＡＤ６、切換回路ＤＤ３〜ＤＤ６および選択回路ＸＳＤ、ＹＳＤ１、ＹＳＤ２の構成を示すブロック図である。図３１において、表示パネル２の構成は、図２９に示した表示パネル２の構成と同じである。また、調整部ＫＡＤ３〜ＫＡＤ６の構成も、図２９に示した調整部ＫＡＤ３〜ＫＡＤ６と同じである。そのため、図３１では、表示パネル２に含まれる信号線、駆動電極および調整部ＫＡＤ３〜ＫＡＤ５に含まれる信号配線の符号は、省略している。
【０２５５】
切換回路ＤＤ３〜ＤＤ６の構成も、図２９に示した切換回路ＤＤ３〜ＤＤ６と同じであるため、切換回路ＤＤ３〜ＤＤ６を構成するスイッチの符号は、説明の都合上必要となるスイッチを除いて、原則、符号を省略している。しかしながら、図３１においては、切換回路ＤＤ３〜ＤＤ６のそれぞれを構成するスイッチを制御する信号が明示されている。以下、切換回路ＤＤ３〜ＤＤ６のそれぞれを構成するスイッチを制御するスイッチ制御信号を、図１２、図１６および図２９も参照にしながら説明する。
【０２５６】
切換回路ＤＤ３は、第５スイッチＳ５（ｎ−６）〜Ｓ５（ｎ＋９）を有している。この第５スイッチＳ５（ｎ−６）〜Ｓ５（ｎ＋９）のうち、コイルの入出力ノードＸｐ１（ｎ−１）〜Ｘｐ１（ｎ＋１）と信号線との間に接続される第５スイッチＳ５（ｎ−６）、Ｓ５（ｎ）およびＳ５（ｎ＋６）を除いた第５スイッチは、センスイネーブル信号ＳＥ−ＥＮがスイッチ制御信号として供給される。
【０２５７】
センスイネーブル信号ＳＥ−ＥＮは、図２７において説明したように、制御回路Ｄ−ＣＮＴにより形成される。制御回路Ｄ−ＣＮＴは、表示期間のとき、センスイネーブル信号ＳＥ−ＥＮをロウレベルにし、タッチ検出期間のとき、センスイネーブル信号ＳＥ−ＥＮをハイレベルにする。また、図２７には示していないが、制御回路Ｄ−ＣＮＴは、センスイネーブル信号ＳＥ−ＥＮに対して位相反転した反転イネーブル信号ｘＳＥ−ＥＮを形成する。位相反転しているため、反転イネーブル信号ｘＳＥ−ＥＮは、タッチ検出期間のとき、ロウレベルとなり、表示期間のとき、ハイレベルとなる。また、以下の説明では、説明を容易にするために、スイッチは、それに供給されるスイッチ制御信号がハイレベルのとき、オン状態となり、ロウレベルのとき、オフ状態になるものとする。しかしながら、これに限定されるものではない。
【０２５８】
一方、切換回路ＤＤ３における第５スイッチＳ５（ｎ−６）、Ｓ５（ｎ）およびＳ５（ｎ＋６）には、選択回路ＸＳＤからの選択信号Ｘ−Ｏｕｔ（ｎ−１）、Ｘ−Ｏｕｔ（ｎ）およびＸ−Ｏｕｔ（ｎ＋１）がスイッチ制御信号として供給される。
【０２５９】
切換回路ＤＤ４は、第６スイッチＳ６（ｎ−６）〜Ｓ６（ｎ＋９）を有している。これらの第６スイッチＳ６（ｎ−６）〜Ｓ６（ｎ＋９）には、センスイネーブル信号ＳＥ−ＥＮがスイッチ制御信号として供給される。
【０２６０】
切換回路ＤＤ５は、第７スイッチＳ７（ｎ−６）〜Ｓ７（ｎ＋９）と、第８スイッチＳ８（ｎ）と、第９スイッチＳ９（ｎ−２）、Ｓ９（ｎ）とを有している。ここで、第７スイッチＳ７（ｎ−６）〜Ｓ７（ｎ＋９）には、センスイネーブル信号ＳＥ−ＥＮが、スイッチ制御信号として供給され、第９スイッチＳ９（ｎ−２）およびＳ９（ｎ）には、反転イネーブル信号ｘＳＥ−ＥＮが、スイッチ制御信号として供給される。一方、コイルの入出力ノードＹｐ１（ｎ）と駆動電極（補助電極ＳＭを含む）との間に接続された第８スイッチＳ８（ｎ）には、選択回路ＹＳＤ１からの選択信号Ｙ−Ｏｕｔ（ｎ）がスイッチ制御信号として供給される。
【０２６１】
最後に、切換回路ＤＤ６を説明すると、この切換回路ＤＤ６は、第１０スイッチＳ１０（ｎ−６）〜Ｓ１０（ｎ＋９）と、第１１スイッチＳ１１（ｎ−１）、Ｓ１１（ｎ＋１）と、第１２スイッチＳ１２（ｎ−１）とを有している。ここで、第１０スイッチＳ１０（ｎ−６）〜Ｓ１０（ｎ＋９）には、センスイネーブル信号ＳＥ−ＥＮが、スイッチ制御信号として供給され、第１２スイッチＳ１２（ｎ−１）には、反転イネーブル信号ｘＳＥ−ＥＮが、スイッチ制御信号として供給される。一方、コイルの入出力ノードＹｐ１（ｎ−１）、Ｙｐ１（ｎ＋１）と駆動電極（補助電極ＳＭを含む）との間に接続された第１１スイッチＳ１１（ｎ−１）、Ｓ１１（ｎ＋１）には、選択回路ＹＳＤ２からの選択信号Ｙ−Ｏｕｔ（ｎ−１）、Ｙ−Ｏｕｔ（ｎ＋１）がスイッチ制御信号として供給される。
【０２６２】
選択回路ＸＳＤは、タッチ検出期間のとき、表示パネル２の横方向（列方向）に並列に配置して形成されるコイルにそれぞれ対応した、入出力ノードＸＩＯ（０）〜ＸＩＯ（ｐ）を有している。また、選択回路ＸＳＤは、入出力ノードＸＩＯ（０）〜ＸＩＯ（ｐ）に１対１に対応した選択信号Ｘ−Ｏｕｔ（０）〜Ｘ−Ｏｕｔ（ｐ）を出力する。ここで、選択回路ＸＳＤの入出力ノードＸＩＯ（０）〜ＸＩＯ（ｐ）は、対応するコイルの入出力ノードＸｐ１（０）〜Ｘｐ１（ｐ）に接続されている。
【０２６３】
選択回路ＸＳＤは、制御回路Ｄ−ＣＮＴから供給される選択信号Ｘ−ＣＮＴとクロック信号ＣＬＫとに基づいて、選択信号Ｘ−Ｏｕｔ（０）〜Ｘ−Ｏｕｔ（ｐ）を形成し、出力する。また、選択回路ＸＳＤは、コイルの入出力ノードＸｐ１（０）〜Ｘｐ１（ｐ）における電圧を検出信号Ｓｘ（０）〜Ｓｘ（ｐ）として出力する。すなわち、選択回路ＸＳＤは、タッチ検出期間において、選択信号Ｘ−ＣＮＴがハイレベルへ変化すると、選択信号Ｘ−Ｏｕｔ（０）からＸ−Ｏｕｔ（ｐ）の順に、選択信号をハイレベルにする。選択回路ＸＳＤは、選択信号をハイレベルにしている期間を、第１期間と、第１期間に続く第２期間とに分けて動作する。第１期間を磁界発生期間とし、選択回路ＸＳＤは、クロック信号ＣＬＫを、入出力ノードＸＩＯ（０）〜ＸＩＯ（ｐ）へ、コイルの駆動信号として供給する。一方、第２期間を磁界検出期間として、選択回路ＸＳＤは、入出力ノードＸＩＯ（０）〜ＸＩＯ（ｐ）における電圧を、検出信号Ｓｘ（０）〜Ｓｘ（ｐ）として出力する。
【０２６４】
これにより、タッチ検出期間のとき、選択信号Ｘ−Ｏｕｔ（０）〜Ｘ−Ｏｕｔ（ｐ）のうちハイレベルとなっている選択信号が、スイッチ制御信号として供給されている第５スイッチがオン状態となる。オン状態となっている第５スイッチを介してコイルには、磁界発生期間において、電圧が周期的に変化するクロック信号ＣＬＫが駆動信号として供給され、磁界が発生する。磁界発生期間に続く、磁界検出期間においては、オン状態となっている第５スイッチを介して、コイルの電圧変化が、選択回路ＸＳＤに入出力ノードに伝達され、検出信号として、選択回路ＸＳＤから出力される。
【０２６５】
図３１には、コイルＣＸ（ｎ−１）〜コイルＣＸ（ｎ＋１）に対応する部分の選択回路ＸＳＤを示しているので、コイルＣＸ（ｎ）を例にして、選択回路ＸＳＤの動作を述べると、次のようになる。
【０２６６】
選択信号Ｘ−ＣＮＴがハイレベルになり、前のタッチ検出期間においては、コイルＣＸ（ｎ−１）に対応する選択信号Ｘ−Ｏｕｔ（ｎ−１）がハイレベルになっていたと仮定する。次に、タッチ検出期間となったとき、選択回路ＸＳＤは、選択信号Ｘ−Ｏｕｔ（ｎ−１）をロウレベルにし、選択信号Ｘ−Ｏｕｔ（ｎ）をハイレベルにする。これにより、第５スイッチＳ５（ｎ）がオフ状態からオン状態へ変化する。このとき、選択回路ＸＳＤは、入出力ノードＸＩＯ（０）〜ＸＩＯ（ｐ）へクロック信号ＣＬＫを供給しているが、選択信号Ｘ−Ｏｕｔ（ｎ−１）はロウレベルのため、第５スイッチＳ５（ｎ−１）はオフ状態であり、クロック信号ＣＬＫは、駆動信号として、コイルＣＸ（ｎ−１）には供給されない。これに対して、コイルＣＸ（ｎ）には、第５スイッチＳ５（ｎ）がオン状態であるため、クロック信号ＣＬＫが駆動信号として供給される。
【０２６７】
これにより、選択信号Ｘ−Ｏｕｔ（ｎ）が選択状態であるハイレベルの期間のうち、磁界発生期間においては、コイルＣＸ（ｎ）が、クロック信号ＣＬＫに同期して変化する磁界を発生する。図２で説明したように、このとき、コイルＣＸ（ｎ）の近傍にペンが存在していれば、磁界エネルギーがペン内の容量素子Ｃに蓄積される。次の磁界検出期間においては、容量素子Ｃに蓄積された磁界エネルギーにより、ペン内のコイルが磁界を発生する。ペン内のコイルによって発生した磁界によるエネルギーが、コイルＣＸ（ｎ）に与えられ、コイルＣＸ（ｎ）の電圧が変化する。この電圧の変化が、オン状態の第５スイッチＳ５（ｎ）を介して、選択回路ＸＳＤの入出力ノードＸＩＯ（ｎ）に伝達され、選択回路ＸＳＤは、検出信号Ｓｘ（ｎ）として出力する。
【０２６８】
コイルＣＸ（ｎ）を例にして説明したが、他のコイルＣＸ（０）〜ＣＸ（ｎ−１）およびＣＸ（ｎ＋１）〜ＣＸ（ｐ）についても同様である。
【０２６９】
なお、上記した選択回路ＸＳＤの動作は、タッチ検出期間での動作である。タッチ検出期間であるため、センスイネーブル信号ＳＥ−ＥＮはハイレベルとなる。そのため、実施の形態２においても述べたように、切換回路ＤＤ４を構成する第６スイッチＳ６（ｎ−６）〜Ｓ６（ｎ＋９）は全てオン状態となっている。また、切換回路ＤＤ３を構成する第５スイッチのうち、ハイレベルの選択信号Ｘ−Ｏｕｔをスイッチ制御信号として受けている第５スイッチを除いた第５スイッチはオフ状態となっている。
【０２７０】
選択回路ＹＳＤ１およびＹＳＤ２も、選択回路ＸＳＤと同様な構成にされている。すなわち、選択回路ＹＳＤ１およびＹＳＤ２は、タッチ検出期間において、選択信号Ｙ−ＣＮＴがハイレベルとなることにより、選択信号Ｙ−Ｏｕｔ（０）からＹ−Ｏｕｔ（ｐ）に向けて、選択信号Ｙ−Ｏｕｔを順次ハイレベルにする。これにより、第８スイッチまたは第１１スイッチがオン状態となり、磁界発生期間においては、クロック信号ＣＬＫが駆動信号として、オン状態となっている第８スイッチまたは第１１スイッチを介して、コイルに供給される。また、磁界検出期間においては、オン状態となっている第８スイッチまたは第１１スイッチを介して、コイルにおける電圧変化が選択回路ＹＳＤ１、ＹＳＤ２に供給され、検出信号Ｓｙ（０）〜Ｓｙ（ｐ）として出力される。
【０２７１】
なお、タッチ検出期間においては、反転イネーブル信号ｘＳＥ−ＥＮがロウレベルとなるため、切換回路ＤＤ５における第７スイッチおよび切換回路ＤＤ６における第１０スイッチはオフ状態となる。また、切換回路ＤＤ５における第９スイッチおよび切換回路ＤＤ６における第１２スイッチはオン状態となる。これにより、実施の形態３においても述べたように、コイルＣＹ（０）〜ＣＹ（ｐ）が形成されている。
【０２７２】
この実施の形態６においては、コイルＣＹ（０）〜ＣＹ（ｐ）が、選択回路ＹＳＤ１およびＹＳＤ２によって交互に選択される。そのため、選択回路ＹＳＤ１が、選択信号Ｙ−Ｏｕｔ（ｎ）をハイレベルにした後のタッチ検出期間においては、選択回路ＹＳＤ２は、選択信号Ｙ−Ｏｕｔ（ｎ＋１）をハイレベルにする。
【０２７３】
また、表示期間においては、反転イネーブル信号ｘＳＥ−ＥＮがハイレベルとなるため、切換回路ＤＤ５における第７スイッチおよび切換回路ＤＤ６における第１０スイッチがオン状態となる。これにより、表示期間においては、表示用の駆動信号が、切換回路ＤＤ５およびＤＤ６から駆動電極ＴＬ（０）〜ＴＬ（ｐ）へ供給されることになる。さらに、表示期間においては、イネーブル信号ＳＥ−ＥＮがロウレベルとなり、選択信号Ｘ−Ｏｕｔもロウレベルとなることにより、切換回路ＤＤ３内の第５スイッチおよび切換回路ＤＤ４内の第６スイッチがオフ状態となる。これにより、信号線ＳＬ（０）〜ＳＬ（ｐ）は、調整部ＫＡＤ３およびＫＡＤ４から電気的に分離され、画像信号Ｓｎに従った表示が行われる。
【０２７４】
＜タッチ検出機能付き液晶表示装置１の全体動作＞
図３２は、実施の形態６に係わる液晶表示装置１の動作を示す波形図である。図３２において、横軸は時間を示し、縦軸は電圧を示している。図３２（Ａ）は、信号線セレクタ３を制御する選択信号ＳＥＬ１、ＳＥＬ２の波形を示しており、図３２（Ｂ）は、センスイネーブル信号ＳＥ−ＥＮの波形を示している。図３２（Ｅ）は、クロック信号ＣＬＫの波形を示している。選択回路ＸＳＤ、ＹＳＤ１およびＹＳＤ２は、選択信号Ｘ−Ｏｕｔ（０）〜Ｘ−Ｏｕｔ（ｐ）およびＹ−Ｏｕｔ（０）〜Ｙ−Ｏｕｔ（ｐ）を出力するが、図３２には、代表として、選択信号Ｘ−Ｏｕｔ（ｎ−１）と選択信号Ｘ−Ｏｕｔ（ｎ）の波形が、図３２（ｃ）および（Ｄ）に示されている。また、図３２（Ｆ）は、液晶表示装置１におけるフレームの周期を示している。
【０２７５】
この実施の形態６においては、図３２（Ｆ）に示すように、１フレーム期間において、表示期間ＴＴＤ１、ＴＴＤ２とタッチ検出期間ＴＴＳ１、ＴＴＳ２とが交互に発生するように、ドライブ用半導体装置ＤＤＩＣが制御している。このように、１フレーム期間において、表示期間とタッチ検出期間とを交互に発生させることにより、例えば、１フレーム期間において、表示を行っている期間が長くなることにより、タッチ検出が遅れるのを低減することが可能となる。１フレーム期間において、複数の表示期間ＴＴＤ１、ＴＴＤ２と複数のタッチ検出期間ＴＴＳ１、ＴＴＳ２とを交互に発生させるには、ドライブ用半導体装置ＤＤＩＣが、センスイネーブル信号ＳＥ−ＥＮの電圧を、図３２（Ａ）に示すように、ハイレベルとロウレベルへ交互に変化させればよい。これにより、切換回路は、表示用駆動信号とタッチ検出用駆動信号とを、交互に駆動電極に供給するようになり、表示動作とタッチ検出動作とが交互に実行されるようになる。
【０２７６】
先ず、表示期間ＴＴＤ１、ＴＴＤ２においては、ドライブ用半導体装置ＤＤＩＣによって、センスイネーブル信号ＳＥ−ＥＮがロウレベルにされる。また、選択回路ＸＳＤ、ＹＳＤ１およびＹＳＤ２からの選択信号Ｘ−ＯｕｔおよびＹ−Ｏｕｔは、例えば図３２（Ｃ）および（Ｄ）に示されているように、ロウレベルとされる。このとき、センスイネーブル信号ＳＥ−ＥＮがロウレベルであるため、切換回路ＤＤ３およびＤＤ４内の第５スイッチおよび第６スイッチは、オフ状態となる。一方、切換回路ＤＤ５およびＤＤ６内の第７スイッチおよび第１０スイッチはオン状態となる。
【０２７７】
これにより、駆動電極ＴＬ（０）〜ＴＬ（ｐ）には、表示の際の駆動電圧である電圧ＶＣＯＭＤＣが、第７スイッチおよび第１０スイッチを介して、駆動信号として供給される。また、第５スイッチおよび第６スイッチがオフ状態であるため、信号線ＳＬ（０）〜ＳＬ（ｐ）は、調整部ＫＡＤ３およびＫＡＤ４から電気的に分離される。
【０２７８】
図３２（Ａ）では、１つの選択信号として纏めて示しているが、選択信号ＳＥＬ１とＳＥＬ２は、表示期間においては、相補的に変化する。選択信号ＳＥＬ１，ＳＥＬ２が変化することにより、ドライブ用半導体装置ＤＤＩＣ内の信号線ドライバＤ−ＤＲＶ（図２７）から信号線セレクタ３に供給された画像信号Ｓｎは、順次適切な信号線に伝達される。また、表示期間においては、ゲートドライバ３によって走査線が順次ハイレベルとなる。これにより、ハイレベルの走査線に接続された画素においては、駆動電極に供給されている電圧ＶＣＯＭＤＣと信号線に伝達されている画像信号Ｓｎの電圧との差電圧が印加され、差電圧に従った表示が行われる。
【０２７９】
タッチ検出期間ＴＴＳ１のとき、ドライブ用半導体装置ＤＤＩＣは、選択信号ＳＥＬ１、ＳＥＬ２をともにハイレベルにする。これにより、信号線セレクタ３は、信号線ＳＬ（０）〜ＳＬ（ｐ）の全てを、対応する端子ＳＰ（図２９）に接続する。また、ドライブ用半導体装置ＤＤＩＣは、センスイネーブル信号ＳＥ−ＥＮをハイレベルにする。
【０２８０】
これにより、切換回路ＤＤ５およびＤＤ６内の第７スイッチおよび第１０スイッチはオフ状態となる。また、切換回路ＤＤ４内の第６スイッチもオフ状態となる。このとき、図３２（Ｃ）および（Ｄ）に例示するように、選択回路ＸＳＤが、選択信号Ｘ−Ｏｕｔ（ｎ−１）をハイレベルにし、選択信号Ｘ−Ｏｕｔ（ｎ）をロウレベルにすると、選択信号をスイッチ制御信号として受けている第５スイッチＳ５（ｎ＋６）、Ｓ５（ｎ）およびＳ５（ｎ＋５）のうち、ハイレベルの選択信号Ｘ−Ｏｕｔ（ｎ−１）をスイッチ制御信号として受けている第５スイッチＳ５（ｎ−６）がオン状態となり、ロウレベルの選択信号Ｘ−Ｏｕｔ（ｎ）およびＸ−Ｏｕｔ（ｎ＋１）を、スイッチ制御信号として受けている残りの第５スイッチＳ５（ｎ）およびＳ５（ｎ＋６）はオフ状態となる。このとき、選択信号をスイッチ制御信号として受けている第５スイッチＳ５（ｎ＋６）、Ｓ５（ｎ）およびＳ５（ｎ＋５）を除く第５スイッチＳ５（ｎ−５）〜Ｓ５（ｎ−１）、Ｓ５（ｎ＋１）〜Ｓ５（ｎ＋５）、Ｓ５（ｎ＋７）〜Ｓ５（ｎ＋９）はオン状態となる。
【０２８１】
第５スイッチＳ５（ｎ−６）がオン状態となることにより、図３２（Ｅ）に示したクロック信号ＣＬＫが、この第５スイッチＳ５（ｎ−６）を介して、信号線ＳＬ（ｎ−６）に、タッチ検出用の駆動信号として供給される。このとき、図３０に示したように、信号線ＳＬ（ｎ−６）、ＳＬ（ｎ−５）、ＳＬ（ｎ＋２）およびＳＬ（ｎ＋３）によってコイルＣＸ（ｎ−１）が形成されている。そのため、コイルＣＸ（ｎ−１）において、磁界が発生する。選択回路ＸＳＤは、選択信号Ｘ−Ｏｕｔ（ｎ−１）をハイレベルにしている期間のうち、第１期間を磁界発生期間ＴＧとし、第１期間の後の第２期間を磁界検出期間ＴＤとして管理する。選択回路ＸＳＤは、磁界発生期間ＴＧの間、クロック信号ＣＬＫを入出力ノードＸＩＯ（ｎ−１）から出力する。また、選択回路ＸＳＤは、磁界検出期間ＴＤにおいては、入出力ノードＸＩＯ（ｎ−１）における電圧変化を、検出信号Ｓｘ（ｎ−１）として出力する。
【０２８２】
タッチ検出期間ＴＴＳ１のとき、選択信号Ｘ−Ｏｕｔ（ｎ−１）に対応するコイルＣＸ（ｎ−１）の近傍が、ペンによってタッチされているか否かにより、磁界検出期間ＴＤにおける入出力ノードＸＩＯ（ｎ−１）の電圧が異なる。そのため、タッチ用半導体装置６の増幅＆検出回路ＡＭＰ＆ＤＥＴ（図２７）によって、タッチされているか否かの検出を行うことができる。
【０２８３】
選択回路ＸＳＤは、タッチ検出期間ＴＴＳ１のとき、選択信号Ｘ−Ｏｕｔ（ｎ−１）を除く選択信号（例えば、Ｘ−Ｏｕｔ（ｎ））をロウレベルにする（図３２（Ｄ）。これにより、選択信号Ｘ−Ｏｕｔ（ｎ−１）を除く選択信号をスイッチ制御信号として受けている第５スイッチ（例えば、Ｓ５（ｎ））はオフ状態となる。その結果、コイルＣＸ（ｎ−１）を除くコイルＣＸ（０）〜ＣＸ（ｎ−２）およびＣＸ（ｎ）〜ＣＸ（ｐ）には、クロック信号ＣＬＫが、駆動信号として供給されず、これらのコイルにおいては、磁界が発生しない。
【０２８４】
タッチ検出期間ＴＴＳ２においては、選択回路ＸＳＤは、選択信号Ｘ−Ｏｕｔ（ｎ−１）の次の選択信号Ｘ−Ｏｕｔ（ｎ）をハイレベルへ変化させ、選択信号Ｘ−Ｏｕｔ（ｎ−１）をロウレベルへ変化させる。これにより、タッチ検出期間ＴＴＳ１のときと同様に、選択信号Ｘ−Ｏｕｔ（ｎ）に対応するコイルＣＸ（ｎ）において磁界が発生（磁界発生期間ＴＧ）し、磁界検出期間ＴＤにおいて、コイルＣＸ（ｎ）の近傍における磁界が変化しているか否かの検出が、入出力ノードＸＩＯ（ｎ）における電圧の変化として行われる。
【０２８５】
上記した、表示期間ＴＴＤ１、ＴＴＤ２およびタッチ検出期間ＴＴＳ１、ＴＴＳ２が交互に繰り返される。タッチ検出期間の繰り返しにおいては、選択回路ＸＳＤは、選択信号Ｘ−Ｏｕｔ（０）からＸ−Ｏｕｔ（ｐ）へ向かって、選択信号を順次ハイレベルにする。これにより、画像の表示とタッチの検出を行うことが可能となる。
【０２８６】
選択回路ＹＳＤ１およびＹＳＤ２についても、選択回路ＸＳＤと同様な動作を行う。すなわち、図３２（Ｃ）に示した選択信号Ｘ−Ｏｕｔ（ｎ−１）が選択信号Ｙ−Ｏｕｔ（ｎ−１）に代わり、図３２（Ｄ）に示した選択信号Ｘ−Ｏｕｔ（ｎ）が選択信号Ｙ−Ｏｕｔ（ｎ）に代わる。コイルＣＹ（０）からコイルＣＹ（ｐ）へ向かって、順次、磁界発生期間ＴＧにおいて磁界が発生し、磁界検出期間ＴＤにおいて磁界の検出が行われる。その結果、コイルＣＹ（０）〜ＣＹ（ｐ）の近傍が、ペンによってタッチされているか否かの検出が行われる。
【０２８７】
コイルＣＸ（０）〜ＣＸ（ｐ）を用いた検出と、コイルＣＹ（０）〜ＣＹ（ｐ）を用いた検出は、コイルＣＸ（０）〜ＣＸ（ｐ）の検出が終わった後に、コイルＣＹ（０）〜ＣＹ（ｐ）の検出を行ってもよいし、コイルＣＸとコイルＣＹの検出を交互に行ってもよい。あるいは、コイルＣＸの検出とコイルＣＹの検出を同時に行ってもよい。いずれの場合においても、タッチ用半導体装置６は、選択回路ＸＳＤ、ＹＳＤ１およびＹＳＤ２からの検出信号Ｓｘ（０）〜Ｓｘ（ｐ）およびＳｙ（０）〜Ｓｙ（ｐ）に基づいて、ペンがタッチされた座標を処理回路ＰＲＳ（図２７）によって求め、外部端子Ｔｏから座標情報として出力する。
【０２８８】
実施の形態６においては、表示期間おいて、画像信号を伝達する信号線ＳＬ（０）〜ＳＬ（ｐ）が、タッチ検出期間において、コイルを形成する配線として兼用される。また、表示期間においては、表示用の駆動信号を伝達する駆動電極と補助電極が、タッチ検出期間においては、コイルを形成する配線として兼用される。これにより、ペンによってタッチされた位置の座標を求めるのに用いられるコイルを形成するために、配線層を追加する必要がなくなり、価格の上昇を抑制することが可能となる。
【０２８９】
また、タッチ検出期間において形成されるコイルは、互いに重なっているため、検出の精度の低下する領域が発生するのを防ぐことが可能となる。さらに、コイルは、複数巻線により構成されるため、検出精度の向上が図れる。
【０２９０】
さらに、タッチ検出期間においては、選択回路ＸＳＤ、ＹＳＤ１およびＹＳＤ２が、順次、コイルを選択する。そのため、選択回路ＸＳＤ、ＹＳＤ１およびＹＳＤ２への信号配線の数を低減することが可能となり、液晶表示装置１が大きくなるのを防ぐことが可能となる。
【０２９１】
（実施の形態７）
図３３は、実施の形態７に係わる液晶表示装置１の動作を示す波形図である。実施の形態７に係わる液晶表示装置１の構成は、実施の形態６に係わる液晶表示装置１と同様な構成を有している。実施の形態６と異なるのは、タッチ検出期間における動作である。そのため、ここでは、実施の形態６と異なる動作について説明する。
【０２９２】
図３３において、横軸は時間を示し、縦軸は電圧を示している。図３３（Ａ）は、信号線セレクタ３を制御する選択信号ＳＥＬ１、ＳＥＬ２の波形を示しており、図３３（Ｂ）は、センスイネーブル信号ＳＥ−ＥＮの波形を示している。図３３（Ｆ）は、クロック信号ＣＬＫの波形を示している。図３３（Ａ）、（Ｂ）および（Ｆ）は、図３２（Ａ）、（Ｂ）および（Ｅ）と同じである。
【０２９３】
実施の形態７においては、選択回路ＸＳＤ、ＹＳＤ１およびＹＳＤ２の動作が、実施の形態６と異なっており、磁界発生期間において、複数のコイルが磁界を発生するように動作する。選択回路ＸＳＤ、ＹＳＤ１およびＹＳＤ２により形成される選択信号Ｘ−Ｏｕｔ（０）〜Ｘ−Ｏｕｔ（ｐ）およびＹ−Ｏｕｔ（０）〜Ｙ−Ｏｕｔ（ｐ）のうち、図３３には、代表として、選択信号Ｘ−Ｏｕｔ（ｎ−１）〜Ｘ−Ｏｕｔ（ｎ＋１）と選択信号Ｙ−Ｏｕｔ（ｎ−１）〜Ｙ−Ｏｕｔ（ｎ＋１）の波形が、示されている。すなわち、図３３（Ｃ）には、選択信号Ｘ−Ｏｕｔ（ｎ−１）、Ｙ−Ｏｕｔ（ｎ−１）の波形が示され、図３３（Ｄ）には、選択信号Ｘ−Ｏｕｔ（ｎ）、Ｙ−Ｏｕｔ（ｎ）の波形が示され、図３３（Ｅ）には、選択信号Ｘ−Ｏｕｔ（ｎ＋１）、Ｙ−Ｏｕｔ（ｎ＋１）の波形が示されている。
【０２９４】
表示期間ＴＴＤ１、ＴＴＤ２における動作は、実施の形態６と同じであり、選択信号ＳＥＬ１，ＳＥＬ２、センスイネーブル信号ＳＥ−ＥＮおよびクロック信号ＣＬＫも、実施の形態６と同じである。そのため、表示期間ＴＴＤ１、ＴＴＤ２における動作の説明と、選択信号ＳＥＬ１、ＳＥＬ２、センスイネーブル信号ＳＥ−ＥＮおよびクロック信号ＣＬＫの説明は省略する。
【０２９５】
実施の形態７において、選択回路ＸＳＤ、ＹＳＤ１およびＹＳＤ２は、タッチ検出期間における磁界発生期間ＴＧのとき、選択信号Ｘ−Ｏｕｔ（０）〜Ｘ−Ｏｕｔ（ｐ）およびＹ−Ｏｕｔ（０）〜Ｙ−Ｏｕｔ（ｐ）をハイレベルにする。磁界発生期間ＴＧに続く磁界検出期間ＴＤにおいて、選択回路ＸＳＤ、ＹＳＤ１およびＹＳＤ２は、タッチの検出を行う領域に配置されたコイルに対応する選択信号をハイレベルに維持し、残りの選択信号をロウレベルへ変化させる。このようにすることにより、磁界発生期間ＴＧにおいては、信号線ＳＬ（０）〜ＳＬ（ｐ）のそれぞれに、クロック信号ＣＬＫが駆動信号として供給される。また、駆動電極ＴＬ（０）〜ＴＬ（ｐ）および補助電極ＳＭのそれぞれにも、磁界発生期間ＴＧにおいて、クロック信号ＣＬＫが駆動信号として供給されることになる。
【０２９６】
信号線ＳＬ（０）〜ＳＬ（ｐ）は、互いに隣接して配置されているため、信号配線間には、寄生容量が存在する。同様に、駆動電極ＴＬ（０）〜ＴＬ（ｐ）および補助電極ＳＭ間にも寄生容量が存在する。磁界発生期間ＴＧにおいて、互いに隣接する２本の信号線（駆動電極）のうちの一方の信号線（駆動電極）を所定の電圧に固定し、他方の信号線（駆動電極）にクロック信号ＣＬＫを駆動信号として供給して、他方の信号線（駆動電極）の電圧を変化させる場合、この２本の信号線（駆動電極）間の寄生容量を充電する必要がある。これに対して、上記したように、磁界発生期間のとき、複数の信号線（駆動電極および補助電極）を、同じクロック信号で駆動することにより、寄生容量の充電を低減することが可能となる。言い換えるならば、信号線（駆動電極および補助電極）に付随する寄生容量を低減することが可能となる。その結果、磁界発生期間ＴＧを短くし、磁界検出期間ＴＤを早いタイミングで開始することが可能となり、検出の高速化を図ることが可能となる。
【０２９７】
図３３に示した選択信号に基づいて、例を説明する。タッチ検出期間ＴＴＳ１における磁界発生期間ＴＧのとき、選択回路ＸＳＤ、ＹＳＤ１およびＹＳＤ２は、選択信号Ｘ−Ｏｕｔ（ｎ−１）〜Ｘ−Ｏｕｔ（ｐ）およびＹ−Ｏｕｔ（ｎ−１）〜Ｙ−Ｏｕｔ（ｐ）のそれぞれをハイレベルにする。これにより、選択信号Ｘ−Ｏｕｔ（ｎ−１）〜Ｘ−Ｏｕｔ（ｐ）およびＹ−Ｏｕｔ（ｎ−１）〜Ｙ−Ｏｕｔ（ｐ）に対応したコイルＣＸ（ｎ−１）〜ＣＸ（ｐ）およびＣＹ（ｎ−１）〜ＣＹ（ｐ）のそれぞれには、クロック信号ＣＬＫが駆動信号として供給される。このときは、信号配線、駆動電極および補助電極の寄生容量が低減されるため、駆動信号の変化に伴うコイルの電圧変化を早くすることが可能となる。その結果、磁界発生期間ＴＧを短くすることが可能となる。
【０２９８】
次に、磁界検出期間ＴＤにおいて、選択回路ＸＳＤ、ＹＳＤ１およびＹＳＤ２は、タッチを検出するコイルに対応する選択信号Ｘ−Ｏｕｔ（ｎ−１）およびＹ−Ｏｕｔ（ｎ−１）を、ハイレベルを維持した状態で、他の選択信号（Ｘ−Ｏｕｔ（ｎ）、Ｘ−Ｏｕｔ（ｎ＋１）、Ｙ−Ｏｕｔ（ｎ）およびＹ−Ｏｕｔ（ｎ＋１））をロウレベルへ変化させる。これにより、選択信号Ｘ−Ｏｕｔ（ｎ−１）およびＹ−Ｏｕｔ（ｎ−１）に対応したコイルＣＸ（ｎ−１）およびＣＹ（ｎ−１）は、選択回路ＸＳＤおよびＹＳＤ２の入出力ノードに接続された状態が維持される。その結果、選択回路ＸＳＤおよびＹＳＤ２からコイルＣＸ（ｎ−１）およびＣＹ（ｎ−１）の近傍が、ペンによってタッチされているか否かを示す検出信号が出力されることになる。
【０２９９】
この実施の形態７においては、次のタッチ検出期間ＴＴＳ２における磁界発生期間ＴＧのとき、選択回路ＸＳＤ、ＹＳＤ１およびＹＳＤ２は、選択信号Ｘ−Ｏｕｔ（ｎ−１）およびＹ−Ｏｕｔ（ｎ−１）をロウレベルに維持し、選択信号Ｘ−Ｏｕｔ（ｎ）〜Ｘ−Ｏｕｔ（ｐ）およびＹ−Ｏｕｔ（ｎ）〜Ｙ−Ｏｕｔ（ｐ）のそれぞれをハイレベルにする。その後、磁界検出期間ＴＤのとき、選択回路ＸＳＤ、ＹＳＤ１およびＹＳＤ２は、タッチを検出するコイルに対応する選択信号Ｘ−Ｏｕｔ（ｎ）およびＹ−Ｏｕｔ（ｎ）を、ハイレベルを維持した状態で、他の選択信号（Ｘ−Ｏｕｔ（ｎ＋１）、Ｙ−Ｏｕｔ（ｎ＋１））をロウレベルへ変化させる。これにより、磁界発生期間ＴＧの短縮化を図りながら、コイルＣＸ（ｎ）およびＣＹ（ｎ）の検出信号を出力することが可能となる。
【０３００】
以下、同様にして、表示期間とタッチ検出期間が交互に繰り返される。
【０３０１】
実施の形態７によれば、タッチ検出の高速化を図ることが可能となる。また、タッチ検出期間における磁界発生期間ＴＧにおいては、表示パネル２（画素配列ＬＣＤ）の列方向に並列に配置されたコイルＣＹ（０）〜ＣＹ（ｐ）と、行方向に並列に配置されたコイルＣＸ（０）〜ＣＸ（ｐ）とが交差している領域においては、コイルＣＹによって発生している磁界とコイルＣＸによって発生している磁界とが重畳されることになる。これにより、交差している領域における磁界を強くすることが可能であり、ペンに蓄積される磁界エネルギーを大きくすることが可能である。交差する領域は、求めようとするタッチの位置の座標に対応すると見なすこともできる。
【０３０２】
図３３では、磁界検出期間ＴＤにおいて磁界の検出を終えたコイルに対しては、次のタッチ検出期間の磁界発生期間ＴＧにおいて、駆動信号を供給しない例を示したが、これに限定されない。すなわち、磁界検出期間ＴＤにおいて、磁界の検出が終えたコイルに対しても、次のタッチ検出期間の磁界発生期間ＴＧにおいて磁界を発生するように、駆動信号を供給するようにしてもよい。
【０３０３】
また、図３３では、タッチ検出期間の磁界発生期間ＴＧにおいて、コイルＣＸとコイルＣＹの両方で磁界を発生させ、磁界検出期間ＴＤにおいて、コイルＣＸとコイルＣＹの両方の磁界を検出する例を示したが、どちらか一方でもよい。
【０３０４】
（実施の形態８）
図３４は、実施の形態８に係わる液晶表示装置の構成を示すブロック図である。実施の形態８は、実施の形態６と類似しているので、ここでは、相違点を主に説明する。実施の形態６に係わる図３１のブロック図と図３４に示したブロック図とを比較すると、相違する部分は、図３１に示した調整部ＫＡＤ３、ＫＡＤ４および切換回路ＤＤ３、ＤＤ４が、調整部ＫＡＤ９および調整部１０に変更されていることである。
【０３０５】
実施の形態８においては、実施の形態６における調整部ＫＡＤ４および切換回路ＤＤ３の機能が、調整部ＫＡＤ９により達成されている。また、実施の形態６における調整部ＫＡＤ４および切換回路ＤＤ４の機能が、調整部ＫＡＤ１０により達成されている。
【０３０６】
先ず、調整部ＫＡＤ９について説明する。調整部ＫＡＤ９は、切換回路ＤＤ３が有していた第５スイッチＳ５（ｎ−６）〜Ｓ５（ｎ＋９）のうち、第５スイッチＳ５（ｎ−６）、Ｓ５（ｎ−３）、Ｓ５（ｎ）、Ｓ５（ｎ＋３）、Ｓ５（ｎ＋６），Ｓ５（ｎ＋９）を有し、残りの第５スイッチを有していない。また、調整部ＫＡＤ９は、切換回路ＤＤ３が有していた第５スイッチＳ５（ｎ−５）およびＳ５（ｎ＋２）の代わりに機能する第１５スイッチＳ１５（ｎ−１）と、第５スイッチＳ５（ｎ＋１）およびＳ５（ｎ＋８）の代わりに機能する第１５スイッチＳ１５（ｎ）と、Ｓ５（ｎ＋７）の代わりに機能する第１５スイッチＳ１５（ｎ＋１）を有している。図３４においては、第１５スイッチＳ１５（ｎ−１）、Ｓ１５（ｎ）およびＳ１５（ｎ＋１）を、第１５スイッチｏ００〜ｏ０２として描いている。
【０３０７】
また、調整部ＫＡＤ９は、調整部ＫＡＤ３が有していた信号配線６０５−１（ｎ−２）〜６０５−１（ｎ＋１）の信号配線を有している。調整部ＫＡＤ９において、信号配線６０−１（ｎ−１）は、第１５スイッチＳ１５（ｎ−１）を介して、タッチ検出期間においては、信号線ＳＬ（ｎ−５）と信号線ＳＬ（ｎ＋２）との間に接続される。また、信号配線６０５−１（ｎ）は、第１５スイッチＳ１５（ｎ）を介して、タッチ検出期間において、信号線ＳＬ（ｎ＋１）との間に接続される。さらに、信号配線６０５−１（ｎ−２）は、信号線ＳＬ（ｎ−４）に接続され、信号配線６０５−１（ｎ＋１）第１５スイッチｏ０２を介して、タッチ検出期間のとき、信号線ＳＬ（ｎ＋９）に接続される。
【０３０８】
第５スイッチＳ５（ｎ−３）、Ｓ５（ｎ＋３）およびＳ５（ｎ＋９）、および第１５スイッチＳ１５（ｎ−２）、Ｓ１５（ｎ）およびＳ１５（ｎ＋１）には、センスイネーブル信号ＳＥ−ＥＮが、スイッチ制御信号として供給される。また、この調整部ＫＡＤ９における第５スイッチＳ５（ｎ−６）、Ｓ５（ｎ）およびＳ５（ｎ＋６）は、切換回路ＤＤ３と同様に、選択回路ＸＳＤからの選択信号Ｘ−Ｏｕｔ（ｎ−１）、Ｘ−Ｏｕｔ（ｎ）およびＸ−Ｏｕｔ（ｎ＋１）によってスイッチ制御される。
【０３０９】
調整部ＫＡＤ１０は、第１６スイッチＳ１６−１（ｎ−１）〜Ｓ１６−１（ｎ＋１）およびＳ１６−２（ｎ−１）〜Ｓ１６−２（ｎ＋１）と、調整部ＫＡＤ４が有していた信号配線６０５−２（ｎ−２）〜６０５−２（ｎ＋１）および６０５−３（ｎ−２）〜６０５−３（ｎ＋１）とを有している。ここで、第１６スイッチＳ１６−１（ｎ−１）は、切換回路ＤＤ４が有していた第６スイッチＳ６（ｎ−６）およびＳ６（ｎ＋２）の代わりに機能し、第１６スイッチＳ１６−２（ｎ−１）は、第６スイッチＳ６（ｎ−５）およびＳ６（ｎ＋３）の代わりに機能する。また、第１６スイッチＳ１６−１（ｎ）は、第６スイッチＳ６（ｎ）およびＳ６（ｎ＋８）の代わりに機能し、第１６スイッチＳ１６−２（ｎ）は、第６スイッチＳ６（ｎ＋１）およびＳ６（ｎ＋９）の代わりに機能する。さらに、第１６スイッチＳ１６−１（ｎ＋１）は、第６スイッチＳ６（ｎ＋６）の代わりに機能し、第１６スイッチＳ１６−２（ｎ＋１）は、第６スイッチＳ６（ｎ＋７）の代わりに機能する。
【０３１０】
図３４において、第１６スイッチＳ１６−１（ｎ−１）〜Ｓ１６−１（ｎ＋１）は、第１６スイッチｐ００〜ｐ０２として描かれ、第１６スイッチＳ１６−２（ｎ−１）〜Ｓ１６−２（ｎ＋１）は、第１６スイッチｇ００〜ｇ０２として描かれている。これらの第１６スイッチには、センスイネーブル信号ＳＥ−ＥＮが、スイッチ制御信号として供給される。
【０３１１】
タッチ検出期間において、スイッチイネーブル信号ＳＥ−ＥＮがハイレベルとなることにより、第１５スイッチおよび第１６スイッチはオン状態となる。これにより、実施の形態６と同様に、上記した信号配線と信号線とによってコイルＣＸ（ｎ−２）〜コイルＣＸ（ｎ＋１）が形成されることになる。
【０３１２】
この実施の形態８によれば、スイッチの数を低減することが可能であるため、小型化を図ることが可能である。
【０３１３】
（実施の形態９）
図３５は、実施の形態９に係わる液晶表示装置の構成を示すブロック図である。この実施の形態９においては、ゲートドライバ５が変更される。表示パネル２、調整部および切換回路の構成については、実施の形態４を除いたいずれの実施形態の構成であってもよい。ここでは、表示パネル２、調整部および切換回路の構成が、実施の形態６の場合を例として説明する。
【０３１４】
ゲートドライバ５（走査線駆動回路）は（図５、図２７）は、複数の単位ゲートドライバ５（ｎ−６）〜５（ｎ＋９）を有している。この実施の形態において、単位ゲートドライバ５（ｎ−６）〜５（ｎ＋９）のそれぞれは、３状態が出力可能なドライバ回路により構成されている。これらの単位ゲートドライバ５（ｎ−６）〜５（ｎ＋９）のそれぞれは、制御端子ＣＮＴに供給される制御信号によって、出力が、ハイインピーダンス状態または入力信号に従った状態となる。例えば、制御端子ＣＮＴに供給される制御信号は、ロウレベルのとき、それぞれの単位ゲートドライバ５（ｎ−６）〜５（ｎ＋９）の出力は、ハイインピーダンス状態となる。これに対して、制御端子ＣＮＴに供給される制御信号がハイレベルのときには、単位ゲートドライバ５（ｎ−６）〜５（ｎ＋９）のそれぞれは、それぞれに供給されている入力信号に従って、ハイレベルまたはロウレベルの電圧を出力する。
【０３１５】
単位ゲートドライバ５（ｎ−６）〜５（ｎ＋９）の制御端子には、制御回路Ｄ−ＣＮＴから制御信号が供給される。制御回路Ｄ−ＣＮＴは、タッチ検出期間のとき、ロウレベルの制御信号を制御端子ＣＮＴに供給する。これに対して、表示期間のときに、制御回路Ｄ−ＣＮＴは、ハイレベルの制御信号を、制御端子ＣＮＴへ供給する。また、表示期間のとき、制御回路Ｄ−ＣＮＴは、タイミング信号を、単位ゲートドライバ５（ｎ−６）〜５（ｎ＋９）の入力信号として供給する。これにより、表示期間においては、制御回路Ｄ−ＣＮＴからのタイミング信号に従って、それぞれの単位ゲートドライバ５（ｎ−６）〜５（ｎ＋９）は、ハイレベルまたはロウレベルの走査線信号を、対応する走査線ＧＬ（ｎ−６）〜ＧＬ（ｎ＋９）へ出力する。このときのロウレベルの電圧は、画素を構成する薄膜トランジスタが確実にオフするように、低い電圧にされる。
【０３１６】
この実施の形態９においては、タッチ検出期間のとき、制御回路Ｄ−ＣＮＴが、制御端子ＣＮＴに供給する制御信号によって、単位ゲートドライバ５（ｎ−６）〜５（ｎ＋９）のそれぞれをハイインピーダンス状態にする。
【０３１７】
例えば、タッチ検出期間において、ゲートドライバ５から走査線ＧＬ（０）〜ＧＬ（ｐ）へロウレベルが供給されていると、タッチ検出期間において、駆動電極に駆動信号を供給したとき、駆動信号に従って駆動電極の電圧を変化させるためには、駆動電極と走査線との間に存在する寄生容量を充電する必要がある。そのため、駆動電極の電圧変化が遅くなることが危惧される。
【０３１８】
実施の形態９においては、タッチ検出期間において、ゲートドライバの出力がハイインピーダンス状態となるため、走査線ＧＬ（ｎ−６）〜ＧＬ（ｎ＋９）は、フローティング状態となる。そのため、駆動電極における電圧変化の遅延を低減することが可能となる。これにより、検出速度の向上を図ることが可能となる。
【０３１９】
（実施の形態１０）
図３６は、実施の形態１０に係わる液晶表示装置１におけるタッチ検出回路の構成を示す回路図である。図３６において、ＣＸ（０）〜ＣＸ（ｐ）は、タッチ検出期間において形成されるコイルを示している。また、ＳＷＣＴは、スイッチ制御信号ＳＷＣによりスイッチ制御される複数のスイッチＳＷ１２を有するスイッチ部を示している。ここで、スイッチＳＷ１２は、例えば図２９に示した第５スイッチＳ５（ｎ−６）、Ｓ５（ｎ）、Ｓ５（ｎ＋９）に相当し、スイッチ制御信号ＳＷＣは、選択信号Ｘ−Ｏｕｔ（ｎ−１）〜Ｘ−Ｏｕｔ（ｎ＋１）に相当する。
【０３２０】
コイルＣＸ（０）〜ＣＸ（ｐ）のそれぞれの一方の端部は、タッチ検出期間においては、接地電圧Ｖｓに接続され、他方の端部は、対応するスイッチＳＷ１２を介してノードｎ１に接続されている。ノードｎ１における検出信号は、ゲイン回路に供給され、ゲイン回路によって増幅される。増幅された検出信号は、ノイズを除去するためにフィルタ回路に供給され、フィルタ回路の出力は、整流回路で整流され、積分回路へ供給される。積分回路の出力は、マイクロコントローラＭＣＵに供給される。
【０３２１】
マイクロコントローラＭＣＵは、図示しないが、アナログ／デジタル変換回路、クロック信号発生回路、プログラムを格納した不揮発性メモリ、不揮発性メモリに格納されたプログラムに従って動作する処理ユニットを有している。上記した積分回路からの出力は、マイクロコントローラＭＣＵの端子ＡＤＣを介してアナログ／デジタル変換回路に供給され、デジタル信号に変換される。変換により得られたデジタル信号は、処理ユニットによって処理され、コイルＣＸ（０）〜ＣＸ（ｐ）のいずれかにペンが近接しているか否かの判定が行われる。
【０３２２】
マイクロコントローラＭＣＵ内の処理ユニットは、プログラムに従って、制御信号を形成する。この制御信号としては、スイッチ制御信号ＳＷＣ、イネーブル信号ＥＮおよびリセット信号ｒｓｔがある。また、マイクロコントローラＭＣＵ内のクロック信号発生回路によって、周期的に電圧が変化するクロック信号ＣＬＫが発生する。
【０３２３】
クロック信号ＣＬＫは、バッファ回路ＢＦに供給される。バッファ回路ＢＦは、イネーブル信号ＥＮにより制御される。イネーブル信号ＣＥがハイレベルのとき、クロック信号ＣＬＫを抵抗Ｒ１１を介して、ノードｎ１へ供給する。一方、イネーブル信号ＥＮがロウレベルのときには、バッファ回路ＢＦの出力はハイインピーダンス状態（Ｈｉ−Ｚ）となる。
【０３２４】
ゲイン回路は、抵抗Ｒ８〜Ｒ１０と、オペアンプＯＰ４と、直流カット用の容量素子ＣＰ３を有している。検出信号は、オペアンプＯＰ４の正相入力（＋）に供給され、オペアンプＯＰ４の反転入力（−）は、抵抗Ｒ９を介して接地電圧Ｖｓに接続され、また、抵抗Ｒ８を介して、オペアンプＯＰ４の出力に接続されている。
【０３２５】
フィルタ回路は、抵抗Ｒ４〜Ｒ７と、容量素子ＣＰ２と、オペアンプＯＰ３を有している。オペアンプＯＰ３の正相入力（＋）は、抵抗Ｒ７を介して接地電圧Ｖｓに接続され、容量素子ＣＰ２を介して、ゲイン回路からの出力信号が供給される。また、オペアンプＯＰ３の反転入力（−）は、抵抗Ｒ６を介して接地電圧Ｖｓに接続され、さらに抵抗Ｒ５を介して、オペアンプの出力に接続されている。さらに、オペアンプＯＰ３の出力は、抵抗Ｒ４を介して、フィルタ回路の入力に接続されている。
【０３２６】
整流回路は、抵抗Ｒ１〜Ｒ３と、オペアンプＯＰ２と、ダイオードＤとを有している。オペアンプの正相入力（＋）は、抵抗Ｒ３を介して接地電圧Ｖｓに接続され、オペアンプＯＰ２の反転入力（−）は、抵抗Ｒ２を介して、フィルタ回路からの出力が供給され。さらに、整流回路の出力が抵抗Ｒ１を介して供給されている。オペアンプＯＰ２の出力はダイオードＤを介して出力される。
【０３２７】
積分回路は、容量素子ＣＰ１と、リセット信号ｒｓｔをスイッチ制御信号として受けるスイッチＳＷ１３と、オペアンプＯＰ１とを有している。オペアンプの正相入力（＋）は、接地電圧Ｖｓに接続され、反転入力（−）は、容量素子ＣＰ１を介して、積分回路の出力に接続されている。また、積分回路の出力と入力との間にスイッチＳＷ１３が接続されている。
【０３２８】
図３７は、図３６に示したタッチ検出回路の動作を示す波形図である。図３７において、横軸は時間を示し、縦軸は電圧を示している。図３７（Ａ）は、クロック信号ＣＬＫの波形を示し、図３７（Ｂ）は、スイッチ制御信号ＳＷＣの波形を示し、図３７（Ｃ）は、イネーブル信号ＥＮの波形を示している。また、図３７（Ｄ）は、リセット信号ｒｓｔの波形を示しており、図３７（Ｅ）は、ゲイン回路の出力波形ＯＵＴ１を示しており、図３７（Ｆ）は、積分回路の出力ＯＵＴ２の波形を示している。
【０３２９】
図３７には、タッチ検出期間の動作が示されており、表示期間の動作は、省略されている。
【０３３０】
先ず、時刻ｔ０において、リセット信号ｒｓｔがロウレベルとなることにより、リセットが解除される。このとき、マイクロコントローラＭＣＵは、イネーブル信号ＥＮをハイレベルにする。これにより、クロック信号ＣＬＫは、抵抗Ｒ１１を介しバッファ回路ＢＦから、ノードｎ１へ供給される。このとき、マイクロコントローラＭＣＵは、例えば、コイルＣＸ（０）〜ＣＸ（ｐ）に対応する全てのスイッチＳＷ１２をオン状態にするようなスイッチ制御信号ＳＷＣを出力する。これにより、ノードｎ１に供給されたクロック信号ＣＬＫは、駆動信号として、コイルＣＸ（０）〜ＣＸ（ｐ）のそれぞれの一方の端部に供給される。
【０３３１】
ノードｎ１に供給されたクロック信号ＣＬＫは、ゲイン回路にも供給される。ゲイン回路の出力ＯＵＴ１は、クロック信号ＣＬＫの電圧変化に従って変化するため、図３７（Ｅ）に示すように。変化する。増幅回路の出力ＯＵＴ１は、フィルタ回路を介して整流回路に供給され、整流された出力が積分回路に供給される。時刻ｔ０から時刻ｔ１においては、ノードｎ１の電圧は、周期的に変化しているが、包絡線的には、変化がないため、積分回路の出力は一定の値となる。
【０３３２】
時刻ｔ１において、マイクロコントローラＭＣＵは、イネーブル信号ＥＮをロウレベルにする。これにより、ノードｎ１はハイインピーダンス状態（Ｈｉ−Ｚ）となる。また、時刻ｔ１において、例えばコイルＣＸ（ｎ−１）に対応するスイッチＳＷ１２をオン状態に維持し、残りのスイッチＳＷ１１をオフ状態にするようなスイッチ制御信号ＳＷＣを、マイクロコントローラＭＣＵは形成する。これにより、コイルＣＸ（ｎ−１）の他方の端部は、ノードｎ１に接続された状態が維持され、他のコイルは、ノードｎ１から分離される。図３７の例では、時刻ｔ１から時刻ｔ２の間では、ペンが、コイルＣＸ（ｎ−１）に近接していないため、ペンから、コイルＣＸ（ｎ−１）へ磁界エネルギーが与えられない。そのため、積分回路の出力ＯＵＴ２は変化しない。
【０３３３】
時刻ｔ２に移る前に、マイクロコントローラＭＣＵは、リセット信号ｒｓｔを、いったんハイレベルにするとともに、スイッチ制御信号ＳＷＣを全てロウレベルにする。これにより、リセットを行った後、再び、リセット信号ｒｓｔをロウレベルにして、リセットを解除する。時刻ｔ２からｔ３は、時刻ｔ０からｔ１と同じである。
【０３３４】
時刻ｔ３において、マイクロコントローラＭＣＵは、例えばコイルＣＸ（ｎ）に対応するスイッチＳＷ１２をオン状態に維持し、残りのコイルに対応するスイッチＳＷ１２をオフ状態にするようなスイッチ制御信号ＳＷＣを形成する。図３７（Ｄ）には、コイルＣＸ（ｎ）に対応するスイッチＳＷ１２に供給されるスイッチ制御信号ＳＷＣが、実線で描かれ、他のスイッチＳＷ１２に供給されるスイッチ制御信号ＳＷＣが、一点鎖線で描かれている（時刻ｔ３から時刻ｔ４の間）。
【０３３５】
また、時刻ｔ３において、マイクロコントローラＭＣＵは、イネーブル信号ＥＮをロウレベルにする。これにより、ノードｎ１は、ハイインピーダンス状態となる。このとき、コイルＣＸ（ｎ）の近傍にペンが有るため、時刻ｔ２からｔ３の間で、コイルＣＸ（ｎ）からペン内のコイルおよび容量Ｃ（図２）に与えられ、蓄積された磁界エネルギーが、時刻ｔ３からは、ペンからコイルＣＸ（ｎ）に与えられることになる。
【０３３６】
その結果、ゲイン回路の出力ＯＵＴ１は、図３７（Ｅ）に示すように、振動しながら、減衰する。すなわち、電圧は、包絡線的には、減衰する。ゲイン回路の出力ＯＵＴ１が、時刻ｔ３から、振動しながら、減衰するため、積分回路の出力ＯＵＴ２は、徐々に上昇する。マイクロコントローラＭＣＵは、この積分回路の出力ＯＵＴ２をデジタル信号へ変換することにより、ペンが有ると判定する。このとき、マイクロコントローラＭＣＵは。コイルＣＸ（０）〜ＣＸ（ｐ）のうち、スイッチ制御信号ＳＷＣをハイレベルにして、選択したコイルの位置を把握することが可能であるため、変換によって得たデジタル信号の値と、把握したコイルの位置から、ペンが有る位置、すなわちタッチした位置と、ペンの筆圧等を判定することができる。
【０３３７】
以上の動作を繰り返すことにより、ペンの有無と、筆圧等を判定することができる。コイルＣＸ（０）〜ＣＸ（ｐ）を例にして説明したが、コイルＣＹ（０）〜ＣＹ（ｐ）についても同様の動作を行う。これにより、ペンの有る場所の座標も求めることが可能となる。
【０３３８】
実施の形態１０において、ゲイン回路の抵抗Ｒ９は、リセット信号ｒｓｔによりスイッチ制御されるスイッチを介して、接地電圧Ｖｓに接続するようにしてもよい。このようにすることにより、消費電力の低減を図ることが可能となる。また、抵抗Ｒ１１は、クロック信号ＣＬＫが供給されたときの電流を制限するために設けられている。そのため、コイルの抵抗が比較的高い場合には、設けなくてもよい。
【０３３９】
実施の形態６においては、各コイルから検出信号を並列的に取得する例で説明したが、実施の形態１０で述べたように、複数のコイルに対して共通のノードｎ１を設けるようにしてもよい。このようにすることにより、コイルとタッチ用半導体装置との間の検出信号線の数を低減することが可能となり、面積の増加を抑制することが可能となる。
【０３４０】
駆動電極および補助電極ＳＭは、図６に示すように、第３配線層６０５の配線により構成される。ペンに対して、この第３配線層よりも下側の配線層（第２配線層、第１配線層）に形成される配線（信号線、走査線）を用いて、タッチ検出用のコイルを形成する場合、駆動電極および補助電極は、複数の駆動電極および補助電極によって構成することが望ましい。
【０３４１】
例えば、実施の形態６を例にして説明すると、第２配線層に形成された信号線が、タッチ検出用のコイルを形成するのに用いられる。このとき、駆動電極が１個の電極によって構成されていると、信号線により形成されたコイルによって発生した磁界により、駆動電極に渦電流が発生する。そのため、ペンに到達する磁界が減少する。同様に、ペンで発生した磁界が、信号線で形成したコイルに到達する量も減少する。これに対して、駆動電極を、実施の形態６で述べたように、複数の駆動電極で構成すれば、渦電流の発生する領域を狭くすることが可能となり、駆動電極により、磁界が減少するのを低減するこが可能となる。複数の駆動電極により、駆動電極を構成すると、それぞれの駆動電極の抵抗が上昇するが、実施の形態で述べたように、補助電極を駆動電極に接続させ、補助電極もコイルの配線として用いることにより、コイルを形成したときの駆動電極（補助電極を含む）の抵抗を低減することが可能となり、発生する磁界が減少することを抑制することが可能となる。
【０３４２】
本発明の思想の範疇において、当業者であれば、各種の変形例及び修正例に想到し得るものであり、それら変形例及び修正例についても本発明の範囲に属するものと了解される。
【０３４３】
例えば、前述の各実施の形態に対して、当業者が適宜、構成要素の追加、削除若しくは設計変更を行ったもの、又は、工程の追加、省略若しくは条件変更を行ったものも、本発明の要旨を備えている限り、本発明の範囲に含まれる。
【０３４４】
例えば、実施の形態においては、共通電極ＴＬ（０）〜ＴＬ（ｐ）および信号線ＳＬ（０）〜ＳＬ（ｐ）は、列方向に延在し、行方向に配置されている場合を説明したが、行方向および列方向は、見る視点により変化する。見る視点を変えて、共通電極ＴＬ（０）〜ＴＬ（ｐ）および信号線ＳＬ（０）〜ＳＬ（ｐ）が、行方向に延在し、列方向に配置されている場合も本発明の範囲に含まれるものである。
【０３４５】
上記した複数の実施の形態においては、タッチ検出期間において用いられるコイルが、２回巻線のコイルを例として説明したが、これに限定されるものではない。例えば、コイルは、１回巻線のコイルあるいは、３回以上の巻線のコイルであってもよい。また、１回巻線のコイルが、互いに重なる場合を述べると、例えばコイルＣＸ（ｎ）の巻線内に、コイルＣＸ（ｎ−１）およびＣＸ（ｎ＋１）のそれぞれの巻線が１個入り込むことになる。コイルを駆動電極により構成する場合を例にすると、コイルＣＸ（ｎ）の巻線内に、コイルＣＸ（ｎ−１）およびＣＸ（ｎ＋１）のそれぞれの１個の駆動電極が入り込むことになる。コイルＣＸ（ｎ）を例にして述べたが、コイルＣＹ（ｎ）についても同様である。
【符号の説明】
【０３４６】
１  タッチ機能付き液晶表示装置
２  表示パネル
３  信号線セレクタ
４  表示制御装置
５  ゲートドライバ
６  タッチ制御装置
ＴＬ（０）〜ＴＬ（ｐ）、ＴＬ（ｎ−６）〜ＴＬ（ｎ＋９）、ＴＬ００〜ＴＬ１５  駆動電極
ＳＭ  補助電極
ＧＬ（０）〜ＧＬ（ｐ）、ＧＬ０〜ＧＬｐ  走査線
ｓｓ（ｎ−６）〜ｓｓ（ｎ＋９）、ｓｓ００〜ｓｓ１５  センス線
ＳＬ（０）〜ＳＬ（ｐ）、ＳＬ（ｎ−６）〜ＳＬ（ｎ＋９）、ＳＬ００〜ＳＬ１５  信号線
Ｘｐ１（ｎ−１）〜Ｘｐ１（ｎ＋１）、Ｘｐ０〜Ｘｐ２、Ｙｐ１（ｎ−１）〜Ｙｐ１（ｎ＋１）、Ｙｐ０〜Ｙｐ２  入出力ノード
ＤＤ１〜ＤＤ８  第１切換回路、第２切換回路
ＫＡＤ１〜ＫＡＤ１０  第１調整部、第２調整部
Ｓ１（ｎ−６）〜Ｓ１（ｎ＋９）、ａ００〜ａ１５  第１スイッチ
Ｓ２（ｎ−２）〜Ｓ２（ｎ）、ｂ００〜ｂ０２  第２スイッチ
Ｓ３（ｎ−１）〜Ｓ３（ｎ＋１）、ｃ００〜ｃ０２  第３スイッチ
Ｓ４（ｎ−６）〜Ｓ４（ｎ＋９）、ｄ００〜ｄ１５  第４スイッチ
Ｓ５（ｎ−６）〜Ｓ５（ｎ＋９）、ｅ００〜ｅ１５  第５スイッチ
Ｓ６（ｎ−６）〜Ｓ６（ｎ＋９）、ｆ００〜ｆ１５  第６スイッチ
Ｓ７（ｎ−６）〜Ｓ７（ｎ＋９）、ｇ００〜ｇ１５  第７スイッチ
Ｓ８（ｎ）、ｈ００  第８スイッチ
Ｓ９（ｎ−１）、Ｓ９（ｎ）、ｉ００、ｉ０１  第９スイッチ
Ｓ１０（ｎ−６）〜Ｓ１０（ｎ＋９）、ｊ００〜ｊ１５  第１０スイッチ
Ｓ１１（ｎ−１）、Ｓ１１（ｎ＋１）、ｋ００〜ｋ０１  第１１スイッチ
Ｓ１２（ｎ−１）、ｌ００  第１２スイッチ
Ｓ１３（ｎ−６）〜Ｓ１３（ｎ＋９）、ｍ００〜ｍ１５  第１３スイッチ
Ｓ１４（ｎ−６）〜Ｓ１４（ｎ＋９）、ｎ００〜ｎ１５  第１４スイッチ
６０１−１（ｎ−２）〜６０１−１（ｎ＋１）、６０１−２（ｎ−２）〜６０１−２（ｎ＋１）、６０１−３（ｎ−２）〜６０１−３（ｎ＋１）、６１１０〜６１１３、６１２０〜６１２３，６１３０〜６１３３  信号配線
６０３−１（ｎ−２）〜６０３−１（ｎ＋１）、６０３−２（ｎ−２）〜６０３−２（ｎ＋１）、６０３−３（ｎ−２）〜６０３−３（ｎ＋１）、６３１０〜６３１３、６３２０〜６３２３，６３３０〜６３３３  信号配線
６０５−１（ｎ−２）〜６０５−１（ｎ＋１）、６０５−２（ｎ−２）〜６０５−２（ｎ＋１）、６０５−３（ｎ−２）〜６０５−３（ｎ＋１）、６５１０〜６５１３、６５２０〜６５２３，６５３０〜６５３３  信号配線
【図１】
0006408415.tif 000002
【図２】
0006408415.tif 000003
【図３】
0006408415.tif 000004
【図４】
0006408415.tif 000005
【図５】
0006408415.tif 000006
【図６】
0006408415.tif 000007
【図７】
0006408415.tif 000008
【図８】
0006408415.tif 000009
【図９】
0006408415.tif 000010
【図１０】
0006408415.tif 000011
【図１１】
0006408415.tif 000012
【図１２】
0006408415.tif 000013
【図１３】
0006408415.tif 000014
【図１４】
0006408415.tif 000015
【図１５】
0006408415.tif 000016
【図１６】
0006408415.tif 000017
【図１７】
0006408415.tif 000018
【図１８】
0006408415.tif 000019
【図１９】
0006408415.tif 000020
【図２０】
0006408415.tif 000021
【図２１】
0006408415.tif 000022
【図２２】
0006408415.tif 000023
【図２３】
0006408415.tif 000024
【図２４】
0006408415.tif 000025
【図２５】
0006408415.tif 000026
【図２６】
0006408415.tif 000027
【図２７】
0006408415.tif 000028
【図２８】
0006408415.tif 000029
【図２９】
0006408415.tif 000030
【図３０】
0006408415.tif 000031
【図３１】
0006408415.tif 000032
【図３２】
0006408415.tif 000033
【図３３】
0006408415.tif 000034
【図３４】
0006408415.tif 000035
【図３５】
0006408415.tif 000036
【図３６】
0006408415.tif 000037
【図３７】
0006408415.tif 000038